(57)【要約】  ダウンリンク制御情報検出方法が提供され、本方法は、端末デバイスにより、第1の探索空間および第2の探索空間のうちの少なくとも1つの探索空間を決定するステップであって、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的にまたは完全にオーバーラップし、第1の時間単位が第2の時間単位と同じかまたは異なる、ステップと、端末デバイスにより、少なくとも1つの探索空間においてダウンリンク制御情報（DCI）の少なくとも一部を検出するステップと、を含む。本方法によれば、探索空間を柔軟に構成でき、DCIを柔軟に送信できる。
2019503634.tif 000002
【特許請求の範囲】
【請求項１】
ダウンリンク制御情報（DCI）検出方法であって、
端末デバイスにより、第1の探索空間および第2の探索空間のうちの少なくとも1つの探索空間を決定するステップであって、前記第1の探索空間が時間窓T内の第1の時間単位にあり、前記第1の時間単位が第1の時間単位集合に属し、前記第2の探索空間が前記時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なる、ステップと、
前記端末デバイスにより、前記少なくとも1つの探索空間においてダウンリンク制御情報（DCI）の少なくとも一部を検出するステップと
を含む方法。
【請求項２】
前記少なくとも1つの探索空間が前記第1の探索空間であり、DCIの前記少なくとも一部が第1のDCIを含み、かつ前記端末デバイスにより、前記少なくとも1つの探索空間においてDCIの少なくとも一部を検出する前記ステップが、前記端末デバイスにより、前記第1の探索空間において前記第1のDCIを検出するステップを含み、または
前記少なくとも1つの探索空間が前記第2の探索空間であり、DCIの前記少なくとも一部が第2のDCIを含み、かつ前記端末デバイスにより、前記少なくとも1つの探索空間においてDCIの少なくとも一部を検出する前記ステップが、前記端末デバイスにより、前記第2の探索空間において前記第2のDCIを検出するステップを含み、または
前記少なくとも1つの探索空間が前記第1の探索空間および前記第2の探索空間を含み、DCIの前記少なくとも一部が第1のDCIおよび第2のDCIを含み、かつ前記端末デバイスにより、前記少なくとも1つの探索空間においてDCIの少なくとも一部を検出する前記ステップが、前記端末デバイスにより、前記第1の探索空間において前記第1のDCIを検出し、前記第2の探索空間において前記第2のDCIを検出するステップを含み、
前記第1のDCIは、第1のデータ伝送をスケジュールするために使用され、前記第2のDCIは、第2のデータ伝送をスケジュールするために使用され、前記第1のデータ伝送の第1の伝送時間間隔（TTI）長は、前記第2のデータ伝送の第2の伝送時間間隔（TTI）長よりも短い、請求項1に記載の方法。
【請求項３】
前記第2の時間単位集合が前記第1の時間単位集合の真部分集合である、請求項1または2に記載の方法。
【請求項４】
NT＝2であり、前記第1の時間単位集合が時間単位0および時間単位1を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0および前記時間単位2を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0および前記時間単位3を含むか、もしくは前記時間単位0および前記時間単位4を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0、前記時間単位2、前記時間単位3、および前記時間単位5を含むか、もしくは前記第2の時間単位集合が前記時間単位0、前記時間単位1、前記時間単位3、および前記時間単位5を含むか、もしくは前記第2の時間単位集合が前記時間単位0、前記時間単位1、前記時間単位3、および前記時間単位4を含むか、もしくは前記第2の時間単位集合が前記時間単位0、前記時間単位2、前記時間単位4、および前記時間単位6を含む、請求項3に記載の方法。
【請求項５】
前記時間窓Tが1サブフレームであり、前記NT個の時間単位の各々が少なくとも1シンボルを含み、
前記第1のTTI長および前記第2のTTI長が、1ミリ秒、0.5ミリ秒、4シンボルの長さ、3シンボルの長さ、2シンボルの長さ、および1シンボルの長さのうちの2つである、請求項1から4のいずれか一項に記載の方法。
【請求項６】
前記第1の時間単位が前記第2の時間単位と同じであり、前記第1の探索空間と前記第2の探索空間とが部分的にまたは完全にオーバーラップする、請求項1から5のいずれか一項に記載の方法。
【請求項７】
前記第1の時間単位集合が時間単位iおよび時間単位jを含み、
前記第1の時間単位が前記時間単位iである場合、前記第1の探索空間はM個のリソース要素を占有し、前記第1の時間単位が前記時間単位jである場合、前記第1の探索空間はN個のリソース要素を占有し、MおよびNは自然数であり、MはNと等しくない、請求項1から6のいずれか一項に記載の方法。
【請求項８】
前記第2のデータ伝送の前記TTI長が1ミリ秒であり、前記第1の探索空間が、共通探索空間（CSS）に属する候補制御チャネルを含まず、前記第2の探索空間が、前記CSSに属する候補制御チャネルおよび特定探索空間（UESS）に属する候補制御チャネルを含む、請求項5に記載の方法。
【請求項９】
前記端末デバイスにより、第3の探索空間を決定するステップであって、前記第3の探索空間が前記時間窓T内の第3の時間単位にあり、前記第3の時間単位が前記第2の時間単位集合に属する、ステップと、
前記端末デバイスにより、前記第3の探索空間において第3のDCIを検出するステップであって、前記端末デバイスによって前記第2の探索空間において検出された第2のDCIと前記端末デバイスによって前記第3の探索空間において検出された前記第3のDCIとがどちらも前記第2のデータ伝送をスケジュールするために使用される、ステップと
をさらに含む、請求項1に記載の方法。
【請求項１０】
ダウンリンク制御情報（DCI）送信方法であって、
ネットワークデバイスにより、第1の探索空間および第2の探索空間のうちの少なくとも1つの探索空間を決定するステップであって、前記第1の探索空間が時間窓T内の第1の時間単位にあり、前記第1の時間単位が第1の時間単位集合に属し、前記第2の探索空間が前記時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なる、ステップと、
前記ネットワークデバイスにより、ダウンリンク制御情報（DCI）の少なくとも一部を送信するステップであって、DCIの前記少なくとも一部が前記少なくとも1つの探索空間に位置する、ステップと
を含む方法。
【請求項１１】
前記少なくとも1つの探索空間が前記第1の探索空間であり、かつDCIの前記少なくとも一部が第1のDCIを含み、または
前記少なくとも1つの探索空間が前記第2の探索空間であり、かつDCIの前記少なくとも一部が第2のDCIを含み、または
前記少なくとも1つの探索空間が前記第1の探索空間および前記第2の探索空間を含み、かつDCIの前記少なくとも一部が第1のDCIおよび第2のDCIを含み、
前記第1のDCIは前記第1の探索空間に位置し、前記第2のDCIは前記第2の探索空間に位置し、前記第1のDCIは第1のデータ伝送をスケジュールするために使用され、前記第2のDCIは第2のデータ伝送をスケジュールするために使用され、前記第1のデータ伝送の第1の伝送時間間隔（TTI）長は、前記第2のデータ伝送の第2の伝送時間間隔（TTI）長よりも短い、請求項10に記載の方法。
【請求項１２】
前記第2の時間単位集合が前記第1の時間単位集合の真部分集合である、請求項10または11に記載の方法。
【請求項１３】
NT＝2であり、前記第1の時間単位集合が時間単位0および時間単位1を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0および前記時間単位2を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0および前記時間単位3を含むか、もしくは前記時間単位0および前記時間単位4を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0、前記時間単位2、前記時間単位3、および前記時間単位5を含むか、もしくは前記第2の時間単位集合が前記時間単位0、前記時間単位1、前記時間単位3、および前記時間単位5を含むか、もしくは前記第2の時間単位集合が前記時間単位0、前記時間単位1、前記時間単位3、および前記時間単位4を含むか、もしくは前記第2の時間単位集合が前記時間単位0、前記時間単位2、前記時間単位4、および前記時間単位6を含む、請求項12に記載の方法。
【請求項１４】
前記時間窓Tが1サブフレームであり、前記NT個の時間単位の各々が少なくとも1シンボルを含み、
前記第1のTTI長および前記第2のTTI長が、1ミリ秒、0.5ミリ秒、4シンボルの長さ、3シンボルの長さ、2シンボルの長さ、および1シンボルの長さのうちの2つである、請求項10から13のいずれか一項に記載の方法。
【請求項１５】
前記第1の時間単位が前記第2の時間単位と同じであり、前記第1の探索空間と前記第2の探索空間とが部分的にまたは完全にオーバーラップする、請求項10から14のいずれか一項に記載の方法。
【請求項１６】
前記第1の時間単位集合が時間単位iおよび時間単位jを含み、
前記第1の時間単位が前記時間単位iである場合、前記第1の探索空間はM個のリソース要素を占有し、前記第1の時間単位が前記時間単位jである場合、前記第1の探索空間はN個のリソース要素を占有し、MおよびNは自然数であり、MはNと等しくない、請求項10から15のいずれか一項に記載の方法。
【請求項１７】
前記第2のデータ伝送の前記TTI長が1ミリ秒であり、前記第1の探索空間が、共通探索空間（CSS）に属する候補制御チャネルを含まず、前記第2の探索空間が、前記CSSに属する候補制御チャネルおよび特定探索空間（UESS）に属する候補制御チャネルを含む、請求項14に記載の方法。
【請求項１８】
前記ネットワークデバイスにより、第3の探索空間を決定するステップであって、前記第3の探索空間が前記時間窓T内の第3の時間単位にあり、前記第3の時間単位が前記第2の時間単位集合に属する、ステップと、
前記ネットワークデバイスにより、前記第3の探索空間において第3のDCIを送信するステップであって、前記ネットワークデバイスによって前記第2の探索空間において送信された第2のDCIと前記ネットワークデバイスによって前記第3の探索空間において送信された前記第3のDCIとがどちらも前記第2のデータ伝送をスケジュールするために使用される、ステップと
をさらに含む、請求項10に記載の方法。
【請求項１９】
前記第1の探索空間が、第1の端末デバイスによって検出される探索空間であり、前記第2の探索空間が、第2の端末デバイスによって検出される探索空間である、請求項10から18のいずれか一項に記載の方法。
【請求項２０】
前記第1の探索空間が第1の周波数領域リソースに位置し、前記第1の周波数領域リソースは、前記第2のTTI長を有するダウンリンクデータ伝送に使用できない、請求項11から19のいずれか一項に記載の方法。
【請求項２１】
端末デバイスであって、
プロセッサと送受信機とを含み、
前記送受信機は、前記プロセッサと通信接続されており、
前記プロセッサは、第1の探索空間および第2の探索空間のうちの少なくとも1つの探索空間を決定するように構成され、前記第1の探索空間が時間窓T内の第1の時間単位にあり、前記第1の時間単位が第1の時間単位集合に属し、前記第2の探索空間が時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なり、
前記プロセッサは、前記少なくとも1つの探索空間においてダウンリンク制御情報（DCI）の少なくとも一部を検出するように構成される、端末デバイス。
【請求項２２】
前記少なくとも1つの探索空間が前記第1の探索空間であり、DCIの前記少なくとも一部が第1のDCIを含み、かつ前記プロセッサが前記少なくとも1つの探索空間においてDCIの前記少なくとも一部を検出するように構成されることは、前記第1の探索空間において前記第1のDCIを検出することを含み、または
前記少なくとも1つの探索空間が前記第2の探索空間であり、DCIの前記少なくとも一部が第2のDCIを含み、かつ前記プロセッサが前記少なくとも1つの探索空間においてDCIの前記少なくとも一部を検出するように構成されることは、前記第2の探索空間において前記第2のDCIを検出することを含み、または
前記少なくとも1つの探索空間が前記第1の探索空間および前記第2の探索空間を含み、DCIの前記少なくとも一部が第1のDCIおよび第2のDCIを含み、かつ前記プロセッサが前記少なくとも1つの探索空間においてDCIの前記少なくとも一部を検出するように構成されることは、前記第1の探索空間において前記第1のDCIを検出し、前記第2の探索空間において前記第2のDCIを検出することを含み、
前記第1のDCIは、第1のデータ伝送をスケジュールするために使用され、前記第2のDCIは、第2のデータ伝送をスケジュールするために使用され、前記第1のデータ伝送の第1の伝送時間間隔（TTI）長は、前記第2のデータ伝送の第2の伝送時間間隔（TTI）長よりも短い、請求項21に記載の端末デバイス。
【請求項２３】
前記第2の時間単位集合が前記第1の時間単位集合の真部分集合である、請求項21または22に記載の端末デバイス。
【請求項２４】
NT＝2であり、前記第1の時間単位集合が時間単位0および時間単位1を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0および前記時間単位2を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0および前記時間単位3を含むか、もしくは前記時間単位0および前記時間単位4を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0、前記時間単位2、前記時間単位3、および前記時間単位5を含むか、もしくは前記第2の時間単位集合が前記時間単位0、前記時間単位1、前記時間単位3、および前記時間単位5を含むか、もしくは前記第2の時間単位集合が前記時間単位0、前記時間単位1、前記時間単位3、および前記時間単位4を含むか、もしくは前記第2の時間単位集合が前記時間単位0、前記時間単位2、前記時間単位4、および前記時間単位6を含む、請求項23に記載の端末デバイス。
【請求項２５】
前記時間窓Tが1サブフレームであり、前記NT個の時間単位の各々が少なくとも1シンボルを含み、
前記第1のTTI長および前記第2のTTI長が、1ミリ秒、0.5ミリ秒、4シンボルの長さ、3シンボルの長さ、2シンボルの長さ、および1シンボルの長さのうちの2つである、請求項21から24のいずれか一項に記載の端末デバイス。
【請求項２６】
前記第1の時間単位が前記第2の時間単位と同じであり、前記第1の探索空間と前記第2の探索空間とが部分的にまたは完全にオーバーラップする、請求項21から25のいずれか一項に記載の端末デバイス。
【請求項２７】
前記第1の時間単位集合が時間単位iおよび時間単位jを含み、
前記第1の時間単位が前記時間単位iである場合、前記第1の探索空間はM個のリソース要素を占有し、前記第1の時間単位が前記時間単位jである場合、前記第1の探索空間はN個のリソース要素を占有し、MおよびNは自然数であり、MはNと等しくない、請求項21から26のいずれか一項に記載の端末デバイス。
【請求項２８】
前記第2のデータ伝送の前記TTI長が1ミリ秒であり、前記第1の探索空間が、共通探索空間（CSS）に属する候補制御チャネルを含まず、前記第2の探索空間が、前記CSSに属する候補制御チャネルおよび特定探索空間（UESS）に属する候補制御チャネルを含む、請求項25に記載の端末デバイス。
【請求項２９】
前記プロセッサが、第3の探索空間を決定するように構成され、前記第3の探索空間が前記時間窓T内の第3の時間単位にあり、前記第3の時間単位が前記第2の時間単位集合に属し、
前記プロセッサが、前記第3の探索空間において第3のDCIを検出するように構成され、前記プロセッサによって前記第2の探索空間において検出された第2のDCIと前記プロセッサによって前記第3の探索空間において検出された前記第3のDCIとがどちらも前記第2のデータ伝送をスケジュールするために使用される、請求項21に記載の端末デバイス。
【請求項３０】
ネットワークデバイスであって、
プロセッサと送受信機とを含み、
前記送受信機は、前記プロセッサと通信接続されており、
前記プロセッサは、第1の探索空間および第2の探索空間のうちの少なくとも1つの探索空間を決定するように構成され、前記第1の探索空間が時間窓T内の第1の時間単位にあり、前記第1の時間単位が第1の時間単位集合に属し、前記第2の探索空間が前記時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なり、
前記送受信機は、ダウンリンク制御情報（DCI）の少なくとも一部を送信するように構成され、DCIの前記少なくとも一部が前記少なくとも1つの探索空間に位置する、ネットワークデバイス。
【請求項３１】
前記少なくとも1つの探索空間が前記第1の探索空間であり、かつDCIの前記少なくとも一部が第1のDCIを含み、または
前記少なくとも1つの探索空間が前記第2の探索空間であり、かつDCIの前記少なくとも一部が第2のDCIを含み、または
前記少なくとも1つの探索空間が前記第1の探索空間および前記第2の探索空間を含み、かつDCIの前記少なくとも一部が第1のDCIおよび第2のDCIを含み、
前記第1のDCIは前記第1の探索空間に位置し、前記第2のDCIは前記第2の探索空間に位置し、前記第1のDCIは第1のデータ伝送をスケジュールするために使用され、前記第2のDCIは第2のデータ伝送をスケジュールするために使用され、前記第1のデータ伝送の第1の伝送時間間隔（TTI）長は、前記第2のデータ伝送の第2の伝送時間間隔（TTI）長よりも短い、請求項30に記載のネットワークデバイス。
【請求項３２】
前記第2の時間単位集合が前記第1の時間単位集合の真部分集合である、請求項30または31に記載のネットワークデバイス。
【請求項３３】
NT＝2であり、前記第1の時間単位集合が時間単位0および時間単位1を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0および前記時間単位2を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0および前記時間単位3を含むか、もしくは前記時間単位0および前記時間単位4を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0、前記時間単位2、前記時間単位3、および前記時間単位5を含むか、もしくは前記第2の時間単位集合が前記時間単位0、前記時間単位1、前記時間単位3、および前記時間単位5を含むか、もしくは前記第2の時間単位集合が前記時間単位0、前記時間単位1、前記時間単位3、および前記時間単位4を含むか、もしくは前記第2の時間単位集合が前記時間単位0、前記時間単位2、前記時間単位4、および前記時間単位6を含む、請求項32に記載のネットワークデバイス。
【請求項３４】
前記時間窓Tが1サブフレームであり、前記NT個の時間単位の各々が少なくとも1シンボルを含み、
前記第1のTTI長および前記第2のTTI長が、1ミリ秒、0.5ミリ秒、4シンボルの長さ、3シンボルの長さ、2シンボルの長さ、および1シンボルの長さのうちの2つである、請求項30から33のいずれか一項に記載のネットワークデバイス。
【請求項３５】
前記第1の時間単位が前記第2の時間単位と同じであり、前記第1の探索空間と前記第2の探索空間とが部分的にまたは完全にオーバーラップする、請求項30から34のいずれか一項に記載のネットワークデバイス。
【請求項３６】
前記第1の時間単位集合が時間単位iおよび時間単位jを含み、
前記第1の時間単位が前記時間単位iである場合、前記第1の探索空間はM個のリソース要素を占有し、前記第1の時間単位が前記時間単位jである場合、前記第1の探索空間はN個のリソース要素を占有し、MおよびNは自然数であり、MはNと等しくない、請求項30から35のいずれか一項に記載のネットワークデバイス。
【請求項３７】
前記第2のデータ伝送の前記TTI長が1ミリ秒であり、前記第1の探索空間が、共通探索空間（CSS）に属する候補制御チャネルを含まず、前記第2の探索空間が、前記CSSに属する候補制御チャネルおよび特定探索空間（UESS）に属する候補制御チャネルを含む、請求項34に記載のネットワークデバイス。
【請求項３８】
前記プロセッサが、第3の探索空間を決定するように構成され、前記第3の探索空間が前記時間窓T内の第3の時間単位にあり、前記第3の時間単位が前記第2の時間単位集合に属すし、
前記プロセッサが、第3のDCIを送信するように構成され、前記第3のDCIが前記第3の探索空間に位置し、前記プロセッサによって前記第2の探索空間において送信された第2のDCIと前記プロセッサによって前記第3の探索空間において送信された前記第3のDCIとがどちらも前記第2のデータ伝送をスケジュールするために使用される、請求項30に記載のネットワークデバイス。
【請求項３９】
前記第1の探索空間が、第1の端末デバイスによって検出される探索空間であり、前記第2の探索空間が、第2の端末デバイスによって検出される探索空間である、請求項30から38のいずれか一項に記載のネットワークデバイス。
【請求項４０】
前記第1の探索空間が第1の周波数領域リソースに位置し、前記第1の周波数領域リソースは、前記第2のTTI長を有するダウンリンクデータ伝送に使用できない、請求項31から39のいずれか一項に記載のネットワークデバイス。
【発明の詳細な説明】
【技術分野】
【０００１】
本出願は、2016年2月2日に出願された「DOWNLINK CONTROL INFORMATION DETECTION METHOD, DOWNLINK CONTROL INFORMATION SENDING METHOD, AND APPARATUS」という名称の国際特許出願第PCT/CN2016/073210号の優先権を主張するものであり、参照により上記国際出願の全体が本明細書に組み入れられる。
【０００２】
本発明は、通信分野に関し、特に、ダウンリンク制御情報検出方法、ダウンリンク制御情報送信方法、および装置に関する。
【背景技術】
【０００３】
無線通信システムにおいて、端末デバイスは、ダウンリンクデータを受信し、またはアップリンクデータを送信する前に、ネットワークデバイスによって端末デバイスのために構成されたスケジューリング情報、例えば、時間周波数リソース割り振りや変調符号化方式を知る必要がある。また、ネットワークデバイスも端末装置に、アップリンク伝送に関連した電力制御コマンド情報を知らせる必要がある。スケジューリング情報および電力制御コマンド情報は、DCI（downlink control information、ダウンリンク制御情報）に属し、すなわち、DCIはデータ伝送をスケジュールするために使用される。
【０００４】
LTE（Long Term Evolution、ロング・ターム・エボリューション）システムにおいて、ネットワークデバイスは、主に、物理ダウンリンク制御チャネル（PDCCH）を使用してDCIを搬送する。現在定義されているPDCCH、例えば、リリースRel-8で定義されているPDCCHやRel-11で定義されているEPDCCH（enhanced PDCCH、拡張PDCCH）はすべて、1msのTTI（transmission time interval、伝送時間間隔）長を有するデータ伝送をスケジュールするために使用される。しかし、システムにおいては、異なるサービス要件またはシナリオ要件をマッチさせるために、複数のTTI長を有するデータ伝送または複数のスケジューリング優先順位を有するデータ伝送が必要とされる。先行技術では、探索空間は通常、ダウンリンクサブフレームの最初の1シンボル、2シンボル、3シンボル、または4シンボルに位置し、またはPDSCHのシンボル領域に位置する。したがって、既存のLTEシステムにおける探索空間は、サブフレームにおいて1回だけ構成される。複数のTTI長を有するデータ伝送または複数のスケジューリング優先順位を有するデータ伝送では、探索空間の柔軟性が比較的低い。
【発明の概要】
【課題を解決するための手段】
【０００５】
本発明の実施形態は、探索空間を柔軟に構成し、DCIを柔軟に伝送するダウンリンク制御情報検出方法、ダウンリンク制御情報送信方法、および装置を提供する。
【０００６】
第1の態様によれば、ダウンリンク制御情報検出方法が提供され、本方法は、
端末デバイスにより、第1の探索空間および第2の探索空間のうちの少なくとも1つの探索空間を決定するステップであって、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的にまたは完全にオーバーラップし、第1の時間単位が第2の時間単位と同じかまたは異なる、ステップと、
端末デバイスにより、少なくとも1つの探索空間においてダウンリンク制御情報（DCI）の少なくとも一部を検出するステップと
を含む。
【０００７】
任意選択で、少なくとも1つの探索空間は第1の探索空間であり、ダウンリンク制御情報の少なくとも一部は第1のDCIを含み、かつ端末デバイスにより、少なくとも1つの探索空間においてDCIの少なくとも一部を検出するステップは、端末デバイスにより、第1の探索空間において第1のDCIを検出するステップを含み、または
少なくとも1つの探索空間は第2の探索空間であり、ダウンリンク制御情報の少なくとも一部は第2のDCIを含み、かつ端末デバイスにより、少なくとも1つの探索空間においてDCIの少なくとも一部を検出するステップは、端末デバイスにより、第2の探索空間において第2のDCIを検出するステップを含み、または
少なくとも1つの探索空間は第1の探索空間および第2の探索空間を含み、ダウンリンク制御情報の少なくとも一部は第1のDCIおよび第2のDCIを含み、かつ端末デバイスにより、少なくとも1つの探索空間においてDCIの少なくとも一部を検出するステップは、端末デバイスにより、第1の探索空間において第1のDCIを検出し、第2の探索空間において第2のDCIを検出するステップを含み、
第1のDCIは第1のデータ伝送をスケジュールするために使用され、第2のDCIは第2のデータ伝送をスケジュールするために使用され、第1のデータ伝送の第1の伝送時間間隔（TTI）長は、第2のデータ伝送の第2の伝送時間間隔（TTI）長よりも短い。
【０００８】
端末デバイスは、異なるTTI長を有するデータ伝送をスケジュールするために少なくとも2種類のDCIを検出することができ、そのため、異なるTTI長に基づいて端末デバイスとネットワークデバイスとの間でデータ伝送を効果的に行うことができる。
【０００９】
任意選択で、本ダウンリンク制御情報検出方法は、
端末デバイスにより、第3の探索空間を決定するステップであって、第3の探索空間が時間窓T内の第3の時間単位にあり、第3の時間単位が第2の時間単位集合に属する、ステップと、
端末デバイスにより、第3の探索空間において第3のDCIを検出するステップであって、端末デバイスによって第2の探索空間において検出された第2のDCIと端末デバイスによって第3の探索空間において検出された第3のDCIとがどちらも第2のデータ伝送をスケジュールするために使用される、ステップと
をさらに含む。
【００１０】
この任意選択の実施形態によれば、第2のDCIと第3のDCIとがどちらも同じデータ伝送をスケジュールするために使用されるため、第2のデータ伝送が正常にスケジュールされる確率を高めることができる。
【００１１】
第2の態様によれば、ダウンリンク制御情報送信方法が提供され、本方法は、
ネットワークデバイスにより、第1の探索空間および第2の探索空間のうちの少なくとも1つの探索空間を決定するステップであって、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的にまたは完全にオーバーラップし、第1の時間単位が第2の時間単位と同じかまたは異なる、ステップと、
ネットワークデバイスにより、ダウンリンク制御情報（DCI）の少なくとも一部を送信するステップであって、DCIの少なくとも一部が少なくとも1つの探索空間に位置する、ステップと
を含む。
【００１２】
任意選択で、本ダウンリンク制御情報送信方法は、以下をさらに含む。
【００１３】
少なくとも1つの探索空間が第1の探索空間であり、かつダウンリンク制御情報の少なくとも一部が第1のDCIを含み、または
少なくとも1つの探索空間が第2の探索空間であり、かつダウンリンク制御情報の少なくとも一部が第2のDCIを含み、または
少なくとも1つの探索空間が第1の探索空間および第2の探索空間を含み、かつダウンリンク制御情報の少なくとも一部が第1のDCIおよび第2のDCIを含み、
第1のDCIが第1の探索空間に位置し、第2のDCIが第2の探索空間に位置し、第1のDCIが第1のデータ伝送をスケジュールするために使用され、第2のDCIが第2のデータ伝送をスケジュールするために使用され、第1のデータ伝送の第1の伝送時間間隔（TTI）長が、第2のデータ伝送の第2の伝送時間間隔（TTI）長よりも短いこと。
【００１４】
ネットワークデバイスは異なる探索空間において異なるDCIを送信することができる。第1の探索空間は第1の時間単位集合内の任意の時間単位に位置し、第2の探索空間は第2の時間単位集合内の任意の時間単位に位置しうる。この場合、ネットワークデバイスは、第1のDCIが送信される必要があるときにいつでも、第1の時間単位集合内の任意の時間単位において第1のDCIをすぐに送信することができ、ネットワークデバイスは、第2のDCIが送信される必要があるときにいつでも、第2の時間単位集合内の任意の時間単位において第2のDCIをすぐに送信することができる。例えば、時間窓Tが1サブフレームである場合、ネットワークデバイスは、第1のDCIが送信される必要があるときにいつでも、第1の時間単位集合内の任意の時間単位において第1のDCIをすぐに送信することができ、ネットワークデバイスは、第2のDCIが送信される必要があるときにいつでも、第2の時間単位集合内の任意の時間単位において第2のDCIをすぐに送信することができる。これは、伝送を次のサブフレームでしか行えない先行技術と異なる。
【００１５】
任意選択で、本ダウンリンク制御情報送信方法は、
ネットワークデバイスにより、第3の探索空間を決定するステップであって、第3の探索空間が時間窓T内の第3の時間単位にあり、第3の時間単位が第2の時間単位集合に属する、ステップと、
ネットワークデバイスにより、第3の探索空間において第3のDCIを送信するステップであって、ネットワークデバイスによって第2の探索空間において送信された第2のDCIとネットワークデバイスによって第3の探索空間において送信された第3のDCIとがどちらも第2のデータ伝送をスケジュールするために使用される、ステップと
をさらに含む。
【００１６】
任意選択で、本ダウンリンク制御情報送信方法は、以下をさらに含む。
【００１７】
第1の探索空間が、第1の端末デバイスによって検出される探索空間であり、第2の探索空間が、第2の端末デバイスによって検出される探索空間であること。
【００１８】
任意選択で、第1の探索空間は第1の周波数領域リソースに位置し、第1の周波数領域リソースは、第2のTTI長を有するダウンリンクデータ伝送に使用できない。
【００１９】
任意選択で、ダウンリンク制御情報検出方法とダウンリンク制御情報送信方法とは以下をさらに含む。
【００２０】
第2の時間単位集合が第1の時間単位集合の真部分集合であること。
【００２１】
この任意選択の実施形態によれば、第2の時間単位集合は第1の時間単位集合の真部分集合であるため、第1のTTI長が第2のTTI長よりも短い場合、ネットワークデバイスは、第2のDCIを第1のDCIよりも低い周波数で送信しうる。これにより端末デバイスが第2の探索空間を決定し、第2のDCIを検出する周波数を下げることができ、それによって処理の複雑さが低減する。
【００２２】
任意選択で、第1の時間単位集合と第2の時間単位集合とは完全にオーバーラップし、第1のTTI長は2シンボルの長さであり、第2のTTI長は4シンボルの長さである。2シンボルの長さが4シンボルの長さとわずかに異なるため、第1の時間単位集合と第2の時間単位集合とは完全にオーバーラップし、そのため第2のDCIを使用したスケジューリングに成功する確率が高まる。任意選択で、第2のデータ伝送はアップリンクデータ伝送である。
【００２３】
任意選択で、第2の時間単位集合は第1の時間単位集合の真部分集合である。第1のTTI長は2シンボルの長さであり、第2のTTI長は0.5msまたは1msである。2シンボルの長さは0.5msまたは1msの長さと大きく異なるため、第2の時間単位集合は第1の時間単位集合の真部分集合であり、そのためブラインド検出回数が減少する。任意選択で、第2のデータ伝送はダウンリンクデータ伝送またはアップリンクデータ伝送である。
【００２４】
任意選択で、NT＝2であり、第1の時間単位集合は時間単位0および時間単位1を含み、かつ第2の時間単位集合は時間単位0を含み、または
NT＝4であり、第1の時間単位集合は時間単位0、時間単位1、時間単位2、および時間単位3を含み、かつ第2の時間単位集合は時間単位0を含み、または
NT＝4であり、第1の時間単位集合は時間単位0、時間単位1、時間単位2、および時間単位3を含み、かつ第2の時間単位集合は時間単位0および時間単位2を含み、または
NT＝7であり、第1の時間単位集合は時間単位0、時間単位1、時間単位2、時間単位3、時間単位4、時間単位5、および時間単位6を含み、かつ第2の時間単位集合は時間単位0を含み、または
NT＝7であり、第1の時間単位集合は時間単位0、時間単位1、時間単位2、時間単位3、時間単位4、時間単位5、および時間単位6を含み、かつ第2の時間単位集合は時間単位0および時間単位3を含むか、もしくは時間単位0および時間単位4を含み、または
NT＝7であり、第1の時間単位集合は時間単位0、時間単位1、時間単位2、時間単位3、時間単位4、時間単位5、および時間単位6を含み、かつ第2の時間単位集合は時間単位0、時間単位2、時間単位3、および時間単位5を含むか、もしくは第2の時間単位集合は時間単位0、時間単位1、時間単位3、および時間単位5を含むか、もしくは第2の時間単位集合は時間単位0、時間単位1、時間単位3、および時間単位4を含むか、もしくは第2の時間単位集合は時間単位0、時間単位2、時間単位4、および時間単位6を含む。
【００２５】
任意選択で、時間窓Tは1サブフレームであり、NT個の時間単位の各々は少なくとも1シンボルを含み、
第1のTTI長および第2のTTI長は、1ミリ秒、0.5ミリ秒、4シンボルの長さ、3シンボルの長さ、2シンボルの長さ、および1シンボルの長さのうちの2つである。
【００２６】
任意選択で、第1の時間単位は第2の時間単位と同じであり、第1の探索空間と第2の探索空間とは部分的に、または完全にオーバーラップする。
【００２７】
任意選択で、第1の時間単位集合は時間単位iおよび時間単位jを含み、
第1の時間単位が時間単位iである場合、第1の探索空間はM個のリソース要素を占有し、第1の時間単位が時間単位jである場合、第1の探索空間はN個のリソース要素を占有し、MおよびNは自然数であり、MはNと等しくない。
【００２８】
任意選択で、第2のデータ伝送のTTI長は1ミリ秒であり、第1の探索空間は、共通探索空間（CSS）に属する候補制御チャネルを含まず、第2の探索空間は、CSSに属する候補制御チャネルおよび特定探索空間（UESS）に属する候補制御チャネルを含む。
【００２９】
第3の態様によれば、プロセッサと送受信機とを含む端末デバイスが提供され、送受信機はプロセッサと通信し、
プロセッサは、第1の探索空間および第2の探索空間のうちの少なくとも1つの探索空間を決定するように構成され、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なり、
プロセッサは、少なくとも1つの探索空間においてダウンリンク制御情報（DCI）の少なくとも一部を検出するように構成される。
【００３０】
任意選択で、本端末デバイスは以下をさらに含む。
【００３１】
少なくとも1つの探索空間が第1の探索空間であり、ダウンリンク制御情報の少なくとも一部が第1のDCIを含み、かつプロセッサが少なくとも1つの探索空間においてDCIの少なくとも一部を検出するように構成されることが、第1の探索空間において第1のDCIを検出することを含み、または
少なくとも1つの探索空間が第2の探索空間であり、ダウンリンク制御情報の少なくとも一部が第2のDCIを含み、かつプロセッサが少なくとも1つの探索空間においてDCIの少なくとも一部を検出するように構成されることが、第2の探索空間において第2のDCIを検出することを含み、または
少なくとも1つの探索空間が第1の探索空間および第2の探索空間を含み、ダウンリンク制御情報の少なくとも一部が第1のDCIおよび第2のDCIを含み、かつプロセッサが少なくとも1つの探索空間においてDCIの少なくとも一部を検出するように構成されることが、第1の探索空間において第1のDCIを検出し、第2の探索空間において第2のDCIを検出することを含み、
第1のDCIが第1のデータ伝送をスケジュールするために使用され、第2のDCIが第2のデータ伝送をスケジュールするために使用され、第1のデータ伝送の第1の伝送時間間隔（TTI）長が、第2のデータ伝送の第2の伝送時間間隔（TTI）長よりも短いこと。
【００３２】
任意選択で、本端末デバイスは、
プロセッサが、第3の探索空間を決定するように構成され、第3の探索空間が時間窓T内の第3の時間単位にあり、第3の時間単位が第2の時間単位集合に属する、こと、および
プロセッサが、第3の探索空間において第3のDCIを検出するように構成され、プロセッサによって第2の探索空間において検出された第2のDCIとプロセッサによって第3の探索空間において検出された第3のDCIとがどちらも第2のデータ伝送をスケジュールするために使用される、こと
をさらに含む。
【００３３】
第4の態様によれば、プロセッサと送受信機とを含むネットワークデバイスが提供され、送受信機はプロセッサと通信し、
プロセッサは、第1の探索空間および第2の探索空間のうちの少なくとも1つの探索空間を決定するように構成され、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なり、
送受信機は、ダウンリンク制御情報（DCI）の少なくとも一部を送信するように構成され、DCIの少なくとも一部が少なくとも1つの探索空間に位置する。
【００３４】
任意選択で、本ネットワークデバイスは、以下をさらに含む。
【００３５】
少なくとも1つの探索空間が第1の探索空間であり、かつダウンリンク制御情報の少なくとも一部が第1のDCIを含み、または
少なくとも1つの探索空間が第2の探索空間であり、かつダウンリンク制御情報の少なくとも一部が第2のDCIを含み、または
少なくとも1つの探索空間が第1の探索空間および第2の探索空間を含み、かつダウンリンク制御情報の少なくとも一部が第1のDCIおよび第2のDCIを含み、
第1のDCIが第1の探索空間に位置し、第2のDCIが第2の探索空間に位置し、第1のDCIが第1のデータ伝送をスケジュールするために使用され、第2のDCIが第2のデータ伝送をスケジュールするために使用され、第1のデータ伝送の第1の伝送時間間隔（TTI）長が、第2のデータ伝送の第2の伝送時間間隔（TTI）長よりも短いこと。
【００３６】
任意選択で、本ネットワークデバイスは、以下をさらに含む。
【００３７】
プロセッサが、第3の探索空間を決定するように構成され、第3の探索空間が時間窓T内の第3の時間単位にあり、第3の時間単位が第2の時間単位集合に属する、こと、および
プロセッサが、第3のDCIを送信するように構成され、第3のDCIが第3の探索空間に位置し、プロセッサによって第2の探索空間において送信された第2のDCIとプロセッサによって第3の探索空間において送信された第3のDCIとがどちらも第2のデータ伝送をスケジュールするために使用される、こと。
【００３８】
任意選択で、本ネットワークデバイスは、以下をさらに含む。
【００３９】
第1の探索空間が、第1の端末デバイスによって検出される探索空間であり、第2の探索空間が、第2の端末デバイスによって検出される探索空間であること。
【００４０】
任意選択で、第1の探索空間は第1の周波数領域リソースに位置し、第1の周波数領域リソースは、第2のTTI長を有するダウンリンクデータ伝送に使用できない。
【００４１】
任意選択で、端末デバイスおよびネットワークデバイスは、以下をさらに含む。
【００４２】
第2の時間単位集合が第1の時間単位集合の真部分集合であること。
【００４３】
任意選択で、第1の時間単位集合と第2の時間単位集合とは完全にオーバーラップし、第1のTTI長は2シンボルの長さであり、第2のTTI長は4シンボルの長さである。2シンボルの長さが4シンボルの長さとわずかに異なるため、第1の時間単位集合と第2の時間単位集合とは完全にオーバーラップし、そのため第2のDCIを使用したスケジューリングに成功する確率が高まる。任意選択で、第2のデータ伝送はアップリンクデータ伝送である。
【００４４】
任意選択で、第2の時間単位集合は第1の時間単位集合の真部分集合である。第1のTTI長は2シンボルの長さであり、第2のTTI長は0.5msまたは1msである。2シンボルの長さは0.5msまたは1msの長さと大きく異なるため、第2の時間単位集合は第1の時間単位集合の真部分集合であり、そのためブラインド検出回数が減少する。任意選択で、第2のデータ伝送はダウンリンクデータ伝送またはアップリンクデータ伝送である。
【００４５】
任意選択で、NT＝2であり、第1の時間単位集合は時間単位0および時間単位1を含み、かつ第2の時間単位集合は時間単位0を含み、または
NT＝4であり、第1の時間単位集合は時間単位0、時間単位1、時間単位2、および時間単位3を含み、かつ第2の時間単位集合は時間単位0を含み、または
NT＝4であり、第1の時間単位集合は時間単位0、時間単位1、時間単位2、および時間単位3を含み、かつ第2の時間単位集合は時間単位0および時間単位2を含み、または
NT＝7であり、第1の時間単位集合は時間単位0、時間単位1、時間単位2、時間単位3、時間単位4、時間単位5、および時間単位6を含み、かつ第2の時間単位集合は時間単位0を含み、または
NT＝7であり、第1の時間単位集合は時間単位0、時間単位1、時間単位2、時間単位3、時間単位4、時間単位5、および時間単位6を含み、かつ第2の時間単位集合は時間単位0および時間単位3を含むか、もしくは時間単位0および時間単位4を含み、または
NT＝7であり、第1の時間単位集合は時間単位0、時間単位1、時間単位2、時間単位3、時間単位4、時間単位5、および時間単位6を含み、かつ第2の時間単位集合は時間単位0、時間単位2、時間単位3、および時間単位5を含むか、もしくは第2の時間単位集合は時間単位0、時間単位1、時間単位3、および時間単位5を含むか、もしくは第2の時間単位集合は時間単位0、時間単位1、時間単位3、および時間単位4を含むか、もしくは第2の時間単位集合は時間単位0、時間単位2、時間単位4、および時間単位6を含む。
【００４６】
任意選択で、時間窓Tは1サブフレームであり、NT個の時間単位の各々は少なくとも1シンボルを含み、
第1のTTI長および第2のTTI長は、1ミリ秒、0.5ミリ秒、4シンボルの長さ、3シンボルの長さ、2シンボルの長さ、および1シンボルの長さのうちの2つである。
【００４７】
任意選択で、第1の時間単位は第2の時間単位と同じであり、第1の探索空間と第2の探索空間とは部分的にまたは完全にオーバーラップする。
【００４８】
任意選択で、第1の時間単位集合は時間単位iおよび時間単位jを含み、
第1の時間単位が時間単位iである場合、第1の探索空間はM個のリソース要素を占有し、第1の時間単位が時間単位jである場合、第1の探索空間はN個のリソース要素を占有し、MおよびNは自然数であり、MはNと等しくない。
【００４９】
任意選択で、第2のデータ伝送のTTI長は1ミリ秒であり、第1の探索空間は、共通探索空間（CSS）に属する候補制御チャネルを含まず、第2の探索空間は、CSSに属する候補制御チャネルおよび特定探索空間（UESS）に属する候補制御チャネルを含む。
【００５０】
本発明の実施形態によれば、第1の探索空間は第1の時間単位にあり、第2の探索空間は第2の時間単位にあり、第1の時間単位と第2の時間単位とは、第1の時間単位集合と第2の時間単位集合とにそれぞれ属する。しかし、第1の時間単位集合と第2の時間単位集合とは部分的にまたは完全にオーバーラップし、そのため、ネットワークデバイスは、探索空間をより柔軟に決定し、異なる探索空間に対して、異なるデータ伝送をスケジュールするために使用されるDCIを構成することができ、それに対応して、端末デバイスは、複数のTTI長を有するデータ伝送または複数のスケジューリング優先順位を有するデータ伝送をサポートするために、異なる探索空間において、異なるデータ伝送をスケジュールするために使用されるDCIを検出しうる。
【図面の簡単な説明】
【００５１】
【図１】本発明の一実施形態によるダウンリンク制御情報検出方法の概略的流れ図である。
【図２ａ】本発明の一実施形態による、1サブフレームが複数の時間単位を含む概略図である。
【図２ｂ】本発明の一実施形態による、1サブフレームが複数の時間単位を含む概略図である。
【図３】本発明の一実施形態による、第1の探索空間が第2の探索空間と同じである概略図である。
【図４ａ】本発明の一実施形態による、DCIがデータ伝送を指示する概略図である。
【図４ｂ】本発明の一実施形態による、DCIがデータ伝送を指示する概略図である。
【図４ｃ】本発明の一実施形態による、DCIがデータ伝送を指示する概略図である。
【図４ｄ】本発明の一実施形態による、DCIがデータ伝送を指示する概略図である。
【図４ｆ】本発明の一実施形態による、DCIがデータ伝送を指示する概略図である。
【図４ｇ】本発明の一実施形態による、DCIがデータ伝送を指示する概略図である。
【図４ｈ】本発明の一実施形態による、DCIがデータ伝送を指示する概略図である。
【図５】本発明の一実施形態によるダウンリンク制御情報送信方法の概略的流れ図である。
【図６ａ】本発明の一実施形態による、探索空間が時間周波数リソースを占有する概略図である。
【図６ｂ】本発明の一実施形態による、探索空間が時間周波数リソースを占有する概略図である。
【図７】本発明の一実施形態による第1の例の概略図である。
【図８】本発明の一実施形態による第2の例の概略図である。
【発明を実施するための形態】
【００５２】
本発明の好ましい実施形態の解決策の理解を容易にするために、本発明の実施形態に記載される基本概念についてまず説明する。本発明の実施形態を、LTEシステムを例にとって説明するが、これは、本発明の実施形態がLTEシステムだけに適用できること意味せず、実際には、DCIを使用したどんな無線通信システムスケジューリングデータ伝送でも本発明の実施形態において提供される技術的解決策を使用することができることに留意されたい。加えて、本発明の実施形態におけるDCIは、データ伝送をスケジュールするために使用される情報を意味するが、LTEにおけるダウンリンク制御情報だけに限定されない。
【００５３】
1．フレーム構造
【００５４】
LTEシステムの1無線フレーム（radio frame）は10サブフレーム（subframe）を含み、各サブフレームの長さは1ミリ秒（ms）であり、各サブフレームは2タイムスロット（slot）を含み、各タイムslotの長さは0.5msである。
【００５５】
各タイムスロットに含まれるシンボルの数は、1サブフレーム内のCP（cyclic prefix、サイクリックプレフィックス）の長さに関連している。CPがnormal（通常の）CPである場合、各タイムslotは7シンボルを含み、各サブフレームは14シンボルを含む。例えば、各サブフレームは、その順序番号が、それぞれ、＃0、＃1、＃2、＃3、＃4、＃5、＃6、＃7、＃8、＃9、＃10、＃11、＃12、および＃13であるシンボルを含む。CPがextended（拡張）CPである場合、各タイムスロットは6シンボルを含み、各サブフレームは12シンボルを含む。例えば、各サブフレームは、その順序番号が、それぞれ、＃0、＃1、＃2、＃3、＃4、＃5、＃6、＃7、＃8、＃9、＃10、および＃11であるシンボルを含む。
【００５６】
本発明の実施形態では、アップリンクシンボルとダウンリンクシンボルの両方を略してシンボルと呼ぶ。アップリンクシンボルはシングルキャリア周波数分割多元接続（single carrier-frequency division multiple access、SC-FDMA）シンボルであり、ダウンリンクシンボルは直交周波数分割多元接続（orthogonal frequency division multiplexing、OFDM）シンボルである。後続の技術に直交周波数分割多元接続（Orthogonal Frequency Division Multiple Access、OFDMA）のアップリンク多元接続方式が導入される場合、アップリンクシンボルは別の種類の実施形態、例えば、OFDMシンボルでありうることに留意されたい。アップリンク多元接続方式およびダウンリンク多元接続方式は本発明においては限定されない。
【００５７】
2．リソース要素
【００５８】
リソース要素（resource element、RE）とは、時間周波数領域における最小単位であり、インデックス対（k，l）によって一意に識別され、kはサブキャリアインデックスであり、lはシンボルインデックスである。当然ながら、リソース要素は、代替として、別の形の識別子によって識別されてもよい。
【００５９】
3．ダウンリンク制御チャネルおよび探索空間
【００６０】
ダウンリンク制御チャネルはDCIを搬送するために使用されるチャネルであり、すなわち、DCIはダウンリンク制御チャネル上で搬送される。ダウンリンク制御チャネルは、PDCCHまたはEPDCCHであってよく、DCIを搬送するために使用される、将来のバージョンで定義されるチャネルであってもよい。例えば、DCIを搬送するチャネルがPDSCH領域に位置する場合、このチャネルはダウンリンク制御チャネルともみなされる。例えば、DCIを搬送するチャネルがPDSCHである場合、PDSCHはダウンリンク制御チャネルともみなされる。
【００６１】
任意選択で、ダウンリンク制御チャネルはL個のCCE（control channel element、制御チャネル要素）を集約することによって形成され、Lは正の整数であり、AL（aggregation level、集約レベル）と呼ばれる。例えば、PDCCHでは、Lは、1、2、4、または8でありうる。例えば、EPDCCHでは、Lは、1、2、4、8、16、または32でありうる。異なる種類のダウンリンク制御チャネルでは、各CCEに含まれるREの数は異なりうる。これについては本明細書ででは限定されない。
【００６２】
探索空間は、1または複数の候補ダウンリンク制御チャネルを含み、各候補ダウンリンク制御チャネルは、DCIを搬送するために使用することができる。簡単にいうと、探索空間は、候補ダウンリンク制御チャネルの集合である。端末デバイスは、ダウンリンク制御チャネル上でリッスンする必要があり、したがって、探索空間は、端末デバイスがリッスンする候補ダウンリンク制御チャネルの集合である。例えば、探索空間は、1または複数のPDCCHを含み、探索空間は、PDCCH探索空間と呼ばれうる。例えば、探索空間は、1または複数のEPDCCHを含み、探索空間は、EPDCCH探索空間と呼ばれうる。
【００６３】
探索空間には、CSS（common search space、共通探索空間）とUESS（UE specific search space、ユーザ機器特定探索空間）の2種類が含まれる。CSSは、セル内の複数の端末デバイスがリッスンする必要のある探索空間であり、UESSは、セル内の特定の端末デバイスがリッスンする必要のある探索空間である。
【００６４】
それに対応して、PDCCH UESSは、Rel-8で定義されたPDCCHを含むUESSであり、PDCCH CSSは、Rel-8で定義されたPDCCHを含むCSSであり、EPDCCH UESSは、Rel-11で定義されたEPDCCHを含むUESSである。
【００６５】
4．TTI長
【００６６】
現在、LTE内の様々な物理チャネルは、1msのTTI長に基づいて設計されている。TTI長は1msであるが、データ伝送のために占有される時間領域リソースは1ms未満でありうることに留意されたい。例えば、ダウンリンクサブフレーム内の最初の1シンボル、2シンボル、3シンボル、または4シンボルは、PDCCHの伝送に使用され、したがって、1msのTTI長を有するダウンリンクデータ伝送のために占有される時間領域リソースは1ms未満でありうる。別の例として、アップリンクサブフレーム内の最後のシンボルはSRS（Sounding Reference Signal、サウンディング参照信号）の伝送に使用され、したがって、1msのTTI長を有するアップリンクデータ伝送のために占有される時間領域リソースも1ms未満でありうる。
【００６７】
短いTTIデータ伝送とは、データ伝送のTTI長が1サブフレームまたは1ms未満であることを意味する。例えば、短いTTI長は0.5ms、4シンボルの長さ、3シンボルの長さ、2シンボルの長さ、または1シンボルの長さである。同様に、短いTTIデータ伝送のために占有される時間領域リソースも短いTTI長未満でありうる。
【００６８】
以下で、本明細書の添付図面を参照して本発明の実施態様について詳述する。
【００６９】
本発明の実施形態は、探索空間を柔軟に構成し、DCIを柔軟に伝送するダウンリンク制御情報検出方法、ダウンリンク制御情報送信方法、および装置を提供する。
【００７０】
本発明の実施形態は、ネットワークデバイスと端末デバイス（terminal device or terminal equipment）とを含む無線通信システムに適用されうる。記載される端末デバイスは、ユーザに音声および／またはデータ接続を提供するデバイス、無線接続機能を備えるハンドヘルドデバイス、または無線モデムに接続された別の処理装置であってよい。無線端末は、無線アクセスネットワーク（例えば、RAN、Radio Access Network）を介して1つまたは複数のコアネットワークと通信することができる。無線端末は、携帯電話機（「セルラ」電話機ともいう）や移動端末を備えるコンピュータといった移動端末であってよく、例えば、無線アクセスネットワークと音声および／またはデータを交換する、携帯型、ポケットサイズ、ハンドヘルド型、コンピュータ内蔵型、または車載型のモバイル装置であってもよい。例えば、無線端末は、パーソナル通信サービス（PCS、Personal Communication Service）電話機、コードレス電話セット、セッション開始プロトコル（SIP）電話機、ワイヤレス・ローカル・ループ（WLL、Wireless Local Loop）局、携帯情報端末（PDA、Personal Digital Assistant）といったデバイスである。無線端末は、システム、加入者ユニット（Subscriber Unit）、加入者局（Subscriber Station）、移動局（Mobile Station）、移動局（Mobile）、リモート局（Remote Station）、アクセスポイント（Access Point）、リモート端末（Remote Terminal）、アクセス端末（Access Terminal）、ユーザ端末（User Terminal）、ユーザエージェント（User Agent）、ユーザデバイス（User Device）、またはユーザ機器（User Equipment）とも呼ばれうる。ネットワークデバイスは、基地局、エンハンスト基地局、スケジューリング機能を有するリレー、または基地局機能を有するデバイスであってよい。基地局は、LTEシステムの進化型NodeB（evolved Node B、eNBまたはe-NodeB）であってもよく、別のシステムの基地局で
あってもよい。これについては本発明の実施形態では限定されない。
【００７１】
図1は、本発明の一実施形態によるダウンリンク制御情報検出方法の概略的流れ図である。この方法は以下のステップを含む。
【００７２】
ステップ101：端末デバイスが、第1の探索空間および第2の探索空間のうちの少なくとも1つの探索空間を決定し、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なる。
【００７３】
ステップ102：端末デバイスは少なくとも1つの探索空間においてDCIの少なくとも一部を検出する。
【００７４】
DCIはデータ伝送を指示するために使用される。言い換えると、DCIはデータパケットをスケジュールするために使用される。例えば、DCIはPUSCHまたはPDSCHをスケジュールするために使用される。任意選択で、DCIはデータ伝送をスケジュールするために使用されるが、DCIは、データ伝送をトリガするのではなく、データ伝送のスケジューリング情報を指示するためにのみ使用されてもよい。したがって、データ伝送を行う前に、端末デバイスは、ネットワークデバイスによって端末デバイスに送信されたDCIを検出する必要がある。しかし、DCIを搬送するダウンリンク制御チャネルは、探索空間内の候補ダウンリンク制御チャネルである。したがって、端末デバイスは探索空間を決定する必要がある。
【００７５】
本発明の本実施形態では、任意選択で、複数のTTI長を有するデータ伝送をスケジュールするために使用される様々なDCIがある場合、複数の探索空間が決定されうる。
【００７６】
一実施形態において、少なくとも1つの探索空間は第1の探索空間であり、DCIの少なくとも一部は第1のDCIを含む。この場合、ネットワークデバイスが第1のDCIを送信する場合には、第1のDCIは第1の探索空間に位置する。具体的には、第1のDCIは第1の探索空間内の候補ダウンリンク制御チャネル上で搬送され、第1のDCIは第1のデータ伝送をスケジュールするために使用される。第1のデータ伝送はダウンリンクデータ伝送またはアップリンクデータ伝送である。
【００７７】
別の実施形態において、少なくとも1つの探索空間は第2の探索空間であり、DCIの少なくとも一部は第2のDCIを含む。この場合、ネットワークデバイスが第2のDCIを送信する場合には、第2のDCIは第2の探索空間に位置する。具体的には、第2のDCIは第2の探索空間内の候補ダウンリンク制御チャネル上で搬送され、第2のDCIは第2のデータ伝送をスケジュールするために使用される。第2のデータ伝送はダウンリンクデータ伝送またはアップリンクデータ伝送である。
【００７８】
さらに別の実施形態において、少なくとも1つの探索空間は第1の探索空間および第2の探索空間を含み、DCIの少なくとも一部は第1のDCIおよび第2のDCIを含む。この場合、ネットワークデバイスが第1のDCIを送信する場合には、第1のDCIは第1の探索空間に位置し、ネットワークデバイスが第2のDCIを送信する場合には、第2のDCIは第2の探索空間に位置する。第1のDCIは第1のデータ伝送をスケジュールするために使用され、第2のDCIは第2のデータ伝送をスケジュールするために使用される。第1のデータ伝送と第2のデータ伝送とはどちらもダウンリンクデータ伝送もしくはアップリンクデータ伝送であり、第1のデータ伝送はダウンリンクデータ伝送であり、第2のデータ伝送はアップリンクデータ伝送であり、または第1のデータ伝送はアップリンクデータ伝送であり、第2のデータ伝送はダウンリンクデータ伝送である。端末デバイスによる第1の探索空間の決定と第2の探索空間の決定との間には厳密な時間順序関係はないことに留意されたい。例えば、端末デバイスはまず第1の探索空間を決定し、次いで第2の探索空間を決定してもよく、まず第2の探索空間を決定し、次いで第1の探索空間を決定してもよく、または第1の探索空間と第2の探索空間とを同時に決定してもよい。
【００７９】
任意選択で、前述のダウンリンクデータ伝送はPDSCH伝送であり、アップリンクデータ伝送はPUSCH伝送でありうる。
【００８０】
任意選択で、第1のTTI長が第2のTTI長よりも短い。第1のTTI長は第1のデータ伝送のTTI長であり、第2のTTI長は第2のデータ伝送のTTI長である。簡単にいうと、第1のデータ伝送の第1のTTI長は第2のデータ伝送の第2のTTI長よりも短い。
【００８１】
任意選択で、第1のTTI長および第2のTTI長は、1ms、0.5ms、4シンボルの長さ、3シンボルの長さ、2シンボルの長さ、および1シンボルの長さのうちの2つである。第1のTTI長は第2のTTI長よりも短い。例えば、第1のTTI長は短いTTI長であり、第2のTTI長は1サブフレームまたは1msである。
【００８２】
本発明の本実施形態では、時間窓Tは、時間単位0、…、時間単位NT−1として記録されうるNT個の時間単位を含み、NTは2以上の整数である。当然ながら、NT個の時間単位は、代替として、時間単位1、…、時間単位NTとして記録されてもよく、別の形で記録されてもよい。これについては本発明では限定されない。本発明の本実施形態は、時間単位0、…、時間単位NT−1を例にとって説明されている。時間窓Tは、Tの時間長を有する期間を表す。例えば、時間窓Tは1サブフレームまたは1msである。時間窓Tは、代替として、任意の他の適切な時間長であってもよい。例えば、時間窓Tは1msよりも大または小である。
【００８３】
本発明の本実施形態では、第1の時間単位集合および第2の時間単位集合はNT個の時間単位の部分集合である。例えば、第1の時間単位集合は、NT個の時間単位を含み、またはNT個の時間単位のうちのいくつかを含む。例えば、第2の時間単位集合は、NT個の時間単位を含み、またはNT個の時間単位のうちのいくつかを含む。任意選択で、第1の時間単位集合はX時間単位を含み、Xは2以上の整数である。例えば、時間窓Tは1サブフレームであり、14シンボルを含み、第1のTTI長は2シンボルの長さであり、第1の時間単位集合に含まれる時間単位の数は7、6、または5である。例えば、時間窓Tは1サブフレームであり、14シンボルを含み、第1のTTI長は4シンボルまたは3シンボルの長さであり、第1の時間単位集合に含まれる時間単位の数は4である。第1の探索空間は第1の時間単位集合内の任意の時間単位に位置しうるため、第1のDCIが送信される必要があるときにいつでも、ネットワークデバイスは第1の時間単位集合内の任意の時間単位において第1のDCIをすぐに送信することができる。これは、伝送を次のサブフレームでしか行えない先行技術と異なる。このようにして、データ伝送スケジューリング遅延が実質的に低減される。任意選択で、第2の時間単位集合はY時間単位を含み、YはX以下の正の整数である。第1の時間単位集合と第2の時間単位集合とが部分的に、または完全にオーバーラップする。第1の時間単位は第2の時間単位と同じかまたは異なる。
【００８４】
本発明の本実施形態では、任意選択で、第2の時間単位集合が第1の時間単位集合の真部分集合である。例えば、第2のTTI長が第1のTTI長よりも長い場合、ネットワークデバイスは、第1のDCIより低い周波数で第2のDCIを送信しうる。したがって、本方法によれば、端末デバイスが第2の探索空間を決定し、第2のDCIを検出する周波数を下げることができ、それによって処理の複雑さが低減する。
【００８５】
例えば、NTは2であり、すなわち、1つの時間窓Tは合計で2時間単位、時間単位0および時間単位1を含み、第1の時間単位集合は時間単位0および時間単位1を含み、第2の時間単位集合は時間単位0を含む。この場合、第1の時間単位集合と第2の時間単位集合とは部分的にオーバーラップする。加えて、第2の時間単位集合は第1の時間単位集合の真部分集合である。第1の時間単位は、第1の時間単位集合内の時間単位0または時間単位1とすることができ、第1の探索空間は、時間単位0または時間単位1にあり、第2の時間単位は、第2の時間単位集合内の時間単位0とすることができ、第2の探索空間は時間単位0にある。
【００８６】
本発明の本実施形態では、任意選択で、第1の時間単位集合と第2の時間単位集合とは完全にオーバーラップする。ネットワークデバイスは、第2のDCIを第1のDCIより低い周波数で送信しうるが、本方法によれば第2のDCIを送信する機会を増やすことができ、そのためネットワークデバイスは第2のDCIをより柔軟に構成し、送信することができ、それによって、第2のDCIを使用したスケジューリングに成功する確率が高まる。
【００８７】
例えば、第1の時間単位集合と第2の時間単位集合とは完全にオーバーラップし、第1のTTI長は2シンボルの長さであり、第2のTTI長は4シンボルの長さである。2シンボルの長さが4シンボルの長さとわずかに異なるため、第1の時間単位集合と第2の時間単位集合とは完全にオーバーラップし、そのため第2のDCIを使用したスケジューリングに成功する確率が高まる。任意選択で、第2のデータ伝送はアップリンクデータ伝送である。
【００８８】
例えば、第2の時間単位集合は第1の時間単位集合の真部分集合であり、第1のTTI長は2シンボルの長さであり、第2のTTI長は0.5msまたは1msである。2シンボルの長さは0.5msまたは1msの長さと大きく異なるため、第2の時間単位集合は第1の時間単位集合の真部分集合であり、そのためブラインド検出回数が減少する。任意選択で、第2のデータ伝送はダウンリンクデータ伝送またはアップリンクデータ伝送である。
【００８９】
例えば、NTは2であり、すなわち、1つの時間窓Tは合計で2時間単位、時間単位0および時間単位1を含み、第1の時間単位集合は時間単位0および時間単位1を含み、第2の時間単位集合は時間単位0をおよび時間単位1含む。この場合、第1の時間単位集合と第2の時間単位集合とは完全にオーバーラップする。第1の時間単位は、第1の時間単位集合内の時間単位0または時間単位1とすることができ、第1の探索空間は、時間単位0または時間単位1にあり、第2の時間単位は、第2の時間単位集合内の時間単位0または時間単位1とすることができ、第2の探索空間は、時間単位0または時間単位1にある。
【００９０】
任意選択で、端末デバイスが第1の探索空間および第2の探索空間のうちの少なくとも1つの探索空間を決定する前に、本発明の本実施形態は、端末デバイスが、ネットワークデバイスから受信したシグナリングに基づいて第1の時間単位集合および／または第2の時間単位集合を決定するステップ、をさらに含みうる。シグナリングは、上位層シグナリングまたは物理層シグナリングであってよい。このようにして、ネットワークデバイスは、現在の負荷などの状況に基づいて適時に第1の時間単位集合および／または第2の時間単位集合の1または複数のサイズを調整することができる。ネットワークデバイスによって通知された第1の時間単位集合および／または第2の時間単位集合が相対的に小さい場合、端末デバイスは、探索空間決定回数およびDCI検出回数を減らすことができる。
【００９１】
任意選択で、端末デバイスが、第1の探索空間および第2の探索空間のうちの少なくとも1つの探索空間を決定するステップは、端末デバイスが、ネットワークデバイスから受信したシグナリングに基づいて第1の時間単位を取得し、第1の時間単位において第1の探索空間を決定するステップと、端末デバイスが、ネットワークデバイスから受信したシグナリングに基づいて第2の時間単位を取得し、第2の時間単位において第2の探索空間を決定するステップと、端末デバイスが、ネットワークデバイスから受信したシグナリングに基づいて第1の時間単位および第2の時間単位を取得し、第1の時間単位において第1の探索空間を決定し、第2の時間単位において第2の探索空間を決定するステップと、を含みうる。シグナリングは、上位層シグナリングまたは物理層シグナリングであってよい。
【００９２】
任意選択で、端末デバイスが、第1の探索空間および第2の探索空間のうちの少なくとも1つの探索空間を決定するステップは、以下の動作として行われうる。端末デバイスは、時間窓T内に、時間単位における第1の探索空間および第2の探索空間のうちの少なくとも1つを、時間単位0から時間単位NT−1までシーケンス内で1つずつ決定する。具体的には、時間窓T内の時間単位kが第1の時間単位集合に属する場合、端末デバイスは時間単位kにおいて第1の探索空間を決定し、かつ／または時間単位kが第2の時間単位集合に属する場合、時間単位kにおいて第2の探索空間を決定し、kは、0以上、NT未満の整数である。例えば、NTは2であり、第1の時間単位集合は時間単位0および時間単位1を含み、第2の時間単位集合は時間単位0を含む。この場合、時間単位0は第1の時間単位集合と第2の時間単位集合とに属し、そのため端末デバイスは、時間単位0において第1の探索空間および第2の探索空間を決定し、端末デバイスは、決定された第1の探索空間および第2の探索空間においてDCIを検出することができ、時間単位1は第1の時間単位集合に属するが第2の時間単位集合には属さず、そのため端末デバイスは、時間単位1において第1の探索空間のみを決定し、端末デバイスは、決定された第1の探索空間においてDCIを検出しうる。
【００９３】
任意選択で、端末デバイスが、第1の探索空間および第2の探索空間のうちの少なくとも1つの探索空間を決定するステップは、以下の動作として行われうる。端末デバイスは、第1の時間単位集合内の時間単位において第1の探索空間を決定し、第2の時間単位集合内の時間単位において第2の探索空間を決定する。例えば、NTは2であり、第1の時間単位集合は時間単位0および時間単位1を含み、第2の時間単位集合は時間単位0を含む。この場合、端末デバイスは、時間単位0および時間単位0において別々に第1の探索空間を決定し、時間単位0において第2の探索空間を決定する。端末デバイスは、第1の探索空間において第1のDCIを検出し、第2の探索空間において第2のDCIを検出しうる。
【００９４】
以下で、本発明の本実施形態を、時間窓Tが1サブフレームまたは1msである例を使用して説明するが、これは、本発明の本実施形態の時間窓Tが1サブフレームまたは1msでしかありえないことを意味するものではない。実際には、本発明の本実施形態の時間窓Tは任意の適切な時間長でとすることができる。
【００９５】
任意選択で、NTが2である場合、1サブフレームに含まれる2時間単位は時間単位0および時間単位1である。時間単位0はサブフレームの第1のタイムスロットに位置し、時間単位1はサブフレームの第2のタイムスロットに位置し、時間単位0と時間単位1とはどちらも0.5msである。したがって、通常のCPでは、図2aに示すように、時間単位0はシンボル集合｛＃0，＃1，＃2，＃3，＃4，＃5，＃6｝に位置し、時間単位1はシンボル集合｛＃7，＃8，＃9，＃10，＃11，＃12，＃13｝に位置し、拡張CPでは、時間単位0はシンボル集合｛＃0，＃1，＃2，＃3，＃4，＃5｝に位置し、時間単位1はシンボル集合｛＃6，＃7，＃8，＃9，＃10，＃11｝に位置する。
【００９６】
NTが2である場合の、第1の時間単位集合および第2の時間単位集合の2グループの任意選択の組み合わせが表1に記載されている。例えば、第1の時間単位集合は時間単位0および時間単位1を含み、第2の時間単位集合は時間単位0を含む。別の例として、第1の時間単位集合は時間単位0および時間単位1を含み、第2の時間単位集合は時間単位0および時間単位1を含む。第1のTTI長は0.5msであり、第2のTTI長は1msである。表1に記載されている第1の時間単位集合と第2の時間単位集合の任意の組み合わせが別々の実施形態として使用されうることに留意されたい。第1の時間単位集合と第2の時間単位集合の組み合わせは表1の方法だけに限定されず、代替として別の方法でもよいことに留意されたい。
【００９７】
【表１】
2019503634.tif 000003
【００９８】
任意選択で、NTが4である場合、1サブフレームに含まれる4時間単位は時間単位0、時間単位1、時間単位2、および時間単位3である。4時間単位のいずれかの時間長は3シンボルまたは4シンボルの長さでありうる。任意選択で、通常のCPでは、時間単位が以下の2つの構造のどちらかに基づいて分割されうる。構造1：図2bに示すように、時間単位0はシンボル集合｛＃0，＃1，＃2，＃3｝に位置し、時間単位1はシンボル集合｛＃4，＃5，＃6｝に位置し、時間単位2はシンボル集合｛＃7，＃8，＃9，＃10｝に位置し、時間単位3はシンボル集合｛＃11，＃12，＃13｝に位置する。構造2：時間単位0はシンボル集合｛＃0，＃1，＃2｝に位置し、時間単位1はシンボル集合｛＃3，＃4，＃5，＃6｝に位置し、時間単位2はシンボル集合｛＃7，＃8，＃9｝に位置し、時間単位3はシンボル集合｛＃10，＃11，＃12，＃13｝に位置する。任意選択で、拡張CPでは、連続した3シンボルずつが時間単位を形成する。具体的には、時間単位0はシンボル集合｛＃0，＃1，＃2｝に位置し、時間単位1はシンボル集合｛＃3，＃4，＃5｝に位置し、時間単位2はシンボル集合｛＃6，＃7，＃8｝に位置し、時間単位3はシンボル集合｛＃9，＃10，＃11｝に位置する。時間窓T内のNT個の時間単位の任意の2つ時間長は異なりうることに留意されたい。例えば、構造1と構造2では、時間単位集合内の時間単位の時間長は2シンボルまたは4シンボルの長さでありうる。
【００９９】
NTが4である場合の、第1の時間単位集合および第2の時間単位集合の5グループの任意選択の組み合わせが表2に記載されている。例えば、第1の時間単位集合は時間単位0、時間単位1、時間単位2、および時間単位3を含み、第2の時間単位集合は時間単位0を含み、または第2の時間単位集合は時間単位0および時間単位2を含み、または第2の時間単位集合は時間単位0、時間単位1、時間単位2、および時間単位3を含み；第1の時間単位集合は時間単位0および時間単位2を含み、第2の時間単位集合は時間単位0を含み、または第2の時間単位集合は時間単位0および時間単位2を含む。表2に記載されている第1の時間単位集合と第2の時間単位集合の任意の組み合わせが別々の実施形態として使用されうることに留意されたい。第1の時間単位集合と第2の時間単位集合の組み合わせは表2の方法だけに限定されず、代替として別の方法でもよいことに留意されたい。
【０１００】
【表２】
2019503634.tif 000004
【０１０１】
任意選択で、NTが7または14である場合、1サブフレームは時間単位0、時間単位1、時間単位2、時間単位3、時間単位4、時間単位5および時間単位6を含み、または時間単位0、時間単位1、時間単位2、時間単位3、時間単位4、時間単位5、時間単位6、時間単位7、時間単位8、時間単位9、時間単位10、時間単位11、時間単位12、および時間単位13を含む。したがって、通常のCPでは、2シンボルずつが時間単位でありまたは各シンボルが時間単位である。
【０１０２】
任意選択で、NTが6または12である場合、1サブフレームは時間単位0、時間単位1、時間単位2、時間単位3、時間単位4、および時間単位5を含み、または時間単位0、時間単位1、時間単位2、時間単位3、時間単位4、時間単位5、時間単位6、時間単位7、時間単位8、時間単位9、時間単位10、および時間単位11を含む。したがって、拡張CPでは、2シンボルずつが時間単位であり、または各シンボルが時間単位である。
【０１０３】
任意選択で、通常のCPでは、NTが6である場合、1サブフレームは時間単位0、時間単位1、時間単位2、時間単位3、時間単位4、および時間単位5を含む。任意選択で、時間単位0はシンボル集合｛＃0，＃1，＃2｝に位置し、時間単位1はシンボル集合｛＃3，＃4｝に位置し、時間単位2はシンボル集合｛＃5，＃6｝に位置し、時間単位3はシンボル集合｛＃7，＃8，＃9｝に位置し、時間単位4はシンボル集合｛＃10，＃11｝に位置し、時間単位5はシンボル集合｛＃12，＃13｝に位置する。6時間単位の分割方法は本発明では限定されないことに留意されたい。
【０１０４】
任意選択で、時間単位分割はPDCCHシンボルで行われてもよい。この場合、時間単位分割は、サブフレームの最初の13PDCCHシンボル、23PDCCHシンボル、または3PDCCHシンボルでは行われない場合がある。任意選択で、サブフレームの最初の1シンボルはPDCCHシンボルである。通常のCPでは、NTが6である場合、時間単位0はシンボル集合｛＃1，＃2，＃3｝に位置し、時間単位1はシンボル集合｛＃4，＃5｝に位置し、時間単位2はシンボル集合｛＃6，＃7｝に位置し、時間単位3はシンボル集合｛＃8，＃9｝に位置し、時間単位4はシンボル集合｛＃10，＃11｝に位置し、時間単位5はシンボル集合｛＃12，＃13｝に位置する。任意選択で、サブフレームの最初の2シンボルはPDCCHシンボルである。通常のCPでは、NTが6である場合、時間単位0はシンボル集合｛＃2，＃3｝に位置し、時間単位1はシンボル集合｛＃4，＃5｝に位置し、時間単位2はシンボル集合｛＃6，＃7｝に位置し、時間単位3はシンボル集合｛＃8，＃9｝に位置し、時間単位4はシンボル集合｛＃10，＃11｝に位置し、時間単位5はシンボル集合｛＃12，＃13｝に位置する。
【０１０５】
NTが6、7、12、または14である場合の、第1の時間単位集合および第2の時間単位集合複数のグループの任意選択の組み合わせが表3に記載されている。任意選択で、サブフレームの最初の2シンボルまたは3シンボルがPDCCHシンボルである場合、第1のデータ伝送はダウンリンクデータ伝送である。さらに、第1のTTI長が2シンボルの長さである場合、時間単位0ではダウンリンクデータ伝送が行われないため、時間単位1で第1のデータ伝送をスケジュールするために使用される第1のDCIは時間単位0に位置しうる、すなわち、時間単位1には第1の探索空間がない場合がある。したがって、通常のCPでは、第1の時間単位集合は｛0，2，3，4，5，6｝または｛0，4，6，8，10，12｝であり、拡張CPでは、第1の時間単位集合は｛0，2，3，4，5｝または｛0，4，6，8，10｝でありうる。表3に記載されている第1の時間単位集合と第2の時間単位集合の任意の組み合わせが別々の実施形態として使用されうることに留意されたい。第1の時間単位集合と第2の時間単位集合の組み合わせは表3の方法だけに限定されず、代替として別の方法でもよいことに留意されたい。
【０１０６】
任意選択で、第1の時間単位集合および第2の時間単位集合が時間単位0を含まない場合もあり、時間単位0はシンボル＃0およびシンボル＃1を含む。例えば、NTは7であり、サブフレームの最初の2PDCCHシンボル上のPDCCHは1msを有するデータ伝送だけをスケジュールするために使用され、この場合、短いTTIを有するデータ伝送のスケジュールには使用されない。
【０１０７】
【表３Ａ】
2019503634.tif 000005
【表３Ｂ】
2019503634.tif 000006
【表３Ｃ】
2019503634.tif 000007
【表３Ｄ】
2019503634.tif 000008
【０１０８】
任意選択で、サブフレームの最初の1シンボル、2シンボル、3シンボル、または4シンボルは、PDCCHを伝送するために使用されうる（PDCCHシンボルと呼ばれる）が、ダウンリンクデータ伝送には使用されない。したがって、時間単位はPDCCHシンボルの数に基づいて分割されうる。当然ながら、サブフレームの最初の1シンボル、2シンボル、3シンボル、または4シンボルは、代替として、PDCCHを伝送するために使用されてもよい。
【０１０９】
例えば、サブフレームの最初の1シンボル、2シンボル、3シンボル、または4シンボルは、PDCCHシンボルである。通常のCPでは、NTが6である場合、最初の4シンボルは時間単位0を形成し、続く10シンボルの2つずつが時間単位を形成し、そのため、順次にソートすることによって時間単位1、時間単位2、時間単位3、時間単位4、および時間単位5が得られ、または拡張CPでは、NTが5である場合、最初の4シンボルは時間単位0を形成し、続く8シンボルの2つずつが時間単位を形成し、そのため、順次にソートすることによって時間単位1、時間単位2、時間単位3、および時間単位4が得られる。表4には複数の任意選択の組み合わせが記載されており、表4に記載される任意の組み合わせが別々の実施形態として使用されうる。第1の時間単位集合と第2の時間単位集合の組み合わせは表4の方法だけに限定されず、代替として別の方法でもよいことに留意されたい。
【０１１０】
任意選択で、通常のCPでは、サブフレームの最初の3シンボルはPDCCHシンボルである。NTが5である場合、時間単位0はシンボル集合｛＃3，＃4，＃5｝に位置し、時間単位1はシンボル集合｛＃6，＃7｝に位置し、時間単位2はシンボル集合｛＃8，＃9｝に位置し、時間単位3はシンボル集合｛＃10，＃11｝に位置すし、時間単位4はシンボル集合｛＃12，＃13｝に位置する。
【０１１１】
【表４】
2019503634.tif 000009
【０１１２】
例えば、サブフレームの最初の1シンボルのうちの2シンボルはPDCCHシンボルである。通常のCPでは、NTが13である場合、最初の2シンボルは時間単位0を形成し、続く12シンボルの各々が時間単位を形成し、そのため、順次にソートすることによって時間単位1、時間単位2、…、時間単位12が得られ、または拡張CPでは、NTが11である場合、最初の2シンボルは時間単位0を形成し、続く10シンボルの各々が時間単位を形成し、そのため、順次にソートすることによって時間単位1、時間単位2、…、時間単位10が得られる。任意選択で、サブフレームの最初の2シンボルがPDCCHシンボルである場合、第1のデータ伝送はダウンリンクデータ伝送である。さらに、第1のTTI長が1シンボルの長さである場合、時間単位0ではダウンリンクデータ伝送が行われないため、時間単位1で第1のデータ伝送をスケジュールするために使用される第1のDCIは時間単位0に位置しうる、すなわち、時間単位1には第1の探索空間がない場合がある。したがって、通常のCPでは、第1の時間単位集合は｛0，2，3，4，5，6，7，8，9，10，11，12｝であり、拡張CPでは、第1の時間単位集合は｛0，2，3，4，5，6，7，8，9，10｝でありうる。表5には複数の任意選択の組み合わせが記載されており、表5に記載される任意の組み合わせが別々の実施形態として使用されうる。第1の時間単位集合と第2の時間単位集合の組み合わせは表5の方法だけに限定されず、代替として別の方法でもよいことに留意されたい。
【０１１３】
【表５Ａ】
2019503634.tif 000010
【表５Ｂ】
2019503634.tif 000011
【表５Ｃ】
2019503634.tif 000012
【０１１４】
例えば、サブフレームの最初の2シンボルまたは3シンボルは、PDCCHシンボルである。通常のCPでは、NTが12である場合、最初の3シンボルは時間単位0を形成し、続く11シンボルの各々が時間単位を形成し、そのため、順次にソートすることによって時間単位1、時間単位2、…、時間単位11が得られ、または拡張CPでは、NTが10である場合、最初の3シンボルは時間単位0を形成し、続く9シンボルの各々が時間単位を形成し、そのため、順次にソートすることによって時間単位1、時間単位2、…、時間単位9が得られる。任意選択で、サブフレームの最初の3シンボルがPDCCHシンボルである場合、第1のデータ伝送はダウンリンクデータ伝送である。さらに、第1のTTI長が1シンボルの長さである場合、時間単位0ではダウンリンクデータ伝送が行われないため、時間単位1で第1のデータ伝送をスケジュールするために使用される第1のDCIは時間単位0に位置しうる、すなわち、時間単位1には第1の探索空間がない場合がある。したがって、通常のCPでは、第1の時間単位集合は｛0，2，3，4，5，6，7，8，9，10，11｝であり、拡張CPでは、第1の時間単位集合は｛0，2，3，4，5，6，7，8，9｝でありうる。表6には複数の任意選択の組み合わせが記載されており、表6に記載される任意の組み合わせが別々の実施形態として使用されうる。第1の時間単位集合と第2の時間単位集合の組み合わせは表6の方法だけに限定されず、代替として別の方法でもよいことに留意されたい。
【０１１５】
【表６Ａ】
2019503634.tif 000013
【表６Ｂ】
2019503634.tif 000014
【０１１６】
例えば、サブフレームの最初の3シンボルは、PDCCHシンボルである。通常のCPでは、NTが11である場合、最初の4シンボルは時間単位0を形成し、続く10シンボルの各々が時間単位を形成し、そのため、順次にソートすることによって時間単位1、時間単位2、…、時間単位10が得られ、または拡張CPでは、NTが9である場合、最初の4シンボルは時間単位0を形成し、続く8シンボルの各々が時間単位を形成し、そのため、順次にソートすることによって時間単位1、時間単位2、…、時間単位8が得られる。表7には複数の任意選択の組み合わせが記載されており、表7に記載される任意の組み合わせが別々の実施形態として使用されうる。第1の時間単位集合と第2の時間単位集合の組み合わせは表7の方法だけに限定されず、代替として別の方法でもよいことに留意されたい。
【０１１７】
【表７Ａ】
2019503634.tif 000015
【表７Ｂ】
2019503634.tif 000016
【０１１８】
本発明の本実施形態では、任意選択で、第1の時間単位は第2の時間単位と同じであり、第1の探索空間と第2の探索空間とは部分的に、または完全にオーバーラップする。例えば、第1の探索空間と第2の探索空間とは部分的に、または厳密に同じリソース要素を占有する。
【０１１９】
第1の時間単位は第2の時間単位と同じであり、第1の探索空間と第2の探索空間とは部分的に、または完全にオーバーラップする場合、端末デバイスは、検出されたDCIが第1のDCIかそれとも第2のDCIかを判断する必要がある。第1のDCIと第2のDCIとをどのように区別するかは本発明では限定されないことに留意されたい。例えば、本発明では、第1のDCIと第2のDCIとを区別するための4つの方法を提供する。
【０１２０】
方法1：第1のDCIの情報ビット数は第2のDCIの情報ビット数と同じであり、第1のDCIと第2のDCIとは各々DCI種別を含む。情報フィールドは、DCIが第1のDCIまたは第2のDCIであることを指示する。
【０１２１】
方法2：第1のDCIをスクランブルするための無線ネットワーク一時識別子（RNTI、Radio Network Temporary Identifiers）は第2のDCIをスクランブルするためのRNTIと異なる。したがって、端末デバイスは、異なるRNTIを使用して異なるDCIを区別することができる。
【０１２２】
方法3：第1のDCIと第2のDCIとは、異なるマスク（mask）を使用して巡回冗長コード（cyclic redundancy code、CRC）をスクランブルする。したがって、端末デバイスは、異なるマスクを使用して異なるDCIを区別することができる。
【０１２３】
方法4：第1のDCIと第2のDCIとは同じDCI内の異なる情報フィールドに位置する。したがって、端末デバイスは、同じDCI内の異なる情報フィールドから第1のDCI／および第2のDCIを取得する。
【０１２４】
任意選択で、第1の時間単位は第2の時間単位と同じであり、第1の探索空間と第2の探索空間とは部分的にオーバーラップする。任意選択で、第1の探索空間は第2の探索空間の一部であり、または第2の探索空間は第1の探索空間の一部であり、または第1の探索空間の一部と第2の探索空間の一部とがオーバーラップする。例えば、時間単位0において、第1の探索空間は第2の探索空間の一部である。
【０１２５】
任意選択で、第1の時間単位は第2の時間単位と同じであり、第1の探索空間と第2の探索空間とは完全にオーバーラップする。言い換えると、第1の探索空間と第2の探索空間とは同じ探索空間である。このように、これが意味するのは、端末デバイスがただ1つの探索空間を決定することである。図3に示すように、例えば、1サブフレームは4時間単位を含み、第1の時間単位集合は｛0，1，2，3｝であり、第2の時間単位集合は｛0，2｝であり、時間単位0または時間単位2における第1の探索空間と第2の探索空間とは同じリソースを占有する。任意選択で、第1のDCIの情報ビット数は第2のDCIの情報ビット数と同じであり、すなわち、第1のDCIのペイロードサイズは第2のDCIのペイロードサイズ（payload size）と同じである。この場合、第1のDCIと第2のDCIとが同時に検出されるときに、端末デバイスがブラインド検出を行う回数を減らすことができる。
【０１２６】
任意選択で、第1の時間単位集合内の2つの異なる時間単位において端末デバイスによって決定される第1の探索空間のサイズは異なる。任意選択で、探索空間のサイズは探索空間によって占有されるリソース要素の数を使用して測定されうる。例えば、第1の時間単位集合は時間単位iおよび時間単位jを含み、iはjと等しくない。端末デバイスが第1の探索空間を決定することは、第1の時間単位が時間単位iである場合、第1の探索空間はM個のリソース要素を占有し、第1の時間単位が時間単位jである場合、第1の探索空間はN個のリソース要素を占有し、MおよびNは正の整数であり、MはNと等しくないこと、を含む。任意選択で、探索空間のサイズは、探索空間の候補制御チャネルの数を使用して測定されうる。具体的には、端末デバイスが第1の探索空間を決定することは、第1の時間単位が時間単位iである場合、第1の探索空間はP候補制御チャネルを含み、第1の時間単位が時間単位jである場合、第1の探索空間はQ候補制御チャネルを含み、PおよびQは正の整数であり、PはQと等しくないこと、を含む。例えば、iは0であり、jは0よりも大きく、MはNよりも大きい（またはPはQよりも大きい）。例えば、1サブフレームは2時間単位を含む。第1の時間単位が時間単位0である場合、第1の探索空間は、集約レベル1もしくは2を有し、UESSに属する4つ、3つ、もしくは2つの候補制御チャネル、および／または集約レベル4もしくは8を有し、UESSに属する1つもしくは2つの候補制御チャネル、および／または集約レベル4を有し、CSSに属する4つの候補制御チャネル、および／または集約レベル8を有し、CSSに属する2つの候補制御チャネルを含み、または第1の時間単位が時間単位1である場合、第1の探索空間は、集約レベル1もしくは2を有し、UESSに属する4つ、3つ、もしくは2つの候補制御チャネル、および／または集約レベル4もしくは8を有し、UESSに属する1つもしくは2つの候補制御チャネルを含む。
【０１２７】
任意選択で、第2の時間単位集合が少なくとも2時間単位を含む場合、第2の時間単位集合内の2つの異なる時間単位において端末デバイスによって決定される第2の探索空間のサイズは異なる。特定の実施形態については前述の説明を参照されたいが、「第1の時間単位」は「第2の時間単位」で置き換えられ、「第1の探索空間」は「第2の探索空間」で置き換えられることが条件である。ここでは詳細を繰り返さない。
【０１２８】
本発明の本実施形態では、任意選択で、第2のデータ伝送のTTI長は1msであり、第1のデータ伝送のTTI長は短いTTIであり、第1の探索空間は、共通探索空間（CSS）に属する候補制御チャネルを含まず、第2の探索空間は、CSSに属する候補制御チャネルとUESSに属する候補制御チャネルとを含む。例えば、時間単位0において、第2の探索空間はPDCCH CSSおよびPDCCH UESSを含み、第1の探索空間はPDCCH UESSのみを含む。第1の探索空間は比較的小さく、そのため、特に、第1のDCIと第2のDCIのビット数が異なる場合には、第1のDCIを検出する速度を上げることができる。
【０１２９】
任意選択で、端末デバイスが第1の探索空間および第2の探索空間のうちの少なくとも1つの探索空間を決定する前に、本方法は、端末デバイスが、ネットワークデバイスによって送信されたシグナリングを受信するステップであって、シグナリングが、第1の探索空間および／または第2の探索空間を指示するために使用される情報を含み、シグナリングが上位層シグナリングまたは物理層シグナリングである、ステップ、をさらに含む。例えば、第1の探索空間および／もしくは第2の探索空間がPDSCH領域に位置し、または制御チャネルがPDSCHである場合、シグナリングは、第1の探索空間および／もしくは第2の探索空間によって占有される時間周波数領域リソースまたは第1の探索空間および／もしくは第2の探索空間に含まれる候補制御チャネルを指示する。
【０１３０】
前述の実施形態に関連して、以下で、2つの具体的な応用例を使用して、本発明の実施形態における技術的解決策をさらに説明する。応用例1：第1のデータ伝送のTTI長は2シンボルの長さであり、第2のデータ伝送のTTI長は0.5msであり、第1の時間単位集合は｛0，1，2，3，4，5，6｝であり、第2の時間単位集合は｛0，3｝または｛0，4｝である。第2の時間単位集合が｛0，3｝である場合、第1の時間単位と第2の時間単位とがどちらも時間単位0であるときに、第1の探索空間と第2の探索空間とは同じであり、PDCCH CSSおよびPDCCH UESSを含み、第1の時間単位と第2の時間単位とがどちらも時間単位3であるときに、第1の探索空間と第2の探索空間とは同じであり、PDCCH領域に位置し、時間単位1、時間単位2、時間単位4、時間単位5、または時間単位6では、第1の探索空間はPDSCH領域に位置し、第2の探索空間は存在しない。第2の時間単位集合が｛0，4｝である場合、第1の時間単位と第2の時間単位とがどちらも時間単位0であるときに、第1の探索空間と第2の探索空間とは同じであり、PDCCH CSSおよびPDCCH UESSを含み、第1の時間単位と第2の時間単位とがどちらも時間単位4であるときに、第1の探索空間と第2の探索空間とは同じであり、PDCCH領域に位置し、時間単位1、時間単位2、時間単位3、時間単位5、または時間単位6では、第1の探索空間はPDSCH領域に位置し、第2の探索空間は存在しない。応用例2：1サブフレームは2時間単位を含み、第1のデータ伝送のTTI長は0.5msであり、第2のデータ伝送のTTI長は1msであり、第1の時間単位集合は時間単位0および時間単位1を含み、第2の時間単位集合は時間単位0を含む。第1の時間単位と第2の時間単位とがどちらも時間単位0であるときに、第2の探索空間はPDCCH CSSおよびPDCCH UESSを含み、第1の探索空間はPDCCH UESSのみを含み、時間単位1では、第1の探索空間はPDSCH領域に位置し、第2の探索空間は存在しない。
【０１３１】
端末デバイスは、決定された少なくとも1つの探索空間においてDCIの少なくとも一部を検出する。端末デバイスが巡回冗長検査（cyclic redundancy check、CRC）にパスした候補制御チャネルを検出した場合、候補制御チャネル上で搬送されたDCIは、データ伝送をスケジュールするために使用され、ネットワークデバイスによって端末デバイスに送信されたDCIであり、そうではなく、端末デバイスが、CRCにパスする候補制御チャネルを検出しない場合、それはネットワークデバイスが端末デバイスにDCIを送信していないことを指示する。端末デバイスがDCIをどのように検出するかは本発明では限定されないことに留意されたい。例えば、端末デバイスが第1の探索空間において第1のDCIを検出することは、端末デバイスが、第1のDCIの情報ビット数に基づいて第1の探索空間において候補ダウンリンク制御チャネルの全部または一部を復号すること、であってもよい。
【０１３２】
任意選択で、データ伝送をスケジュールするために使用されたDCIを検出した場合、端末デバイスは、DCIに基づいてネットワークデバイスとのデータ伝送を行いうる。ダウンリンクデータ伝送では、端末デバイスは、DCIによって指示されるデータ伝送リソース上で、ネットワークデバイスによって送信されたダウンリンクデータパケットを受信し、アップリンクデータ伝送では、端末デバイスは、DCIによって指示されるデータ伝送リソース上でネットワークデバイスにアップリンクデータパケットを送信しうる。任意選択で、DCIによって指示されるデータ伝送リソースは、データ伝送のための時間領域リソースである。
【０１３３】
任意選択で、端末デバイスが少なくとも1つの探索空間においてDCIの少なくとも一部を検出することは、端末デバイスが、決定された第1の探索空間において第1のDCIを検出すること、および／または決定された第2の探索空間において第2のDCIを検出すること、を含む。端末デバイスが第1のDCIおよび／または第2のDCIを検出した場合、端末デバイスは、検出された第1のDCIおよび／または第2のDCIに基づいてネットワークデバイスとの第1のデータ伝送および／または第2のデータ伝送を行う。第1のデータ伝送または第2のデータ伝送がダウンリンクデータ伝送である場合、端末デバイスは、ネットワークデバイスによって送信されたダウンリンクデータ伝送を受信し、第1のデータ伝送または第2のデータ伝送がアップリンクデータ伝送である場合、端末デバイスは、ネットワークデバイスにアップリンクデータ伝送を送信する。端末デバイスによる第1のDCI上での検出と第2のDCI上での検出との間には厳密な時間順序関係はないことに留意されたい。例えば、端末デバイスは、まず第1のDCIを検出し、次いで第2のDCIを検出してもよく、まず第2のDCIを検出し、次いで第1のDCIを検出してもよく、第1のDCIと第2のDCIを同時に検出してもよい。
【０１３４】
本発明の本実施形態では、任意選択で、端末デバイスが少なくとも1つの探索空間においてダウンリンク制御情報（DCI）の少なくとも一部を検出した後に、本方法は、検出された第1のDCIに基づいてユーザ機器が、少なくとも1つの時間単位においてネットワークデバイスとの第1のデータ伝送を行うステップであって、第1のデータ伝送がダウンリンクデータ伝送であり、少なくとも1つの時間単位と第1の時間単位とが全部または部分的にオーバーラップし、またはオーバーラップしない、ステップ、をさらに含む。図4aに示すように、例えば、1サブフレームは2時間単位を含み、第1のデータ伝送のTTI長は0.5msであり、第1のDCIは第1の時間単位に位置し、第1の時間単位はサブフレームkの時間単位0であり、第1のデータ伝送はサブフレームkの時間単位0で行われる。具体的には、第1の時間単位と、第1のデータ伝送のために占有される少なくとも1つの時間単位とは完全にオーバーラップし、または同じである。あるいは、図4bに示すように、例えば、1サブフレームは4時間単位を含み、第1のデータ伝送のTTI長は0.5msであり、第1の時間単位はサブフレームkの時間単位0であり、第1のデータ伝送はサブフレームkの時間単位0および時間単位1で行われる。具体的には、第1の時間単位と、第1のデータ伝送のために占有される少なくとも1つの時間単位とは部分的にオーバーラップする。任意選択で、サブフレームの最初の1シンボル、2シンボル、3シンボル、または4シンボルは、PDCCHを伝送するために使用されうる（PDCCH領域と呼ばれる）が、ダウンリンクデータ伝送には使用されない。第1の時間単位がPDCCH領域に位置する場合、第1のデータ伝送はPDCCH領域を占有することができない。具体的には、第1の時間単位と、第1のデータ伝送のために占有される少なくとも1つの時間単位とはーバーラップしない。図4cに示すように、例えば、1サブフレームは6時間単位または7時間単位を含み、第1のデータ伝送のTTI長は2シンボルの長さであり、第1の時間単位はサブフレームkの時間単位0であり、第1のデータ伝送はサブフレームkの時間単位1で行われる。具体的には、第1の時間単位と、第1のデータ伝送のために占有される少なくとも1つの時間単位とはオーバーラップしない。
【０１３５】
本発明の本実施形態では、任意選択で、端末デバイスが少なくとも1つの探索空間においてダウンリンク制御情報（DCI）の少なくとも一部を検出した後に、本方法は、検出された第2のDCIに基づいてユーザ機器が、少なくとも1つの時間単位においてネットワークデバイスとの第2のデータ伝送を行うステップであって、第2のデータ伝送がダウンリンクデータ伝送であり、第2の時間単位と少なくとも1つの時間単位とが部分的にオーバーラップし、またはオーバーラップしない、ステップ、をさらに含む。図4dに示すように、例えば、1サブフレームは2時間単位を含み、第2のデータ伝送のTTI長は1msであり、第2のDCIは第2の時間単位に位置し、第2の時間単位はサブフレームkの時間単位0であり、第2のデータ伝送はサブフレームkの時間単位0および時間単位1で行われる。具体的には、第2の時間単位と、第2のデータ伝送のために占有される少なくとも1つの時間単位とは部分的にオーバーラップする。あるいは、図4eに示すように、例えば、1サブフレームは2時間単位を含み、第2のデータ伝送のTTI長は1msであり、第2のDCIは第2の時間単位に位置し、第2の時間単位はサブフレームkの時間単位1であり、第2のデータ伝送はサブフレームk＋1の時間単位0および時間単位1で行われる。具体的には、第2の時間単位と、第2のデータ伝送のために占有される少なくとも1つの時間単位とはオーバーラップしない。
【０１３６】
本発明の本実施形態では、任意選択で、端末デバイスが少なくとも1つの探索空間においてダウンリンク制御情報（DCI）の少なくとも一部を検出した後に、本方法は、検出された第1のDCIまたは第2のDCIに基づいてユーザ機器が、ネットワークデバイスとの第1のデータ伝送または第2のデータ伝送を行うステップであって、第1のデータ伝送または第2のデータ伝送がアップリンクデータ伝送であり、第1のデータ伝送または第2のデータ伝送のために占有される開始時間単位が、第1の時間単位または第2の時間単位に対してK・LTの時間長だけ遅延され、Kが正の整数であり、例えば、Kが4であり、LTは第1のデータ伝送または第2のデータ伝送のTTI長である、ステップ、をさらに含む。図4fに示すように、例えば、1サブフレームは2時間単位を含み、第2のデータ伝送のTTI長は1msであり、第2のDCIは第2の時間単位に位置し、第2の時間単位はサブフレームkの時間単位0であり、第2のデータ伝送はサブフレームk＋4の時間単位0および時間単位1で行われる。具体的には、第2のデータ伝送のために占有される開始時間単位は第2の時間単位に対して8時間単位遅延される。あるいは、第2の時間単位はサブフレームkの時間単位1であり、第2のデータ伝送はサブフレームk＋5の時間単位0および時間単位1で行われる。具体的には、第2のデータ伝送のために占有される開始時間単位は第2の時間単位に対して9時間単位遅延される。
【０１３７】
本発明の本実施形態では、任意選択で、端末デバイスは第3の探索空間を決定する。第3の探索空間は時間窓T内の第3の時間単位にある。端末デバイスは第3の探索空間において第3のDCIを検出する。端末デバイスによって第2の探索空間で検出された第2のDCIと端末デバイスによって第3の探索空間で検出された第3のDCIとはどちらも、第2のデータ伝送をスケジュールするために使用される。任意選択で、第3の時間単位は第2の時間単位集合に属する。図4gに示すように、例えば、第2の時間単位集合は時間単位0および時間単位1を含み、第2のデータ伝送は、1msの第2のTTI長を有するダウンリンクデータ伝送であり、第2のDCIはサブフレームk＋1の時間単位0に位置し、第3のDCIはサブフレームkの時間単位1に位置し、第2のDCIおよび第3のDCIは第2のデータ伝送をスケジュールするために使用されてよく、第2のデータ伝送はサブフレームk＋1の時間単位0および時間単位1で行われる。あるいは、図4fに示すように、例えば、第2の時間単位集合は時間単位0および時間単位1を含み、第2のデータ伝送は、1msの第2のTTI長を有するアップリンクデータ伝送であり、第2のDCIはサブフレームk＋1の時間単位0に位置し、第3のDCIはサブフレームkの時間単位1に位置し、第2のDCIおよび第3のDCIは第2のデータ伝送をスケジュールするために使用されてよく、第2のデータ伝送はサブフレームk＋5の時間単位0および時間単位1で行われる。本方法によれば、2つのDCIがどちらも同じデータ伝送に使用されるため、第2のデータ伝送が正常にスケジュールされる確率を高めることができる。
【０１３８】
本発明の本実施形態によれば、第1の探索空間は第1の時間単位にあり、第2の探索空間は第2の時間単位にある。第1時間単位と第2時間単位とは、第1時間単位集合と第2時間単位集合とにそれぞれ属するが、第1の時間単位集合と第2の時間単位集合とは部分的に、または完全にオーバーラップし、そのため、端末デバイスは、複数のTTI長を有するデータ伝送または複数のスケジューリング優先順位を有するデータ伝送をサポートするために、異なる探索空間において、異なるデータ伝送をスケジュールするために使用されるDCIを検出することができる。さらに、第2の時間単位集合が第1の時間単位集合の真部分集合である場合、ネットワークデバイスは、第2のDCIを第1のDCIより低い周波数で送信してよく、端末デバイスが第2の探索空間を決定し、第2のDCIを検出する周波数を下げることができ、それによって処理の複雑さが低減する。
【０１３９】
図5は、本発明の一実施形態によるダウンリンク制御情報送信方法の概略的流れ図である。本方法は、別個の実施形態として使用されてもよく、前述のダウンリンク制御情報検出方法と併用されてもよいことに留意されたい。特に指定しない限り、前述の実施形態の内容と同様の本実施形態の内容については、前述の実施形態の説明を参照されたく、以下では詳細を繰り返さない。本実施形態は以下のステップを含む。
【０１４０】
ステップ501：ネットワークデバイスが、第1の探索空間および第2の探索空間のうちの少なくとも1つの探索空間を決定し、第1の探索空間は時間窓T内の第1の時間単位にあり、第1の時間単位は第1の時間単位集合に属し、第2の探索空間は時間窓T内の第2の時間単位にあり、第2の時間単位は第2の時間単位集合に属し、時間窓TはNT個の時間単位を含み、第1の時間単位集合および第2の時間単位集合はNT個の時間単位の部分集合であり、NTは2以上の整数であり、第1の時間単位集合と第2の時間単位集合とは部分的に、または完全にオーバーラップし、第1の時間単位は第2の時間単位と同じかまたは異なる。
【０１４１】
ステップ502：ネットワークデバイスは、ダウンリンク制御情報（DCI）の少なくとも一部を送信し、DCIの少なくとも一部は少なくとも1つの探索空間に位置する。
【０１４２】
任意選択で、ネットワークデバイスが第1の探索空間および第2の探索空間のうちの少なくとも1つの探索空間を決定する方法については、前述の端末デバイスの説明を参照されたく、ここでは詳細を繰り返さない。
【０１４３】
任意選択で、第1のデータ伝送の第1のTTI長は第2のデータ伝送の第2のTTI長よりも短い。具体的な第1のTTI長および第2のTTI長については、前述の実施形態の説明を参照されたく、ここでは詳細を繰り返さない。
【０１４４】
本実施形態において、時間窓T、時間単位、第1の時間単位集合、および第2の時間単位集合は、前述の実施形態に記載されており、ここでは詳細の具体的な説明を繰り返さない。例えば、第1の時間単位集合および第2の時間単位集合は表1から表7の任意の組み合わせであってよい。
【０１４５】
任意選択で、第2の時間単位集合が第1の時間単位集合の真部分集合である。ネットワークデバイスは、第2のDCIを第1のDCIより低い周波数で送信してよく、端末デバイスが第2の探索空間を決定し、第2のDCIを検出する周波数を下げることができ、それによって端末デバイスの処理の複雑さが低減する。
【０１４６】
任意選択で、第1の時間単位集合と第2の時間単位集合とは完全にオーバーラップする。ネットワークデバイスは、第2のDCIを第1のDCIより低い周波数で送信しうるが、第1の時間単位集合と第2の時間単位集合とが完全にオーバーラップする場合、ネットワークデバイスが第2のDCIを送信する機会を増やすことができ、そのため、ネットワークデバイスは、第2のDCIをより柔軟に構成し、送信することができ、それによって、第2のDCIを使用したスケジューリングに成功する確率が高まる。
【０１４７】
任意選択で、ネットワークデバイスが、第1の探索空間および第2の探索空間のうちの少なくとも1つの探索空間を決定する前に、本方法は、ネットワークデバイスが、端末デバイスにシグナリングを送信するステップであって、シグナリングが、第1の時間単位集合および／または第2の時間単位集合を指示するために使用され、シグナリングが、上位層シグナリングまたは物理層シグナリングでありうる、ステップ、をさらに含む。
【０１４８】
任意選択で、ネットワークデバイスがDCIの少なくとも一部を送信する前に、本方法は、ネットワークデバイスが、端末デバイスにシグナリングを送信するステップであって、シグナリングが、第1の時間単位集合および／または第2の時間単位集合を指示するために使用される、ステップ、をさらに含む。したがって、シグナリングを受信した後、端末デバイスは、シグナリングに基づいて第1の時間単位および／または第2の時間単位を決定し、第1の時間単位および／または第2の時間単位において第1の探索空間および第2の探索空間を決定し、シグナリングは、上位層シグナリングまたは物理層シグナリングであってよい。
【０１４９】
本実施形態において、第1の探索空間および第2の探索空間は前述の実施形態に記載されており、ここでは詳細を繰り返さない。
【０１５０】
ネットワークデバイスが決定された探索空間においてDCIをどのように構成するかは、本発明では限定されないことに留意されたい。例えば、ネットワークデバイスはまず、第1の探索空間によって占有される時間周波数領域リソースがPリソース要素であると決定する。さらに、ネットワークデバイスは、Pリソース要素のうちのいくつかが第1のDCIを搬送するために使用されると決定する。例えば、ネットワークデバイスは、第2の探索空間はQ候補制御チャネルを含むと決定し、第2のDCIを搬送するためにQ候補制御チャネルの中から1つの候補制御チャネルを選択する。
【０１５１】
任意選択で、ネットワークデバイスがDCIの少なくとも一部を送信する前に、本方法は、ネットワークデバイスが、端末デバイスにシグナリングを送信するステップ、をさらに含む。シグナリングは、第1の探索空間および／または第2の探索空間を指示するために使用される情報を含み、シグナリングは上位層シグナリングまたは物理層シグナリングである。具体的内容については、前述の実施形態を参照されたく、ここでは詳細を繰り返さない。
【０１５２】
第1のDCIおよび／または第2のDCIの送信後または送信中に、ネットワークデバイスは、端末デバイスとの第1のデータ伝送および／または第2のデータ伝送を行う。第1のデータ伝送または第2のデータ伝送がダウンリンクデータ伝送である場合、ネットワークデバイスは端末デバイスにダウンリンクデータ伝送を送信し、第1のデータ伝送または第2のデータ伝送がアップリンクデータ伝送である場合、ネットワークデバイスは端末デバイスによって送信されたアップリンクデータ伝送を受信する。
【０１５３】
任意選択で、第1のデータ伝送はダウンリンクデータ伝送であり、少なくとも1つの時間単位で行われ、少なくとも1つの時間単位と第1の時間単位とは完全にまたは部分的にオーバーラップし、またはオーバーラップしない。具体的内容については、前述の実施形態を参照されたく、ここでは詳細を繰り返さない。
【０１５４】
任意選択で、第2のデータ伝送はダウンリンクデータ伝送であり、少なくとも1つの時間単位で行われ、少なくとも1つの時間単位と第2の時間単位とは部分的にオーバーラップし、またはオーバーラップしない。具体的内容については、前述の実施形態を参照されたく、ここでは詳細を繰り返さない。
【０１５５】
任意選択で、第1のデータ伝送または第2のデータ伝送はアップリンクデータ伝送であり、第1のデータ伝送または第2のデータ伝送のために占有される開始時間単位は、第1の時間単位または第2の時間単位に対して少なくともK・LTの時間長だけ遅延され、Kは正の整数であり、例えば、Kは4であり、LTは第1のデータ伝送または第2のデータ伝送のTTI長である。具体的内容については、前述の実施形態を参照されたく、ここでは詳細を繰り返さない。
【０１５６】
本発明の本実施形態では、任意選択で、ネットワークデバイスは第3の探索空間を決定し、第3の探索空間は時間窓T内の第3の時間単位にあり、第3の時間単位は第2の時間単位集合に属し、ネットワークデバイスは第3のDCIを送信し、第3のDCIは第3の探索空間に位置し、ネットワークデバイスによって第2の探索空間で送信された第2のDCIとネットワークデバイスによって第3の探索空間で送信された第3のDCIとはどちらも、第2のデータ伝送をスケジュールするために使用される。
【０１５７】
通信システムにおいて、ネットワークデバイスは、複数のTTI長を有するデータ伝送をスケジュールしうる。例えば、第1の端末デバイスのダウンリンクデータ伝送のTTI長は2シンボルの長さであり、第2の端末デバイスのダウンリンクデータ伝送のTTI長は0.5msである。異なるTTI長を有するデータ伝送に対応する制御領域に、例えば通常のCPに異なる構成方法が使用される場合、第1の端末デバイスに対応する制御チャネル領域はシンボル7に、またはシンボル7およびシンボル8に位置し、第2の端末デバイスに対応する制御チャネル領域は、第2のタイムスロット内の最初の1または複数のシンボルに位置し、通信システムにおいて制御チャネル領域のための構成方法は複数ある。これは、異なるTTI長に対応する制御チャネル領域間でのリソースの多重化には好ましくなく、ネットワークデバイスの処理の複雑さが増大する。したがって、本発明の本実施形態では、第1の探索空間は第1の端末デバイスによって検出される探索空間され、第2の探索空間は第2の端末デバイスによって検出される探索空間とされうる。この場合、通信システムに複数のTTI長を有するデータ伝送があるときに、統一された方法を使用して探索空間および／または制御チャネル領域を構成し、異なるTTI長に対応する探索空間および／または制御チャネル領域を効果的に多重化し、ネットワークデバイスのスケジューリングの複雑さを低減させることができる。
【０１５８】
本発明の本実施形態では、任意選択で、ネットワークデバイスによって決定される第1の探索空間は第1の端末デバイスによって検出される探索空間であり、ネットワークデバイスによって決定される第2の探索空間は第2の端末デバイスによって検出される探索空間である。これに対応して、第1のDCIは第1の端末デバイスの第1のデータ伝送をスケジュールするために使用され、第2のDCIは第2の端末デバイスの第2のデータ伝送をスケジュールするために使用される。第1のDCIおよび／または第2のDCIの送信後または送信中に、ネットワークデバイスは、第1の端末デバイスとの第1のデータ伝送を行い、かつ／または第2の端末デバイスとの第2のデータ伝送を行う。例えば、NT＝7であり、第1のTTI長は2シンボルの長さであり、第1の時間単位集合は時間単位｛0，1，2，3，4，5，6｝を含み、第2のTTI長は0.5msであり、第2の時間単位集合は時間単位｛0，3｝または時間単位｛0，4｝を含む。
【０１５９】
任意選択で、第1のデータ伝送と第2のデータ伝送とはどちらもダウンリンクデータ伝送であり、第1のデータ伝送の第1のTTI長は第2のデータ伝送の第2のTTI長よりも短い。第2のTTI長は第1のTTI長より長く、端末デバイスは、第2のTTI長を有するダウンリンクデータ伝送に存在する第2のTTI長を有するダウンリンクデータ伝送がスケジュールされるかどうかを事前に決定することができないため、第1の探索空間は、第2のTTI長を有するダウンリンクデータ伝送のために占有される周波数領域リソースに位置することはできず、そうでないと端末デバイスは、第2のTTI長を有するダウンリンクデータを誤って受信する。したがって、第1の探索空間は第1の周波数領域リソースに位置し、第1の周波数領域リソースは、第2のTTI長を有するダウンリンクデータ伝送に使用できない。任意選択で、第1の時間単位は第2の時間単位と同じである。
【０１６０】
任意選択で、第1の探索空間と第2の探索空間とはどちらも第1の周波数領域リソースに位置し、第1の周波数領域リソースは第2のTTI長を有するダウンリンクデータ伝送に使用できない。図6aに示すように、第1の端末デバイスによって検出される第1の探索空間と第2の端末デバイスによって検出される第2の探索空間とはどちらも、2シンボルのTTI長を有するダウンリンクデータ伝送に対応する周波数帯域に位置する。さらに任意選択で、第1の探索空間と第2の探索空間とは完全にオーバーラップする、すなわち、第1の端末デバイスと第2の端末デバイスとは同じ探索空間を検出する。
【０１６１】
任意選択で、第1の探索空間は第1の周波数領域リソースに位置し、第2の探索空間は第2の周波数領域リソースに位置し、第1の周波数領域リソースは、第2のTTI長を有するダウンリンクデータ伝送に使用できず、第2の周波数領域リソースは、第2のTTI長を有するダウンリンクデータ伝送および／または第1のTTI長を有するダウンリンクデータ伝送に使用できる。図6bに示すように、第1の端末デバイスによって検出される第1の探索空間は、2シンボルのTTI長を有するダウンリンクデータ伝送のために占有される周波数帯域に位置し、第2の端末デバイスによって検出される第2の探索空間は、2シンボルのTTI長を有するダウンリンクデータ伝送のために占有される周波数帯域と、0.5msのTTI長有するダウンリンクデータ伝送のために占有される周波数帯域とに位置する。
【０１６２】
任意選択で、第1の端末デバイスとの第1のデータ伝送を行う前に、ネットワークデバイスは、第1の端末デバイスに指示情報を送信する。指示情報は、第1のデータ伝送のために占有できないリソース、例えば、時間領域リソースおよび／または周波数領域リソースを指示する。第1のデータ伝送のために占有できないリソースは、第1のDCIによって占有されるリソースおよび／または第2のDCIによって占有されるリソースを含む。第1のデータ伝送はダウンリンクデータ伝送であり、第1の探索空間が位置する時間単位と、第2の探索空間が位置する時間単位と、第1のデータ伝送が行われる時間単位とは同じ（すなわち、第1の時間単位）である。任意選択で、指示情報は第1のDCIに含まれる。
【０１６３】
任意選択で、ネットワークデバイスが、第1の探索空間および第2の探索空間のうちの少なくとも1つの探索空間を決定する前に、本方法は、ネットワークデバイスが、第1の端末デバイスに第1の時間単位構成情報を送信するステップ、および／またはネットワークデバイスが、第2の端末デバイスに第2の時間単位構成情報を送信するステップであって、第1の時間単位が第1の時間単位集合を指示するために使用され、第2の時間単位が第2の時間単位集合を指示するために使用される、ステップ、をさらに含む。
【０１６４】
本発明の本実施形態によれば、第1の探索空間は第1の時間単位にあり、第2の探索空間は第2の時間単位にある。第1時間単位と第2時間単位とは、第1時間単位集合と第2時間単位集合とにそれぞれ属するが、第1の時間単位集合と第2の時間単位集合とは部分的に、または完全にオーバーラップし、そのため、ネットワークデバイスは、探索空間をより柔軟に決定し、複数のTTI長を有するデータ伝送または複数のスケジューリング優先順位を有するデータ伝送をサポートするために、異なる探索空間に対して、異なるデータ伝送をスケジュールするために使用されるDCIを構成することができる。さらに、第2の時間単位集合が第1の時間単位集合の真部分集合である場合、ネットワークデバイスは、第2のDCIを第1のDCIより低い周波数で送信してよく、端末デバイスが第2の探索空間を決定し、第2のDCIを検出する周波数を下げることができ、それによって処理の複雑さが低減する。第1の時間単位集合と第2の時間単位集合とが完全にオーバーラップする場合、第2のDCIを送信する機会を増やすことができ、そのため、ネットワークデバイスは、第2のDCIをより柔軟に構成し、送信することができ、それによって、第2のDCIを使用したスケジューリングに成功する確率が高まる。
【０１６５】
図7は、本発明の一実施形態による端末デバイスの概略的構造図である。本デバイスは、前述の実施形態の方法を行うように構成されうることに留意されたい。したがって、前述の実施形態の内容と同じ内容については、前述の実施形態の説明を参照されたく、以下では詳細を繰り返さない。
【０１６６】
本発明の本デバイスは、プロセッサと送受信機とを含んでいてよく、プロセッサは送受信機と通信接続されている。当然ながら、本デバイスは、メモリなどをさらに含みうる。例えば、メモリは、所定のシーケンスを格納していてもよく、所定の規則などをさらに格納していてもよい。
【０１６７】
プロセッサは、第1の探索空間および第2の探索空間のうちの少なくとも1つの探索空間を決定し、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なる、ように構成される。
【０１６８】
プロセッサは、少なくとも1つの探索空間においてダウンリンク制御情報（DCI）の少なくとも一部を検出するように構成される。
【０１６９】
プロセッサは、少なくとも1つの探索空間においてDCIの少なくとも一部を検出する。CRCにパスする候補制御チャネルが検出された場合、候補制御チャネル上で搬送されたDCIは、データ伝送をスケジュールするために使用され、ネットワークデバイスによって端末デバイスに送信されたDCIである。そうではなく、端末デバイスが、CRCにパスする候補制御チャネルを検出しない場合、それはネットワークデバイスが端末デバイスにDCIを送信していないことを指示する。
【０１７０】
任意選択で、データ伝送をスケジュールするために使用されるDCIを検出した場合、プロセッサは、DCIに基づいてネットワークデバイスとのデータ伝送を行いうる。ダウンリンクデータ伝送では、端末デバイスの送受信機は、DCIによって指示されるデータ伝送リソース上で、ネットワークデバイスによって送信されたダウンリンクデータパケットを受信し、アップリンクデータ伝送では、端末デバイスの送受信機は、DCIによって指示されるデータ伝送リソース上でネットワークデバイスにアップリンクデータパケットを送信しうる。
【０１７１】
任意選択で、第1の時間単位集合と第2の時間単位集合とが事前定義される場合、メモリは、第1の時間単位集合および第2の時間単位集合を格納するようにさらに構成される。
【０１７２】
任意選択で、端末デバイスがネットワークデバイスによって送信されたシグナリングを受信する必要がある場合、送受信機はシグナリングをさらに受信しうる。任意選択で、シグナリングは、第1の時間単位集合および／または第2の時間単位集合を指示するために使用される。任意選択で、シグナリングは、第1の時間単位および／または第2の時間単位を指示するために使用される。任意選択で、シグナリングは、第1の探索空間および／または第2の探索空間を指示するために使用される情報を含む。
【０１７３】
本発明の本実施形態によれば、第1の探索空間は第1の時間単位にあり、第2の探索空間は第2の時間単位にある。第1時間単位と第2時間単位とは、第1時間単位集合と第2時間単位集合とにそれぞれ属するが、第1の時間単位集合と第2の時間単位集合とは部分的に、または完全にオーバーラップし、そのため、端末デバイスは、複数のTTI長を有するデータ伝送または複数のスケジューリング優先順位を有するデータ伝送をサポートするために、異なる探索空間において、異なるデータ伝送をスケジュールするために使用されるDCIを検出することができる。さらに、第2の時間単位集合が第1の時間単位集合の真部分集合である場合、ネットワークデバイスは、第2のDCIを第1のDCIより低い周波数で送信してよく、端末デバイスが第2の探索空間を決定し、第2のDCIを検出する周波数を下げることができ、それによって処理の複雑さが低減する。
【０１７４】
図8は、発明の一実施形態によるネットワークデバイスの概略構造図である。本デバイスは、前述の実施形態の方法を行うように構成されうることに留意されたい。したがって、前述の実施形態の内容と同じ内容については、前述の実施形態の説明を参照されたく、以下では詳細を繰り返さない。
【０１７５】
本実施形態のデバイスは、プロセッサと送受信機とを含みうる。プロセッサは送受信機と通信接続されている。当然ながら、本デバイスは、メモリなどをさらに含みうる。例えば、メモリは、所定のシーケンスを格納していてもよく、所定の規則などをさらに格納していてもよい。
【０１７６】
プロセッサは、第1の探索空間および第2の探索空間のうちの少なくとも1つの探索空間を決定し、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なる、ように構成される。
【０１７７】
送受信機は、ダウンリンク制御情報（DCI）の少なくとも一部を送信し、DCIが少なくとも1つの探索空間に位置する、ように構成される。
【０１７８】
任意選択で、ネットワークデバイスのプロセッサは、第1の時間単位および／または第2の時間単位における第1の探索空間および第2の探索空間のうちの少なくとも1つを決定するために、第1の時間単位集合および／または第2の時間単位集合の中から第1の時間単位および／または第2の時間単位を決定しうる。ネットワークデバイスの送受信機は、プロセッサによって決定された少なくとも1つの探索空間において、データ伝送をスケジュールするために使用されるDCIを送信する。
【０１７９】
任意選択で、第1の時間単位集合と第2の時間単位集合とが事前定義される場合、メモリは、第1の時間単位集合および第2の時間単位集合を格納するようにさらに構成される。
【０１８０】
任意選択で、ネットワークデバイスが端末デバイスにシグナリングをさらに送信する必要がある場合、送受信機はシグナリングをさらに送信しうる。任意選択で、シグナリングは、第1の時間単位集合および／または第2の時間単位集合を指示するために使用される。任意選択で、シグナリングは、第1の時間単位および／または第2の時間単位を指示するために使用される。任意選択で、シグナリングは、第1の探索空間および／または第2の探索空間を指示するために使用される情報を含む。
【０１８１】
本発明の本実施形態によれば、第1の探索空間は第1の時間単位にあり、第2の探索空間は第2の時間単位にある。第1時間単位と第2時間単位とは、第1時間単位集合と第2時間単位集合とにそれぞれ属するが、第1の時間単位集合と第2の時間単位集合とは部分的に、または完全にオーバーラップし、そのため、ネットワークデバイスは、探索空間をより柔軟に決定し、複数のTTI長を有するデータ伝送または複数のスケジューリング優先順位を有するデータ伝送をサポートするために、異なる探索空間に対して、異なるデータ伝送をスケジュールするために使用されるDCIを構成することができる。さらに、第2の時間単位集合が第1の時間単位集合の真部分集合である場合、ネットワークデバイスは、第2のDCIを第1のDCIより低い周波数で送信してよく、端末デバイスが第2の探索空間を決定し、第2のDCIを検出する周波数を下げることができ、それによって処理の複雑さが低減する。第1の時間単位集合と第2の時間単位集合とが完全にオーバーラップする場合、第2のDCIを送信する機会を増やすことができ、そのためネットワークデバイスは第2のDCIをより柔軟に構成し、送信することができ、それによって、第2のDCIを使用したスケジューリングに成功する確率が高まる。本発明のすべての前述の実施形態におけるプロセッサは、中央処理装置（central processing unit、CPU）であってもよく、別の汎用プロセッサ、デジタル信号プロセッサ（digital signal processor、DSP）、特定用途向け集積回路（application-specific integrated circuit、ASIC）、フィールド・プログラマブル・ゲート・アレイ（field programmable gate array、FPGA）または別のプログラマブル・ロジック・デバイス、ディスクリートゲートまたはトランジスタ・ロジック・デバイス、ディスクリート・ハードウェア・コンポーネントなどであってもよいことに留意されたい。加えて、本発明の前述の実施形態におけるネットワークデバイスおよび端末デバイスは、メモリなどの構成要素をさらに含んでいてもよい。この場合のメモリは、読取り専用メモリおよびランダム・アクセス・メモリを含み、プロセッサのための命令およびデータを提供しうる。メモリの一部は、不揮発性ランダム・アクセス・メモリをさらに含みうる。例えば、メモリはデバイス種別情報をさらに格納していてもよい。プロセッサは、本発明の実施形態において前述の動作を行うべきであるネットワークデバイスとユーザ機器内の別モジュールとを制御するために、メモリ内の命令コードを呼び出す。
【０１８２】
本明細書全体において言及される本発明の「一実施形態」、「1つの実施形態」、または「本実施形態」とは、実施形態に関連した特定の特徴、構造、または特性が、本発明の少なくとも1つの実施形態に含まれることを意味するものであることを理解されたい。したがって、本明細書全体のあらゆる部分における本発明の「一実施形態において」、「1つの実施形態おいて」、または「本実施形態において」は、必ずしも同じ実施形態を指すとは限らない。加えて、これら特定の特徴、構造、または特性は、任意の適切な方法で1または複数の実施形態において組み合わされてもよい。
【０１８３】
前述の各プロセスの順序番号は本発明の様々な実施形態における実行順序を意味するものではないことを理解されたい。各プロセスの実行順序は、各プロセスの機能および内部論理に基づいて決定されるべきであり、本発明の各実施形態の実施プロセスに関するいかなる限定としても解釈されるべきではない。
【０１８４】
加えて、「システム」という用語と「ネットワーク」という用語は本明細書では区別なく用いられる場合がある。本明細書における「および／または」という用語は、関連付けられる対象を記述する場合の結合関係を記述するにすぎず、3つの関係が存在しうることを表す。例えば、Aおよび／またはBは、Aのみが存在する、AとBの両方が存在する、Bのみが存在する、という3つの場合を表しうる。加えて、本明細書における文字「／」は一般に、関連付けられる対象間の「または」の関係を示す。
【０１８５】
本発明の実施形態において、「A」に対応する「B」とは、BがAと関連付けられていることを指示し、BはAに従って決定されうることを理解されたい。しかし、Aに従ってBを決定することは、BがAのみに従って決定されることを意味せず、Bはまた、Aおよび／または他の情報に従っても決定されうることをさらに理解されたい。
【０１８６】
当業者であれば分かるように、本明細書で開示された実施形態に記載されている例と組み合わせて、ユニットおよびアルゴリズムステップを、電子ハードウェア、コンピュータソフトウェア、またはこれらの組み合わせによって実現することもできる。以上では、ハードウェアとソフトウェアとの間の互換性を明確に記述するために、機能に基づく各例の構成およびステップを一般的に記述している。各機能が果たされるのがハードウェアによってか、それともソフトウェアによってかは、技術的解決策の個々の用途および設計上の制約条件に依存する。当業者は、記載の機能を個々の用途ごとに実現するために様々な方法を使用しうるが、そうした実施態様は本発明の範囲を超えるものとみなされるべきではない。
【０１８７】
本出願のいくつかの実施形態において、図示され、または論じられている相互結合または直接結合または通信接続は、いくつかのインターフェースを使用して実現されてもよい。装置間またはユニット間の間接結合または通信接続は、電子的形態、機械的形態、または他の形態として実現されてもよい。
【０１８８】
別々の部品として記述されたユニットは物理的に分離している場合もそうではない場合もあり、ユニットとして図示された部品は物理的ユニットである場合もそうではない場合もあり、一箇所に位置する場合もあり、複数のネットワークユニット上に分散されている場合もある。ユニットの一部または全部が、各実施形態の解決策の目的を達成するための実際の要件に応じて選択されてもよい。
【０１８９】
統合ユニットがソフトウェア機能ユニットの形態で実現され、独立した製品として販売または使用される場合、その統合ユニットはコンピュータ可読記憶媒体に格納されうる。そうした理解に基づき、本発明の技術的解決策は本質的に、または先行技術に寄与する部分が、または技術的解決策の一部がソフトウェア製品の形態で実現されうる。コンピュータソフトウェア製品は記憶媒体に格納され、（パーソナルコンピュータ、サーバ、ネットワークデバイスなどとしうる）コンピュータデバイスに、本発明の実施形態に記載されている方法のステップの全部または一部を実行するよう命令するためのいくつかの命令を含む。前述の記憶媒体は、USBフラッシュドライブ、リムーバブル・ハード・ディスク、読取り専用メモリ（Read-Only Memory、略称ROM）、ランダム・アクセス・メモリ（Random Access Memory、略称RAM）、磁気ディスク、光ディスクといった、プログラムコードを格納することができる任意の媒体を含む。
【０１９０】
以上の説明は、単に、本発明の具体的実施態様であるにすぎず、本発明の保護範囲を限定するためのものではない。本発明で開示される技術範囲内で当業者によって容易に考案されるいかなる変形も置換も、本発明の保護範囲内に含まれるものとする。したがって、本発明の保護範囲は、特許請求の範囲の保護範囲に従うものとする。
【符号の説明】
【０１９１】
70  プロセッサ
71  送受信機
80  プロセッサ
81  送受信機
【図１】
2019503634.tif 000017
【図２ａ】
2019503634.tif 000018
【図２ｂ】
2019503634.tif 000019
【図３】
2019503634.tif 000020
【図４ａ】
2019503634.tif 000021
【図４ｂ】
2019503634.tif 000022
【図４ｃ】
2019503634.tif 000023
【図４ｄ】
2019503634.tif 000024
【図４ｅ】
2019503634.tif 000025
【図４ｆ】
2019503634.tif 000026
【図４ｇ】
2019503634.tif 000027
【図４ｈ】
2019503634.tif 000028
【図５】
2019503634.tif 000029
【図６ａ】
2019503634.tif 000030
【図６ｂ】
2019503634.tif 000031
【図７】
2019503634.tif 000032
【図８】
2019503634.tif 000033
【手続補正書】
【提出日】平成30年9月11日(2018.9.11)
【手続補正１】
【補正対象書類名】明細書
【補正対象項目名】全文
【補正方法】変更
【補正の内容】
【発明の詳細な説明】
【技術分野】
【０００１】
本出願は、2016年2月2日に出願された「DOWNLINK CONTROL INFORMATION DETECTION METHOD, DOWNLINK CONTROL INFORMATION SENDING METHOD, AND APPARATUS」という名称の国際特許出願第PCT/CN2016/073210号の優先権を主張するものであり、参照により上記国際出願の全体が本明細書に組み入れられる。
【０００２】
本発明は、通信分野に関し、特に、ダウンリンク制御情報検出方法、ダウンリンク制御情報送信方法、および装置に関する。
【背景技術】
【０００３】
無線通信システムにおいて、端末デバイスは、ダウンリンクデータを受信し、またはアップリンクデータを送信する前に、ネットワークデバイスによって端末デバイスのために構成されたスケジューリング情報、例えば、時間周波数リソース割り振りや変調符号化方式を知る必要がある。また、ネットワークデバイスも端末装置に、アップリンク伝送に関連した電力制御コマンド情報を知らせる必要がある。スケジューリング情報および電力制御コマンド情報は、DCI（downlink control information、ダウンリンク制御情報）に属し、すなわち、DCIはデータ伝送をスケジュールするために使用される。
【０００４】
LTE（Long Term Evolution、ロング・ターム・エボリューション）システムにおいて、ネットワークデバイスは、主に、物理ダウンリンク制御チャネル（PDCCH）を使用してDCIを搬送する。現在定義されているPDCCH、例えば、リリースRel-8で定義されているPDCCHやRel-11で定義されているEPDCCH（enhanced PDCCH、拡張PDCCH）はすべて、1msのTTI（transmission time interval、伝送時間間隔）長を有するデータ伝送をスケジュールするために使用される。しかし、システムにおいては、異なるサービス要件またはシナリオ要件をマッチさせるために、複数のTTI長を有するデータ伝送または複数のスケジューリング優先順位を有するデータ伝送が必要とされる。先行技術では、探索空間は通常、ダウンリンクサブフレームの最初の1シンボル、2シンボル、3シンボル、または4シンボルに位置し、またはPDSCHのシンボル領域に位置する。したがって、既存のLTEシステムにおける探索空間は、サブフレームにおいて1回だけ構成される。複数のTTI長を有するデータ伝送または複数のスケジューリング優先順位を有するデータ伝送では、探索空間の柔軟性が比較的低い。
【発明の概要】
【課題を解決するための手段】
【０００５】
本発明の実施形態は、探索空間を柔軟に構成し、DCIを柔軟に伝送するダウンリンク制御情報検出方法、ダウンリンク制御情報送信方法、および装置を提供する。
【０００６】
第1の態様によれば、ダウンリンク制御情報検出方法が提供され、本方法は、
端末デバイスにより、第1の探索空間および第2の探索空間のうちの少なくとも1つの探索空間を決定するステップであって、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的にまたは完全にオーバーラップし、第1の時間単位が第2の時間単位と同じかまたは異なる、ステップと、
端末デバイスにより、少なくとも1つの探索空間においてダウンリンク制御情報（DCI）の少なくとも一部を検出するステップと
を含む。
【０００７】
任意選択で、少なくとも1つの探索空間は第1の探索空間であり、ダウンリンク制御情報の少なくとも一部は第1のDCIを含み、かつ端末デバイスにより、少なくとも1つの探索空間においてDCIの少なくとも一部を検出するステップは、端末デバイスにより、第1の探索空間において第1のDCIを検出するステップを含み、
少なくとも1つの探索空間は第2の探索空間であり、ダウンリンク制御情報の少なくとも一部は第2のDCIを含み、かつ端末デバイスにより、少なくとも1つの探索空間においてDCIの少なくとも一部を検出するステップは、端末デバイスにより、第2の探索空間において第2のDCIを検出するステップを含み、または
少なくとも1つの探索空間は第1の探索空間および第2の探索空間を含み、ダウンリンク制御情報の少なくとも一部は第1のDCIおよび第2のDCIを含み、かつ端末デバイスにより、少なくとも1つの探索空間においてDCIの少なくとも一部を検出するステップは、端末デバイスにより、第1の探索空間において第1のDCIを検出し、第2の探索空間において第2のDCIを検出するステップを含み、
第1のDCIは第1のデータ伝送をスケジュールするために使用され、第2のDCIは第2のデータ伝送をスケジュールするために使用され、第1のデータ伝送の第1の伝送時間間隔（TTI）長は、第2のデータ伝送の第2の伝送時間間隔（TTI）長よりも短い。
【０００８】
端末デバイスは、異なるTTI長を有するデータ伝送をスケジュールするために少なくとも2種類のDCIを検出することができ、そのため、異なるTTI長に基づいて端末デバイスとネットワークデバイスとの間でデータ伝送を効果的に行うことができる。
【０００９】
任意選択で、本ダウンリンク制御情報検出方法は、
端末デバイスにより、第3の探索空間を決定するステップであって、第3の探索空間が時間窓T内の第3の時間単位にあり、第3の時間単位が第2の時間単位集合に属する、ステップと、
端末デバイスにより、第3の探索空間において第3のDCIを検出するステップであって、端末デバイスによって第2の探索空間において検出された第2のDCIと端末デバイスによって第3の探索空間において検出された第3のDCIとがどちらも第2のデータ伝送をスケジュールするために使用される、ステップと
をさらに含む。
【００１０】
この任意選択の実施形態によれば、第2のDCIと第3のDCIとがどちらも同じデータ伝送をスケジュールするために使用されるため、第2のデータ伝送が正常にスケジュールされる確率を高めることができる。
【００１１】
第2の態様によれば、ダウンリンク制御情報送信方法が提供され、本方法は、
ネットワークデバイスにより、第1の探索空間および第2の探索空間のうちの少なくとも1つの探索空間を決定するステップであって、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的にまたは完全にオーバーラップし、第1の時間単位が第2の時間単位と同じかまたは異なる、ステップと、
ネットワークデバイスにより、ダウンリンク制御情報（DCI）の少なくとも一部を送信するステップであって、DCIの少なくとも一部が少なくとも1つの探索空間に位置する、ステップと
を含む。
【００１２】
任意選択で、少なくとも1つの探索空間が第1の探索空間であり、かつダウンリンク制御情報の少なくとも一部が第1のDCIを含み、または
少なくとも1つの探索空間が第2の探索空間であり、かつダウンリンク制御情報の少なくとも一部が第2のDCIを含み、または
少なくとも1つの探索空間が第1の探索空間および第2の探索空間を含み、かつダウンリンク制御情報の少なくとも一部が第1のDCIおよび第2のDCIを含み、
第1のDCIが第1の探索空間に位置し、第2のDCIが第2の探索空間に位置し、第1のDCIが第1のデータ伝送をスケジュールするために使用され、第2のDCIが第2のデータ伝送をスケジュールするために使用され、第1のデータ伝送の第1の伝送時間間隔（TTI）長が、第2のデータ伝送の第2の伝送時間間隔（TTI）長よりも短い。
【００１３】
ネットワークデバイスは異なる探索空間において異なるDCIを送信することができる。第1の探索空間は第1の時間単位集合内の任意の時間単位に位置し、第2の探索空間は第2の時間単位集合内の任意の時間単位に位置しうる。この場合、ネットワークデバイスは、第1のDCIが送信される必要があるときにいつでも、第1の時間単位集合内の任意の時間単位において第1のDCIをすぐに送信することができ、ネットワークデバイスは、第2のDCIが送信される必要があるときにいつでも、第2の時間単位集合内の任意の時間単位において第2のDCIをすぐに送信することができる。例えば、時間窓Tが1サブフレームである場合、ネットワークデバイスは、第1のDCIが送信される必要があるときにいつでも、第1の時間単位集合内の任意の時間単位において第1のDCIをすぐに送信することができ、ネットワークデバイスは、第2のDCIが送信される必要があるときにいつでも、第2の時間単位集合内の任意の時間単位において第2のDCIをすぐに送信することができる。これは、伝送を次のサブフレームでしか行えない先行技術と異なる。
【００１４】
任意選択で、本ダウンリンク制御情報送信方法は、
ネットワークデバイスにより、第3の探索空間を決定するステップであって、第3の探索空間が時間窓T内の第3の時間単位にあり、第3の時間単位が第2の時間単位集合に属する、ステップと、
ネットワークデバイスにより、第3の探索空間において第3のDCIを送信するステップであって、ネットワークデバイスによって第2の探索空間において送信された第2のDCIとネットワークデバイスによって第3の探索空間において送信された第3のDCIとがどちらも第2のデータ伝送をスケジュールするために使用される、ステップと
をさらに含む。
【００１５】
任意選択で、第1の探索空間が、第1の端末デバイスによって検出される探索空間であり、第2の探索空間が、第2の端末デバイスによって検出される探索空間である。
【００１６】
任意選択で、第1の探索空間は第1の周波数領域リソースに位置し、第1の周波数領域リソースは、第2のTTI長を有するダウンリンクデータ伝送に使用できない。
【００１７】
任意選択で、第2の時間単位集合が第1の時間単位集合の真部分集合である。
【００１８】
この任意選択の実施形態によれば、第2の時間単位集合は第1の時間単位集合の真部分集合であるため、第1のTTI長が第2のTTI長よりも短い場合、ネットワークデバイスは、第2のDCIを第1のDCIよりも低い周波数で送信しうる。これにより端末デバイスが第2の探索空間を決定し、第2のDCIを検出する周波数を下げることができ、それによって処理の複雑さが低減する。
【００１９】
任意選択で、第1の時間単位集合と第2の時間単位集合とは完全にオーバーラップし、第1のTTI長は2シンボルの長さであり、第2のTTI長は4シンボルの長さである。2シンボルの長さが4シンボルの長さとわずかに異なるため、第1の時間単位集合と第2の時間単位集合とは完全にオーバーラップし、そのため第2のDCIを使用したスケジューリングに成功する確率が高まる。任意選択で、第2のデータ伝送はアップリンクデータ伝送である。
【００２０】
任意選択で、第2の時間単位集合は第1の時間単位集合の真部分集合である。第1のTTI長は2シンボルの長さであり、第2のTTI長は0.5msまたは1msである。2シンボルの長さは0.5msまたは1msの長さと大きく異なるため、第2の時間単位集合は第1の時間単位集合の真部分集合であり、そのためブラインド検出回数が減少する。任意選択で、第2のデータ伝送はダウンリンクデータ伝送またはアップリンクデータ伝送である。
【００２１】
任意選択で、NT＝2であり、第1の時間単位集合は時間単位0および時間単位1を含み、かつ第2の時間単位集合は時間単位0を含み、または
NT＝4であり、第1の時間単位集合は時間単位0、時間単位1、時間単位2、および時間単位3を含み、かつ第2の時間単位集合は時間単位0を含み、または
NT＝4であり、第1の時間単位集合は時間単位0、時間単位1、時間単位2、および時間単位3を含み、かつ第2の時間単位集合は時間単位0および時間単位2を含み、または
NT＝7であり、第1の時間単位集合は時間単位0、時間単位1、時間単位2、時間単位3、時間単位4、時間単位5、および時間単位6を含み、かつ第2の時間単位集合は時間単位0を含み、または
NT＝7であり、第1の時間単位集合は時間単位0、時間単位1、時間単位2、時間単位3、時間単位4、時間単位5、および時間単位6を含み、かつ第2の時間単位集合は時間単位0および時間単位3を含むか、もしくは時間単位0および時間単位4を含み、または
NT＝7であり、第1の時間単位集合は時間単位0、時間単位1、時間単位2、時間単位3、時間単位4、時間単位5、および時間単位6を含み、かつ第2の時間単位集合は時間単位0、時間単位2、時間単位3、および時間単位5を含むか、もしくは第2の時間単位集合は時間単位0、時間単位1、時間単位3、および時間単位5を含むか、もしくは第2の時間単位集合は時間単位0、時間単位1、時間単位3、および時間単位4を含むか、もしくは第2の時間単位集合は時間単位0、時間単位2、時間単位4、および時間単位6を含む。
【００２２】
任意選択で、時間窓Tは1サブフレームであり、NT個の時間単位の各々は少なくとも1シンボルを含み、
第1のTTI長および第2のTTI長は、1ミリ秒、0.5ミリ秒、4シンボルの長さ、3シンボルの長さ、2シンボルの長さ、および1シンボルの長さのうちの2つである。
【００２３】
任意選択で、第1の時間単位は第2の時間単位と同じであり、第1の探索空間と第2の探索空間とは部分的に、または完全にオーバーラップする。
【００２４】
任意選択で、第1の時間単位集合は時間単位iおよび時間単位jを含み、
第1の時間単位が時間単位iである場合、第1の探索空間はM個のリソース要素を占有し、第1の時間単位が時間単位jである場合、第1の探索空間はN個のリソース要素を占有し、MおよびNは自然数であり、MはNと等しくない。
【００２５】
任意選択で、第2のデータ伝送のTTI長は1ミリ秒であり、第1の探索空間は、共通探索空間（CSS）に属する候補制御チャネルを含まず、第2の探索空間は、CSSに属する候補制御チャネルおよび特定探索空間（UESS）に属する候補制御チャネルを含む。
【００２６】
第3の態様によれば、プロセッサと送受信機とを含む端末デバイスが提供され、送受信機はプロセッサと通信し、
プロセッサは、第1の探索空間および第2の探索空間のうちの少なくとも1つの探索空間を決定するように構成され、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なり、
プロセッサは、少なくとも1つの探索空間においてダウンリンク制御情報（DCI）の少なくとも一部を検出するように構成される。
【００２７】
任意選択で、少なくとも1つの探索空間が第1の探索空間であり、ダウンリンク制御情報の少なくとも一部が第1のDCIを含み、かつプロセッサが少なくとも1つの探索空間においてDCIの少なくとも一部を検出するように構成されることが、第1の探索空間において第1のDCIを検出することを含み、または
少なくとも1つの探索空間が第2の探索空間であり、ダウンリンク制御情報の少なくとも一部が第2のDCIを含み、かつプロセッサが少なくとも1つの探索空間においてDCIの少なくとも一部を検出するように構成されることが、第2の探索空間において第2のDCIを検出することを含み、または
少なくとも1つの探索空間が第1の探索空間および第2の探索空間を含み、ダウンリンク制御情報の少なくとも一部が第1のDCIおよび第2のDCIを含み、かつプロセッサが少なくとも1つの探索空間においてDCIの少なくとも一部を検出するように構成されることが、第1の探索空間において第1のDCIを検出し、第2の探索空間において第2のDCIを検出することを含み、
第1のDCIが第1のデータ伝送をスケジュールするために使用され、第2のDCIが第2のデータ伝送をスケジュールするために使用され、第1のデータ伝送の第1の伝送時間間隔（TTI）長が、第2のデータ伝送の第2の伝送時間間隔（TTI）長よりも短い。
【００２８】
任意選択で、本端末デバイスは、
プロセッサが、第3の探索空間を決定するように構成され、第3の探索空間が時間窓T内の第3の時間単位にあり、第3の時間単位が第2の時間単位集合に属する、こと、および
プロセッサが、第3の探索空間において第3のDCIを検出するように構成され、プロセッサによって第2の探索空間において検出された第2のDCIとプロセッサによって第3の探索空間において検出された第3のDCIとがどちらも第2のデータ伝送をスケジュールするために使用される、こと
をさらに含む。
【００２９】
第4の態様によれば、プロセッサと送受信機とを含むネットワークデバイスが提供され、送受信機はプロセッサと通信し、
プロセッサは、第1の探索空間および第2の探索空間のうちの少なくとも1つの探索空間を決定するように構成され、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なり、
送受信機は、ダウンリンク制御情報（DCI）の少なくとも一部を送信するように構成され、DCIの少なくとも一部が少なくとも1つの探索空間に位置する。
【００３０】
任意選択で、少なくとも1つの探索空間が第1の探索空間であり、かつダウンリンク制御情報の少なくとも一部が第1のDCIを含み、または
少なくとも1つの探索空間が第2の探索空間であり、かつダウンリンク制御情報の少なくとも一部が第2のDCIを含み、または
少なくとも1つの探索空間が第1の探索空間および第2の探索空間を含み、かつダウンリンク制御情報の少なくとも一部が第1のDCIおよび第2のDCIを含み、
第1のDCIが第1の探索空間に位置し、第2のDCIが第2の探索空間に位置し、第1のDCIが第1のデータ伝送をスケジュールするために使用され、第2のDCIが第2のデータ伝送をスケジュールするために使用され、第1のデータ伝送の第1の伝送時間間隔（TTI）長が、第2のデータ伝送の第2の伝送時間間隔（TTI）長よりも短い。
【００３１】
任意選択で、プロセッサが、第3の探索空間を決定するように構成され、第3の探索空間が時間窓T内の第3の時間単位にあり、第3の時間単位が第2の時間単位集合に属し、
プロセッサが、第3のDCIを送信するように構成され、第3のDCIが第3の探索空間に位置し、プロセッサによって第2の探索空間において送信された第2のDCIとプロセッサによって第3の探索空間において送信された第3のDCIとがどちらも第2のデータ伝送をスケジュールするために使用される。
【００３２】
任意選択で、第1の探索空間が、第1の端末デバイスによって検出される探索空間であり、第2の探索空間が、第2の端末デバイスによって検出される探索空間である。
【００３３】
任意選択で、第1の探索空間は第1の周波数領域リソースに位置し、第1の周波数領域リソースは、第2のTTI長を有するダウンリンクデータ伝送に使用できない。
【００３４】
任意選択で、第2の時間単位集合が第1の時間単位集合の真部分集合である。
【００３５】
任意選択で、第1の時間単位集合と第2の時間単位集合とは完全にオーバーラップし、第1のTTI長は2シンボルの長さであり、第2のTTI長は4シンボルの長さである。2シンボルの長さが4シンボルの長さとわずかに異なるため、第1の時間単位集合と第2の時間単位集合とは完全にオーバーラップし、そのため第2のDCIを使用したスケジューリングに成功する確率が高まる。任意選択で、第2のデータ伝送はアップリンクデータ伝送である。
【００３６】
任意選択で、第2の時間単位集合は第1の時間単位集合の真部分集合である。第1のTTI長は2シンボルの長さであり、第2のTTI長は0.5msまたは1msである。2シンボルの長さは0.5msまたは1msの長さと大きく異なるため、第2の時間単位集合は第1の時間単位集合の真部分集合であり、そのためブラインド検出回数が減少する。任意選択で、第2のデータ伝送はダウンリンクデータ伝送またはアップリンクデータ伝送である。
【００３７】
任意選択で、NT＝2であり、第1の時間単位集合は時間単位0および時間単位1を含み、かつ第2の時間単位集合は時間単位0を含み、または
NT＝4であり、第1の時間単位集合は時間単位0、時間単位1、時間単位2、および時間単位3を含み、かつ第2の時間単位集合は時間単位0を含み、または
NT＝4であり、第1の時間単位集合は時間単位0、時間単位1、時間単位2、および時間単位3を含み、かつ第2の時間単位集合は時間単位0および時間単位2を含み、または
NT＝7であり、第1の時間単位集合は時間単位0、時間単位1、時間単位2、時間単位3、時間単位4、時間単位5、および時間単位6を含み、かつ第2の時間単位集合は時間単位0を含み、または
NT＝7であり、第1の時間単位集合は時間単位0、時間単位1、時間単位2、時間単位3、時間単位4、時間単位5、および時間単位6を含み、かつ第2の時間単位集合は時間単位0および時間単位3を含むか、もしくは時間単位0および時間単位4を含み、または
NT＝7であり、第1の時間単位集合は時間単位0、時間単位1、時間単位2、時間単位3、時間単位4、時間単位5、および時間単位6を含み、かつ第2の時間単位集合は時間単位0、時間単位2、時間単位3、および時間単位5を含むか、もしくは第2の時間単位集合は時間単位0、時間単位1、時間単位3、および時間単位5を含むか、もしくは第2の時間単位集合は時間単位0、時間単位1、時間単位3、および時間単位4を含むか、もしくは第2の時間単位集合は時間単位0、時間単位2、時間単位4、および時間単位6を含む。
【００３８】
任意選択で、時間窓Tは1サブフレームであり、NT個の時間単位の各々は少なくとも1シンボルを含み、
第1のTTI長および第2のTTI長は、1ミリ秒、0.5ミリ秒、4シンボルの長さ、3シンボルの長さ、2シンボルの長さ、および1シンボルの長さのうちの2つである。
【００３９】
任意選択で、第1の時間単位は第2の時間単位と同じであり、第1の探索空間と第2の探索空間とは部分的にまたは完全にオーバーラップする。
【００４０】
任意選択で、第1の時間単位集合は時間単位iおよび時間単位jを含み、
第1の時間単位が時間単位iである場合、第1の探索空間はM個のリソース要素を占有し、第1の時間単位が時間単位jである場合、第1の探索空間はN個のリソース要素を占有し、MおよびNは自然数であり、MはNと等しくない。
【００４１】
任意選択で、第2のデータ伝送のTTI長は1ミリ秒であり、第1の探索空間は、共通探索空間（CSS）に属する候補制御チャネルを含まず、第2の探索空間は、CSSに属する候補制御チャネルおよび特定探索空間（UESS）に属する候補制御チャネルを含む。
【００４２】
本発明の実施形態によれば、第1の探索空間は第1の時間単位にあり、第2の探索空間は第2の時間単位にあり、第1の時間単位と第2の時間単位とは、第1の時間単位集合と第2の時間単位集合とにそれぞれ属する。しかし、第1の時間単位集合と第2の時間単位集合とは部分的にまたは完全にオーバーラップし、そのため、ネットワークデバイスは、探索空間をより柔軟に決定し、異なる探索空間に対して、異なるデータ伝送をスケジュールするために使用されるDCIを構成することができ、それに対応して、端末デバイスは、複数のTTI長を有するデータ伝送または複数のスケジューリング優先順位を有するデータ伝送をサポートするために、異なる探索空間において、異なるデータ伝送をスケジュールするために使用されるDCIを検出しうる。
【図面の簡単な説明】
【００４３】
【図１】本発明の一実施形態によるダウンリンク制御情報検出方法の概略的流れ図である。
【図２ａ】本発明の一実施形態による、1サブフレームが複数の時間単位を含む概略図である。
【図２ｂ】本発明の一実施形態による、1サブフレームが複数の時間単位を含む概略図である。
【図３】本発明の一実施形態による、第1の探索空間が第2の探索空間と同じである概略図である。
【図４ａ】本発明の一実施形態による、DCIがデータ伝送を指示する概略図である。
【図４ｂ】本発明の一実施形態による、DCIがデータ伝送を指示する概略図である。
【図４ｃ】本発明の一実施形態による、DCIがデータ伝送を指示する概略図である。
【図４ｄ】本発明の一実施形態による、DCIがデータ伝送を指示する概略図である。
【図４ｅ】本発明の一実施形態による、DCIがデータ伝送を指示する概略図である。
【図４ｆ】本発明の一実施形態による、DCIがデータ伝送を指示する概略図である。
【図４ｇ】本発明の一実施形態による、DCIがデータ伝送を指示する概略図である。
【図４ｈ】本発明の一実施形態による、DCIがデータ伝送を指示する概略図である。
【図５】本発明の一実施形態によるダウンリンク制御情報送信方法の概略的流れ図である。
【図６ａ】本発明の一実施形態による、探索空間が時間周波数リソースを占有する概略図である。
【図６ｂ】本発明の一実施形態による、探索空間が時間周波数リソースを占有する概略図である。
【図７】本発明の一実施形態による第1の例の概略図である。
【図８】本発明の一実施形態による第2の例の概略図である。
【発明を実施するための形態】
【００４４】
本発明の好ましい実施形態の解決策の理解を容易にするために、本発明の実施形態に記載される基本概念についてまず説明する。本発明の実施形態を、LTEシステムを例にとって説明するが、これは、本発明の実施形態がLTEシステムだけに適用できること意味せず、実際には、DCIを使用したどんな無線通信システムスケジューリングデータ伝送でも本発明の実施形態において提供される技術的解決策を使用することができることに留意されたい。加えて、本発明の実施形態におけるDCIは、データ伝送をスケジュールするために使用される情報を意味するが、LTEにおけるダウンリンク制御情報だけに限定されない。
【００４５】
1．フレーム構造
【００４６】
LTEシステムの1無線フレーム（radio frame）は10サブフレーム（subframe）を含み、各サブフレームの長さは1ミリ秒（ms）であり、各サブフレームは2タイムスロット（slot）を含み、各タイムslotの長さは0.5msである。
【００４７】
各タイムスロットに含まれるシンボルの数は、1サブフレーム内のCP（cyclic prefix、サイクリックプレフィックス）の長さに関連している。CPがnormal（通常の）CPである場合、各タイムslotは7シンボルを含み、各サブフレームは14シンボルを含む。例えば、各サブフレームは、その順序番号が、それぞれ、＃0、＃1、＃2、＃3、＃4、＃5、＃6、＃7、＃8、＃9、＃10、＃11、＃12、および＃13であるシンボルを含む。CPがextended（拡張）CPである場合、各タイムスロットは6シンボルを含み、各サブフレームは12シンボルを含む。例えば、各サブフレームは、その順序番号が、それぞれ、＃0、＃1、＃2、＃3、＃4、＃5、＃6、＃7、＃8、＃9、＃10、および＃11であるシンボルを含む。
【００４８】
本発明の実施形態では、アップリンクシンボルとダウンリンクシンボルの両方を略してシンボルと呼ぶ。アップリンクシンボルはシングルキャリア周波数分割多元接続（single carrier-frequency division multiple access、SC-FDMA）シンボルであり、ダウンリンクシンボルは直交周波数分割多元化（orthogonal frequency division multiplexing、OFDM）シンボルである。後続の技術に直交周波数分割多元接続（Orthogonal Frequency Division Multiple Access、OFDMA）のアップリンク多元接続方式が導入される場合、アップリンクシンボルは別の種類の実施形態、例えば、OFDMシンボルでありうることに留意されたい。アップリンク多元接続方式およびダウンリンク多元接続方式は本発明においては限定されない。
【００４９】
2．リソース要素
【００５０】
リソース要素（resource element、RE）とは、時間周波数領域における最小単位であり、インデックス対（k，l）によって一意に識別され、kはサブキャリアインデックスであり、lはシンボルインデックスである。当然ながら、リソース要素は、代替として、別の形の識別子によって識別されてもよい。
【００５１】
3．ダウンリンク制御チャネルおよび探索空間
【００５２】
ダウンリンク制御チャネルはDCIを搬送するために使用されるチャネルであり、すなわち、DCIはダウンリンク制御チャネル上で搬送される。ダウンリンク制御チャネルは、PDCCHまたはEPDCCHであってよく、DCIを搬送するために使用される、将来のバージョンで定義されるチャネルであってもよい。例えば、DCIを搬送するチャネルがPDSCH領域に位置する場合、このチャネルはダウンリンク制御チャネルともみなされる。例えば、DCIを搬送するチャネルがPDSCHである場合、PDSCHはダウンリンク制御チャネルともみなされる。
【００５３】
任意選択で、ダウンリンク制御チャネルはL個のCCE（control channel element、制御チャネル要素）を集約することによって形成され、Lは正の整数であり、AL（aggregation level、集約レベル）と呼ばれる。例えば、PDCCHでは、Lは、1、2、4、または8でありうる。例えば、EPDCCHでは、Lは、1、2、4、8、16、または32でありうる。異なる種類のダウンリンク制御チャネルでは、各CCEに含まれるREの数は異なりうる。これについては本明細書ででは限定されない。
【００５４】
探索空間は、1または複数の候補ダウンリンク制御チャネルを含み、各候補ダウンリンク制御チャネルは、DCIを搬送するために使用することができる。簡単にいうと、探索空間は、候補ダウンリンク制御チャネルの集合である。端末デバイスは、ダウンリンク制御チャネル上でリッスンする必要があり、したがって、探索空間は、端末デバイスがリッスンする候補ダウンリンク制御チャネルの集合である。例えば、探索空間は、1または複数のPDCCHを含み、探索空間は、PDCCH探索空間と呼ばれうる。例えば、探索空間は、1または複数のEPDCCHを含み、探索空間は、EPDCCH探索空間と呼ばれうる。
【００５５】
探索空間には、CSS（common search space、共通探索空間）とUESS（UE specific search space、ユーザ機器特定探索空間）の2種類が含まれる。CSSは、セル内の複数の端末デバイスがリッスンする必要のある探索空間であり、UESSは、セル内の特定の端末デバイスがリッスンする必要のある探索空間である。
【００５６】
それに対応して、PDCCH UESSは、Rel-8で定義されたPDCCHを含むUESSであり、PDCCH CSSは、Rel-8で定義されたPDCCHを含むCSSであり、EPDCCH UESSは、Rel-11で定義されたEPDCCHを含むUESSである。
【００５７】
4．TTI長
【００５８】
現在、LTE内の様々な物理チャネルは、1msのTTI長に基づいて設計されている。TTI長は1msであるが、データ伝送のために占有される時間領域リソースは1ms未満でありうることに留意されたい。例えば、ダウンリンクサブフレーム内の最初の1シンボル、2シンボル、3シンボル、または4シンボルは、PDCCHの伝送に使用され、したがって、1msのTTI長を有するダウンリンクデータ伝送のために占有される時間領域リソースは1ms未満でありうる。別の例として、アップリンクサブフレーム内の最後のシンボルはSRS（Sounding Reference Signal、サウンディング参照信号）の伝送に使用され、したがって、1msのTTI長を有するアップリンクデータ伝送のために占有される時間領域リソースも1ms未満でありうる。
【００５９】
短いTTIデータ伝送とは、データ伝送のTTI長が1サブフレームまたは1ms未満であることを意味する。例えば、短いTTI長は0.5ms、4シンボルの長さ、3シンボルの長さ、2シンボルの長さ、または1シンボルの長さである。同様に、短いTTIデータ伝送のために占有される時間領域リソースも短いTTI長未満でありうる。
【００６０】
以下で、本明細書の添付図面を参照して本発明の実施態様について詳述する。
【００６１】
本発明の実施形態は、探索空間を柔軟に構成し、DCIを柔軟に伝送するダウンリンク制御情報検出方法、ダウンリンク制御情報送信方法、および装置を提供する。
【００６２】
本発明の実施形態は、ネットワークデバイスと端末デバイス（terminal device or terminal equipment）とを含む無線通信システムに適用されうる。記載される端末デバイスは、ユーザに音声および／またはデータ接続を提供するデバイス、無線接続機能を備えるハンドヘルドデバイス、または無線モデムに接続された別の処理装置であってよい。無線端末は、無線アクセスネットワーク（例えば、RAN、Radio Access Network）を介して1つまたは複数のコアネットワークと通信することができる。無線端末は、携帯電話機（「セルラ」電話機ともいう）や移動端末を備えるコンピュータといった移動端末であってよく、例えば、無線アクセスネットワークと音声および／またはデータを交換する、携帯型、ポケットサイズ、ハンドヘルド型、コンピュータ内蔵型、または車載型のモバイル装置であってもよい。例えば、無線端末は、パーソナル通信サービス（PCS、Personal Communication Service）電話機、コードレス電話セット、セッション開始プロトコル（SIP）電話機、ワイヤレス・ローカル・ループ（WLL、Wireless Local Loop）局、携帯情報端末（PDA、Personal Digital Assistant）といったデバイスである。無線端末は、システム、加入者ユニット（Subscriber Unit）、加入者局（Subscriber Station）、移動局（Mobile Station）、移動局（Mobile）、リモート局（Remote Station）、アクセスポイント（Access Point）、リモート端末（Remote Terminal）、アクセス端末（Access Terminal）、ユーザ端末（User Terminal）、ユーザエージェント（User Agent）、ユーザデバイス（User Device）、またはユーザ機器（User Equipment）とも呼ばれうる。ネットワークデバイスは、基地局、エンハンスト基地局、スケジューリング機能を有するリレー、または基地局機能を有するデバイスであってよい。基地局は、LTEシステムの進化型NodeB（evolved Node B、eNBまたはe-NodeB）であってもよく、別のシステムの基地局で
あってもよい。これについては本発明の実施形態では限定されない。
【００６３】
図1は、本発明の一実施形態によるダウンリンク制御情報検出方法の概略的流れ図である。この方法は以下のステップを含む。
【００６４】
ステップ101：端末デバイスが、第1の探索空間および第2の探索空間のうちの少なくとも1つの探索空間を決定し、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なる。
【００６５】
ステップ102：端末デバイスは少なくとも1つの探索空間においてDCIの少なくとも一部を検出する。
【００６６】
DCIはデータ伝送を指示するために使用される。言い換えると、DCIはデータパケットをスケジュールするために使用される。例えば、DCIはPUSCHまたはPDSCHをスケジュールするために使用される。任意選択で、DCIはデータ伝送をスケジュールするために使用されるが、DCIは、データ伝送をトリガするのではなく、データ伝送のスケジューリング情報を指示するためにのみ使用されてもよい。したがって、データ伝送を行う前に、端末デバイスは、ネットワークデバイスによって端末デバイスに送信されたDCIを検出する必要がある。しかし、DCIを搬送するダウンリンク制御チャネルは、探索空間内の候補ダウンリンク制御チャネルである。したがって、端末デバイスは探索空間を決定する必要がある。
【００６７】
本発明の本実施形態では、任意選択で、複数のTTI長を有するデータ伝送をスケジュールするために使用される様々なDCIがある場合、複数の探索空間が決定されうる。
【００６８】
一実施形態において、少なくとも1つの探索空間は第1の探索空間であり、DCIの少なくとも一部は第1のDCIを含む。この場合、ネットワークデバイスが第1のDCIを送信する場合には、第1のDCIは第1の探索空間に位置する。具体的には、第1のDCIは第1の探索空間内の候補ダウンリンク制御チャネル上で搬送され、第1のDCIは第1のデータ伝送をスケジュールするために使用される。第1のデータ伝送はダウンリンクデータ伝送またはアップリンクデータ伝送である。
【００６９】
別の実施形態において、少なくとも1つの探索空間は第2の探索空間であり、DCIの少なくとも一部は第2のDCIを含む。この場合、ネットワークデバイスが第2のDCIを送信する場合には、第2のDCIは第2の探索空間に位置する。具体的には、第2のDCIは第2の探索空間内の候補ダウンリンク制御チャネル上で搬送され、第2のDCIは第2のデータ伝送をスケジュールするために使用される。第2のデータ伝送はダウンリンクデータ伝送またはアップリンクデータ伝送である。
【００７０】
さらに別の実施形態において、少なくとも1つの探索空間は第1の探索空間および第2の探索空間を含み、DCIの少なくとも一部は第1のDCIおよび第2のDCIを含む。この場合、ネットワークデバイスが第1のDCIを送信する場合には、第1のDCIは第1の探索空間に位置し、ネットワークデバイスが第2のDCIを送信する場合には、第2のDCIは第2の探索空間に位置する。第1のDCIは第1のデータ伝送をスケジュールするために使用され、第2のDCIは第2のデータ伝送をスケジュールするために使用される。第1のデータ伝送と第2のデータ伝送とはどちらもダウンリンクデータ伝送もしくはアップリンクデータ伝送であり、第1のデータ伝送はダウンリンクデータ伝送であり、第2のデータ伝送はアップリンクデータ伝送であり、または第1のデータ伝送はアップリンクデータ伝送であり、第2のデータ伝送はダウンリンクデータ伝送である。端末デバイスによる第1の探索空間の決定と第2の探索空間の決定との間には厳密な時間順序関係はないことに留意されたい。例えば、端末デバイスはまず第1の探索空間を決定し、次いで第2の探索空間を決定してもよく、まず第2の探索空間を決定し、次いで第1の探索空間を決定してもよく、または第1の探索空間と第2の探索空間とを同時に決定してもよい。
【００７１】
任意選択で、前述のダウンリンクデータ伝送はPDSCH伝送であり、アップリンクデータ伝送はPUSCH伝送でありうる。
【００７２】
任意選択で、第1のTTI長が第2のTTI長よりも短い。第1のTTI長は第1のデータ伝送のTTI長であり、第2のTTI長は第2のデータ伝送のTTI長である。簡単にいうと、第1のデータ伝送の第1のTTI長は第2のデータ伝送の第2のTTI長よりも短い。
【００７３】
任意選択で、第1のTTI長および第2のTTI長は、1ms、0.5ms、4シンボルの長さ、3シンボルの長さ、2シンボルの長さ、および1シンボルの長さのうちの2つである。第1のTTI長は第2のTTI長よりも短い。例えば、第1のTTI長は短いTTI長であり、第2のTTI長は1サブフレームまたは1msである。
【００７４】
本発明の本実施形態では、時間窓Tは、時間単位0、…、時間単位NT−1として記録されうるNT個の時間単位を含み、NTは2以上の整数である。当然ながら、NT個の時間単位は、代替として、時間単位1、…、時間単位NTとして記録されてもよく、別の形で記録されてもよい。これについては本発明では限定されない。本発明の本実施形態は、時間単位0、…、時間単位NT−1を例にとって説明されている。時間窓Tは、Tの時間長を有する期間を表す。例えば、時間窓Tは1サブフレームまたは1msである。時間窓Tは、代替として、任意の他の適切な時間長であってもよい。例えば、時間窓Tは1msよりも大または小である。
【００７５】
本発明の本実施形態では、第1の時間単位集合および第2の時間単位集合はNT個の時間単位の部分集合である。例えば、第1の時間単位集合は、NT個の時間単位を含み、またはNT個の時間単位のうちのいくつかを含む。例えば、第2の時間単位集合は、NT個の時間単位を含み、またはNT個の時間単位のうちのいくつかを含む。任意選択で、第1の時間単位集合はX時間単位を含み、Xは2以上の整数である。例えば、時間窓Tは1サブフレームであり、14シンボルを含み、第1のTTI長は2シンボルの長さであり、第1の時間単位集合に含まれる時間単位の数は7、6、または5である。例えば、時間窓Tは1サブフレームであり、14シンボルを含み、第1のTTI長は4シンボルまたは3シンボルの長さであり、第1の時間単位集合に含まれる時間単位の数は4である。第1の探索空間は第1の時間単位集合内の任意の時間単位に位置しうるため、第1のDCIが送信される必要があるときにいつでも、ネットワークデバイスは第1の時間単位集合内の任意の時間単位において第1のDCIをすぐに送信することができる。これは、伝送を次のサブフレームでしか行えない先行技術と異なる。このようにして、データ伝送スケジューリング遅延が実質的に低減される。任意選択で、第2の時間単位集合はY時間単位を含み、YはX以下の正の整数である。第1の時間単位集合と第2の時間単位集合とが部分的に、または完全にオーバーラップする。第1の時間単位は第2の時間単位と同じかまたは異なる。
【００７６】
本発明の本実施形態では、任意選択で、第2の時間単位集合が第1の時間単位集合の真部分集合である。例えば、第2のTTI長が第1のTTI長よりも長い場合、ネットワークデバイスは、第1のDCIより低い周波数で第2のDCIを送信しうる。したがって、本方法によれば、端末デバイスが第2の探索空間を決定し、第2のDCIを検出する周波数を下げることができ、それによって処理の複雑さが低減する。
【００７７】
例えば、NTは2であり、すなわち、1つの時間窓Tは合計で2時間単位、時間単位0および時間単位1を含み、第1の時間単位集合は時間単位0および時間単位1を含み、第2の時間単位集合は時間単位0を含む。この場合、第1の時間単位集合と第2の時間単位集合とは部分的にオーバーラップする。加えて、第2の時間単位集合は第1の時間単位集合の真部分集合である。第1の時間単位は、第1の時間単位集合内の時間単位0または時間単位1とすることができ、第1の探索空間は、時間単位0または時間単位1にあり、第2の時間単位は、第2の時間単位集合内の時間単位0とすることができ、第2の探索空間は時間単位0にある。
【００７８】
本発明の本実施形態では、任意選択で、第1の時間単位集合と第2の時間単位集合とは完全にオーバーラップする。ネットワークデバイスは、第2のDCIを第1のDCIより低い周波数で送信しうるが、本方法によれば第2のDCIを送信する機会を増やすことができ、そのためネットワークデバイスは第2のDCIをより柔軟に構成し、送信することができ、それによって、第2のDCIを使用したスケジューリングに成功する確率が高まる。
【００７９】
例えば、第1の時間単位集合と第2の時間単位集合とは完全にオーバーラップし、第1のTTI長は2シンボルの長さであり、第2のTTI長は4シンボルの長さである。2シンボルの長さが4シンボルの長さとわずかに異なるため、第1の時間単位集合と第2の時間単位集合とは完全にオーバーラップし、そのため第2のDCIを使用したスケジューリングに成功する確率が高まる。任意選択で、第2のデータ伝送はアップリンクデータ伝送である。
【００８０】
例えば、第2の時間単位集合は第1の時間単位集合の真部分集合であり、第1のTTI長は2シンボルの長さであり、第2のTTI長は0.5msまたは1msである。2シンボルの長さは0.5msまたは1msの長さと大きく異なるため、第2の時間単位集合は第1の時間単位集合の真部分集合であり、そのためブラインド検出回数が減少する。任意選択で、第2のデータ伝送はダウンリンクデータ伝送またはアップリンクデータ伝送である。
【００８１】
例えば、NTは2であり、すなわち、1つの時間窓Tは合計で2時間単位、時間単位0および時間単位1を含み、第1の時間単位集合は時間単位0および時間単位1を含み、第2の時間単位集合は時間単位0をおよび時間単位1含む。この場合、第1の時間単位集合と第2の時間単位集合とは完全にオーバーラップする。第1の時間単位は、第1の時間単位集合内の時間単位0または時間単位1とすることができ、第1の探索空間は、時間単位0または時間単位1にあり、第2の時間単位は、第2の時間単位集合内の時間単位0または時間単位1とすることができ、第2の探索空間は、時間単位0または時間単位1にある。
【００８２】
任意選択で、端末デバイスが第1の探索空間および第2の探索空間のうちの少なくとも1つの探索空間を決定する前に、本発明の本実施形態は、端末デバイスが、ネットワークデバイスから受信したシグナリングに基づいて第1の時間単位集合および／または第2の時間単位集合を決定するステップ、をさらに含みうる。シグナリングは、上位層シグナリングまたは物理層シグナリングであってよい。このようにして、ネットワークデバイスは、現在の負荷などの状況に基づいて適時に第1の時間単位集合および／または第2の時間単位集合の1または複数のサイズを調整することができる。ネットワークデバイスによって通知された第1の時間単位集合および／または第2の時間単位集合が相対的に小さい場合、端末デバイスは、探索空間決定回数およびDCI検出回数を減らすことができる。
【００８３】
任意選択で、端末デバイスが、第1の探索空間および第2の探索空間のうちの少なくとも1つの探索空間を決定するステップは、端末デバイスが、ネットワークデバイスから受信したシグナリングに基づいて第1の時間単位を取得し、第1の時間単位において第1の探索空間を決定するステップと、端末デバイスが、ネットワークデバイスから受信したシグナリングに基づいて第2の時間単位を取得し、第2の時間単位において第2の探索空間を決定するステップと、端末デバイスが、ネットワークデバイスから受信したシグナリングに基づいて第1の時間単位および第2の時間単位を取得し、第1の時間単位において第1の探索空間を決定し、第2の時間単位において第2の探索空間を決定するステップと、を含みうる。シグナリングは、上位層シグナリングまたは物理層シグナリングであってよい。
【００８４】
任意選択で、端末デバイスが、第1の探索空間および第2の探索空間のうちの少なくとも1つの探索空間を決定するステップは、以下の動作として行われうる。端末デバイスは、時間窓T内に、時間単位における第1の探索空間および第2の探索空間のうちの少なくとも1つを、時間単位0から時間単位NT−1までシーケンス内で1つずつ決定する。具体的には、時間窓T内の時間単位kが第1の時間単位集合に属する場合、端末デバイスは時間単位kにおいて第1の探索空間を決定し、かつ／または時間単位kが第2の時間単位集合に属する場合、時間単位kにおいて第2の探索空間を決定し、kは、0以上、NT未満の整数である。例えば、NTは2であり、第1の時間単位集合は時間単位0および時間単位1を含み、第2の時間単位集合は時間単位0を含む。この場合、時間単位0は第1の時間単位集合と第2の時間単位集合とに属し、そのため端末デバイスは、時間単位0において第1の探索空間および第2の探索空間を決定し、端末デバイスは、決定された第1の探索空間および第2の探索空間においてDCIを検出することができ、時間単位1は第1の時間単位集合に属するが第2の時間単位集合には属さず、そのため端末デバイスは、時間単位1において第1の探索空間のみを決定し、端末デバイスは、決定された第1の探索空間においてDCIを検出しうる。
【００８５】
任意選択で、端末デバイスが、第1の探索空間および第2の探索空間のうちの少なくとも1つの探索空間を決定するステップは、以下の動作として行われうる。端末デバイスは、第1の時間単位集合内の時間単位において第1の探索空間を決定し、第2の時間単位集合内の時間単位において第2の探索空間を決定する。例えば、NTは2であり、第1の時間単位集合は時間単位0および時間単位1を含み、第2の時間単位集合は時間単位0を含む。この場合、端末デバイスは、時間単位0および時間単位0において別々に第1の探索空間を決定し、時間単位0において第2の探索空間を決定する。端末デバイスは、第1の探索空間において第1のDCIを検出し、第2の探索空間において第2のDCIを検出しうる。
【００８６】
以下で、本発明の本実施形態を、時間窓Tが1サブフレームまたは1msである例を使用して説明するが、これは、本発明の本実施形態の時間窓Tが1サブフレームまたは1msでしかありえないことを意味するものではない。実際には、本発明の本実施形態の時間窓Tは任意の適切な時間長でとすることができる。
【００８７】
任意選択で、NTが2である場合、1サブフレームに含まれる2時間単位は時間単位0および時間単位1である。時間単位0はサブフレームの第1のタイムスロットに位置し、時間単位1はサブフレームの第2のタイムスロットに位置し、時間単位0と時間単位1とはどちらも0.5msである。したがって、通常のCPでは、図2aに示すように、時間単位0はシンボル集合｛＃0，＃1，＃2，＃3，＃4，＃5，＃6｝に位置し、時間単位1はシンボル集合｛＃7，＃8，＃9，＃10，＃11，＃12，＃13｝に位置し、拡張CPでは、時間単位0はシンボル集合｛＃0，＃1，＃2，＃3，＃4，＃5｝に位置し、時間単位1はシンボル集合｛＃6，＃7，＃8，＃9，＃10，＃11｝に位置する。
【００８８】
NTが2である場合の、第1の時間単位集合および第2の時間単位集合の2グループの任意選択の組み合わせが表1に記載されている。例えば、第1の時間単位集合は時間単位0および時間単位1を含み、第2の時間単位集合は時間単位0を含む。別の例として、第1の時間単位集合は時間単位0および時間単位1を含み、第2の時間単位集合は時間単位0および時間単位1を含む。第1のTTI長は0.5msであり、第2のTTI長は1msである。表1に記載されている第1の時間単位集合と第2の時間単位集合の任意の組み合わせが別々の実施形態として使用されうることに留意されたい。第1の時間単位集合と第2の時間単位集合の組み合わせは表1の方法だけに限定されず、代替として別の方法でもよいことに留意されたい。
【００８９】
【表１】
2019503634.tif 000034
【００９０】
任意選択で、NTが4である場合、1サブフレームに含まれる4時間単位は時間単位0、時間単位1、時間単位2、および時間単位3である。4時間単位のいずれかの時間長は3シンボルまたは4シンボルの長さでありうる。任意選択で、通常のCPでは、時間単位が以下の2つの構造のどちらかに基づいて分割されうる。構造1：図2bに示すように、時間単位0はシンボル集合｛＃0，＃1，＃2，＃3｝に位置し、時間単位1はシンボル集合｛＃4，＃5，＃6｝に位置し、時間単位2はシンボル集合｛＃7，＃8，＃9，＃10｝に位置し、時間単位3はシンボル集合｛＃11，＃12，＃13｝に位置する。構造2：時間単位0はシンボル集合｛＃0，＃1，＃2｝に位置し、時間単位1はシンボル集合｛＃3，＃4，＃5，＃6｝に位置し、時間単位2はシンボル集合｛＃7，＃8，＃9｝に位置し、時間単位3はシンボル集合｛＃10，＃11，＃12，＃13｝に位置する。任意選択で、拡張CPでは、連続した3シンボルずつが時間単位を形成する。具体的には、時間単位0はシンボル集合｛＃0，＃1，＃2｝に位置し、時間単位1はシンボル集合｛＃3，＃4，＃5｝に位置し、時間単位2はシンボル集合｛＃6，＃7，＃8｝に位置し、時間単位3はシンボル集合｛＃9，＃10，＃11｝に位置する。時間窓T内のNT個の時間単位の任意の2つ時間長は異なりうることに留意されたい。例えば、構造1と構造2では、時間単位集合内の時間単位の時間長は2シンボルまたは4シンボルの長さでありうる。
【００９１】
NTが4である場合の、第1の時間単位集合および第2の時間単位集合の5グループの任意選択の組み合わせが表2に記載されている。例えば、第1の時間単位集合は時間単位0、時間単位1、時間単位2、および時間単位3を含み、第2の時間単位集合は時間単位0を含み、または第2の時間単位集合は時間単位0および時間単位2を含み、または第2の時間単位集合は時間単位0、時間単位1、時間単位2、および時間単位3を含み；第1の時間単位集合は時間単位0および時間単位2を含み、第2の時間単位集合は時間単位0を含み、または第2の時間単位集合は時間単位0および時間単位2を含む。表2に記載されている第1の時間単位集合と第2の時間単位集合の任意の組み合わせが別々の実施形態として使用されうることに留意されたい。第1の時間単位集合と第2の時間単位集合の組み合わせは表2の方法だけに限定されず、代替として別の方法でもよいことに留意されたい。
【００９２】
【表２】
2019503634.tif 000035
【００９３】
任意選択で、NTが7または14である場合、1サブフレームは時間単位0、時間単位1、時間単位2、時間単位3、時間単位4、時間単位5および時間単位6を含み、または時間単位0、時間単位1、時間単位2、時間単位3、時間単位4、時間単位5、時間単位6、時間単位7、時間単位8、時間単位9、時間単位10、時間単位11、時間単位12、および時間単位13を含む。したがって、通常のCPでは、2シンボルずつが時間単位でありまたは各シンボルが時間単位である。
【００９４】
任意選択で、NTが6または12である場合、1サブフレームは時間単位0、時間単位1、時間単位2、時間単位3、時間単位4、および時間単位5を含み、または時間単位0、時間単位1、時間単位2、時間単位3、時間単位4、時間単位5、時間単位6、時間単位7、時間単位8、時間単位9、時間単位10、および時間単位11を含む。したがって、拡張CPでは、2シンボルずつが時間単位であり、または各シンボルが時間単位である。
【００９５】
任意選択で、通常のCPでは、NTが6である場合、1サブフレームは時間単位0、時間単位1、時間単位2、時間単位3、時間単位4、および時間単位5を含む。任意選択で、時間単位0はシンボル集合｛＃0，＃1，＃2｝に位置し、時間単位1はシンボル集合｛＃3，＃4｝に位置し、時間単位2はシンボル集合｛＃5，＃6｝に位置し、時間単位3はシンボル集合｛＃7，＃8，＃9｝に位置し、時間単位4はシンボル集合｛＃10，＃11｝に位置し、時間単位5はシンボル集合｛＃12，＃13｝に位置する。6時間単位の分割方法は本発明では限定されないことに留意されたい。
【００９６】
任意選択で、時間単位分割はPDCCHシンボルで行われてもよい。この場合、時間単位分割は、サブフレームの最初の13PDCCHシンボル、23PDCCHシンボル、または3PDCCHシンボルでは行われない場合がある。任意選択で、サブフレームの最初の1シンボルはPDCCHシンボルである。通常のCPでは、NTが6である場合、時間単位0はシンボル集合｛＃1，＃2，＃3｝に位置し、時間単位1はシンボル集合｛＃4，＃5｝に位置し、時間単位2はシンボル集合｛＃6，＃7｝に位置し、時間単位3はシンボル集合｛＃8，＃9｝に位置し、時間単位4はシンボル集合｛＃10，＃11｝に位置し、時間単位5はシンボル集合｛＃12，＃13｝に位置する。任意選択で、サブフレームの最初の2シンボルはPDCCHシンボルである。通常のCPでは、NTが6である場合、時間単位0はシンボル集合｛＃2，＃3｝に位置し、時間単位1はシンボル集合｛＃4，＃5｝に位置し、時間単位2はシンボル集合｛＃6，＃7｝に位置し、時間単位3はシンボル集合｛＃8，＃9｝に位置し、時間単位4はシンボル集合｛＃10，＃11｝に位置し、時間単位5はシンボル集合｛＃12，＃13｝に位置する。
【００９７】
NTが6、7、12、または14である場合の、第1の時間単位集合および第2の時間単位集合複数のグループの任意選択の組み合わせが表3に記載されている。任意選択で、サブフレームの最初の2シンボルまたは3シンボルがPDCCHシンボルである場合、第1のデータ伝送はダウンリンクデータ伝送である。さらに、第1のTTI長が2シンボルの長さである場合、時間単位0ではダウンリンクデータ伝送が行われないため、時間単位1で第1のデータ伝送をスケジュールするために使用される第1のDCIは時間単位0に位置しうる、すなわち、時間単位1には第1の探索空間がない場合がある。したがって、通常のCPでは、第1の時間単位集合は｛0，2，3，4，5，6｝または｛0，4，6，8，10，12｝であり、拡張CPでは、第1の時間単位集合は｛0，2，3，4，5｝または｛0，4，6，8，10｝でありうる。表3に記載されている第1の時間単位集合と第2の時間単位集合の任意の組み合わせが別々の実施形態として使用されうることに留意されたい。第1の時間単位集合と第2の時間単位集合の組み合わせは表3の方法だけに限定されず、代替として別の方法でもよいことに留意されたい。
【００９８】
任意選択で、第1の時間単位集合および第2の時間単位集合が時間単位0を含まない場合もあり、時間単位0はシンボル＃0およびシンボル＃1を含む。例えば、NTは7であり、サブフレームの最初の2PDCCHシンボル上のPDCCHは1msを有するデータ伝送だけをスケジュールするために使用され、この場合、短いTTIを有するデータ伝送のスケジュールには使用されない。
【００９９】
【表３Ａ】
2019503634.tif 000036
【表３Ｂ】
2019503634.tif 000037
【表３Ｃ】
2019503634.tif 000038
【表３Ｄ】
2019503634.tif 000039
【０１００】
任意選択で、サブフレームの最初の1シンボル、2シンボル、3シンボル、または4シンボルは、PDCCHを伝送するために使用されうる（PDCCHシンボルと呼ばれる）が、ダウンリンクデータ伝送には使用されない。したがって、時間単位はPDCCHシンボルの数に基づいて分割されうる。当然ながら、サブフレームの最初の1シンボル、2シンボル、3シンボル、または4シンボルは、代替として、PDCCHを伝送するために使用されてもよい。
【０１０１】
例えば、サブフレームの最初の1シンボル、2シンボル、3シンボル、または4シンボルは、PDCCHシンボルである。通常のCPでは、NTが6である場合、最初の4シンボルは時間単位0を形成し、続く10シンボルの2つずつが時間単位を形成し、そのため、順次にソートすることによって時間単位1、時間単位2、時間単位3、時間単位4、および時間単位5が得られ、または拡張CPでは、NTが5である場合、最初の4シンボルは時間単位0を形成し、続く8シンボルの2つずつが時間単位を形成し、そのため、順次にソートすることによって時間単位1、時間単位2、時間単位3、および時間単位4が得られる。表4には複数の任意選択の組み合わせが記載されており、表4に記載される任意の組み合わせが別々の実施形態として使用されうる。第1の時間単位集合と第2の時間単位集合の組み合わせは表4の方法だけに限定されず、代替として別の方法でもよいことに留意されたい。
【０１０２】
任意選択で、通常のCPでは、サブフレームの最初の3シンボルはPDCCHシンボルである。NTが5である場合、時間単位0はシンボル集合｛＃3，＃4，＃5｝に位置し、時間単位1はシンボル集合｛＃6，＃7｝に位置し、時間単位2はシンボル集合｛＃8，＃9｝に位置し、時間単位3はシンボル集合｛＃10，＃11｝に位置すし、時間単位4はシンボル集合｛＃12，＃13｝に位置する。
【０１０３】
【表４】
2019503634.tif 000040
【０１０４】
例えば、サブフレームの最初の1シンボルのうちの2シンボルはPDCCHシンボルである。通常のCPでは、NTが13である場合、最初の2シンボルは時間単位0を形成し、続く12シンボルの各々が時間単位を形成し、そのため、順次にソートすることによって時間単位1、時間単位2、…、時間単位12が得られ、または拡張CPでは、NTが11である場合、最初の2シンボルは時間単位0を形成し、続く10シンボルの各々が時間単位を形成し、そのため、順次にソートすることによって時間単位1、時間単位2、…、時間単位10が得られる。任意選択で、サブフレームの最初の2シンボルがPDCCHシンボルである場合、第1のデータ伝送はダウンリンクデータ伝送である。さらに、第1のTTI長が1シンボルの長さである場合、時間単位0ではダウンリンクデータ伝送が行われないため、時間単位1で第1のデータ伝送をスケジュールするために使用される第1のDCIは時間単位0に位置しうる、すなわち、時間単位1には第1の探索空間がない場合がある。したがって、通常のCPでは、第1の時間単位集合は｛0，2，3，4，5，6，7，8，9，10，11，12｝であり、拡張CPでは、第1の時間単位集合は｛0，2，3，4，5，6，7，8，9，10｝でありうる。表5には複数の任意選択の組み合わせが記載されており、表5に記載される任意の組み合わせが別々の実施形態として使用されうる。第1の時間単位集合と第2の時間単位集合の組み合わせは表5の方法だけに限定されず、代替として別の方法でもよいことに留意されたい。
【０１０５】
【表５Ａ】
2019503634.tif 000041
【表５Ｂ】
2019503634.tif 000042
【表５Ｃ】
2019503634.tif 000043
【０１０６】
例えば、サブフレームの最初の2シンボルまたは3シンボルは、PDCCHシンボルである。通常のCPでは、NTが12である場合、最初の3シンボルは時間単位0を形成し、続く11シンボルの各々が時間単位を形成し、そのため、順次にソートすることによって時間単位1、時間単位2、…、時間単位11が得られ、または拡張CPでは、NTが10である場合、最初の3シンボルは時間単位0を形成し、続く9シンボルの各々が時間単位を形成し、そのため、順次にソートすることによって時間単位1、時間単位2、…、時間単位9が得られる。任意選択で、サブフレームの最初の3シンボルがPDCCHシンボルである場合、第1のデータ伝送はダウンリンクデータ伝送である。さらに、第1のTTI長が1シンボルの長さである場合、時間単位0ではダウンリンクデータ伝送が行われないため、時間単位1で第1のデータ伝送をスケジュールするために使用される第1のDCIは時間単位0に位置しうる、すなわち、時間単位1には第1の探索空間がない場合がある。したがって、通常のCPでは、第1の時間単位集合は｛0，2，3，4，5，6，7，8，9，10，11｝であり、拡張CPでは、第1の時間単位集合は｛0，2，3，4，5，6，7，8，9｝でありうる。表6には複数の任意選択の組み合わせが記載されており、表6に記載される任意の組み合わせが別々の実施形態として使用されうる。第1の時間単位集合と第2の時間単位集合の組み合わせは表6の方法だけに限定されず、代替として別の方法でもよいことに留意されたい。
【０１０７】
【表６Ａ】
2019503634.tif 000044
【表６Ｂ】
2019503634.tif 000045
【０１０８】
例えば、サブフレームの最初の3シンボルは、PDCCHシンボルである。通常のCPでは、NTが11である場合、最初の4シンボルは時間単位0を形成し、続く10シンボルの各々が時間単位を形成し、そのため、順次にソートすることによって時間単位1、時間単位2、…、時間単位10が得られ、または拡張CPでは、NTが9である場合、最初の4シンボルは時間単位0を形成し、続く8シンボルの各々が時間単位を形成し、そのため、順次にソートすることによって時間単位1、時間単位2、…、時間単位8が得られる。表7には複数の任意選択の組み合わせが記載されており、表7に記載される任意の組み合わせが別々の実施形態として使用されうる。第1の時間単位集合と第2の時間単位集合の組み合わせは表7の方法だけに限定されず、代替として別の方法でもよいことに留意されたい。
【０１０９】
【表７Ａ】
2019503634.tif 000046
【表７Ｂ】
2019503634.tif 000047
【０１１０】
本発明の本実施形態では、任意選択で、第1の時間単位は第2の時間単位と同じであり、第1の探索空間と第2の探索空間とは部分的に、または完全にオーバーラップする。例えば、第1の探索空間と第2の探索空間とは部分的に、または厳密に同じリソース要素を占有する。
【０１１１】
第1の時間単位は第2の時間単位と同じであり、第1の探索空間と第2の探索空間とは部分的に、または完全にオーバーラップする場合、端末デバイスは、検出されたDCIが第1のDCIかそれとも第2のDCIかを判断する必要がある。第1のDCIと第2のDCIとをどのように区別するかは本発明では限定されないことに留意されたい。例えば、本発明では、第1のDCIと第2のDCIとを区別するための4つの方法を提供する。
【０１１２】
方法1：第1のDCIの情報ビット数は第2のDCIの情報ビット数と同じであり、第1のDCIと第2のDCIとは各々DCI種別を含む。情報フィールドは、DCIが第1のDCIまたは第2のDCIであることを指示する。
【０１１３】
方法2：第1のDCIをスクランブルするための無線ネットワーク一時識別子（RNTI、Radio Network Temporary Identifiers）は第2のDCIをスクランブルするためのRNTIと異なる。したがって、端末デバイスは、異なるRNTIを使用して異なるDCIを区別することができる。
【０１１４】
方法3：第1のDCIと第2のDCIとは、異なるマスク（mask）を使用して巡回冗長コード（cyclic redundancy code、CRC）をスクランブルする。したがって、端末デバイスは、異なるマスクを使用して異なるDCIを区別することができる。
【０１１５】
方法4：第1のDCIと第2のDCIとは同じDCI内の異なる情報フィールドに位置する。したがって、端末デバイスは、同じDCI内の異なる情報フィールドから第1のDCI／および第2のDCIを取得する。
【０１１６】
任意選択で、第1の時間単位は第2の時間単位と同じであり、第1の探索空間と第2の探索空間とは部分的にオーバーラップする。任意選択で、第1の探索空間は第2の探索空間の一部であり、または第2の探索空間は第1の探索空間の一部であり、または第1の探索空間の一部と第2の探索空間の一部とがオーバーラップする。例えば、時間単位0において、第1の探索空間は第2の探索空間の一部である。
【０１１７】
任意選択で、第1の時間単位は第2の時間単位と同じであり、第1の探索空間と第2の探索空間とは完全にオーバーラップする。言い換えると、第1の探索空間と第2の探索空間とは同じ探索空間である。このように、これが意味するのは、端末デバイスがただ1つの探索空間を決定することである。図3に示すように、例えば、1サブフレームは4時間単位を含み、第1の時間単位集合は｛0，1，2，3｝であり、第2の時間単位集合は｛0，2｝であり、時間単位0または時間単位2における第1の探索空間と第2の探索空間とは同じリソースを占有する。任意選択で、第1のDCIの情報ビット数は第2のDCIの情報ビット数と同じであり、すなわち、第1のDCIのペイロードサイズは第2のDCIのペイロードサイズ（payload size）と同じである。この場合、第1のDCIと第2のDCIとが同時に検出されるときに、端末デバイスがブラインド検出を行う回数を減らすことができる。
【０１１８】
任意選択で、第1の時間単位集合内の2つの異なる時間単位において端末デバイスによって決定される第1の探索空間のサイズは異なる。任意選択で、探索空間のサイズは探索空間によって占有されるリソース要素の数を使用して測定されうる。例えば、第1の時間単位集合は時間単位iおよび時間単位jを含み、iはjと等しくない。端末デバイスが第1の探索空間を決定することは、第1の時間単位が時間単位iである場合、第1の探索空間はM個のリソース要素を占有し、第1の時間単位が時間単位jである場合、第1の探索空間はN個のリソース要素を占有し、MおよびNは正の整数であり、MはNと等しくないこと、を含む。任意選択で、探索空間のサイズは、探索空間の候補制御チャネルの数を使用して測定されうる。具体的には、端末デバイスが第1の探索空間を決定することは、第1の時間単位が時間単位iである場合、第1の探索空間はP候補制御チャネルを含み、第1の時間単位が時間単位jである場合、第1の探索空間はQ候補制御チャネルを含み、PおよびQは正の整数であり、PはQと等しくないこと、を含む。例えば、iは0であり、jは0よりも大きく、MはNよりも大きい（またはPはQよりも大きい）。例えば、1サブフレームは2時間単位を含む。第1の時間単位が時間単位0である場合、第1の探索空間は、集約レベル1もしくは2を有し、UESSに属する4つ、3つ、もしくは2つの候補制御チャネル、および／または集約レベル4もしくは8を有し、UESSに属する1つもしくは2つの候補制御チャネル、および／または集約レベル4を有し、CSSに属する4つの候補制御チャネル、および／または集約レベル8を有し、CSSに属する2つの候補制御チャネルを含み、または第1の時間単位が時間単位1である場合、第1の探索空間は、集約レベル1もしくは2を有し、UESSに属する4つ、3つ、もしくは2つの候補制御チャネル、および／または集約レベル4もしくは8を有し、UESSに属する1つもしくは2つの候補制御チャネルを含む。
【０１１９】
任意選択で、第2の時間単位集合が少なくとも2時間単位を含む場合、第2の時間単位集合内の2つの異なる時間単位において端末デバイスによって決定される第2の探索空間のサイズは異なる。特定の実施形態については前述の説明を参照されたいが、「第1の時間単位」は「第2の時間単位」で置き換えられ、「第1の探索空間」は「第2の探索空間」で置き換えられることが条件である。ここでは詳細を繰り返さない。
【０１２０】
本発明の本実施形態では、任意選択で、第2のデータ伝送のTTI長は1msであり、第1のデータ伝送のTTI長は短いTTIであり、第1の探索空間は、共通探索空間（CSS）に属する候補制御チャネルを含まず、第2の探索空間は、CSSに属する候補制御チャネルとUESSに属する候補制御チャネルとを含む。例えば、時間単位0において、第2の探索空間はPDCCH CSSおよびPDCCH UESSを含み、第1の探索空間はPDCCH UESSのみを含む。第1の探索空間は比較的小さく、そのため、特に、第1のDCIと第2のDCIのビット数が異なる場合には、第1のDCIを検出する速度を上げることができる。
【０１２１】
任意選択で、端末デバイスが第1の探索空間および第2の探索空間のうちの少なくとも1つの探索空間を決定する前に、本方法は、端末デバイスが、ネットワークデバイスによって送信されたシグナリングを受信するステップであって、シグナリングが、第1の探索空間および／または第2の探索空間を指示するために使用される情報を含み、シグナリングが上位層シグナリングまたは物理層シグナリングである、ステップ、をさらに含む。例えば、第1の探索空間および／もしくは第2の探索空間がPDSCH領域に位置し、または制御チャネルがPDSCHである場合、シグナリングは、第1の探索空間および／もしくは第2の探索空間によって占有される時間周波数領域リソースまたは第1の探索空間および／もしくは第2の探索空間に含まれる候補制御チャネルを指示する。
【０１２２】
前述の実施形態に関連して、以下で、2つの具体的な応用例を使用して、本発明の実施形態における技術的解決策をさらに説明する。応用例1：第1のデータ伝送のTTI長は2シンボルの長さであり、第2のデータ伝送のTTI長は0.5msであり、第1の時間単位集合は｛0，1，2，3，4，5，6｝であり、第2の時間単位集合は｛0，3｝または｛0，4｝である。第2の時間単位集合が｛0，3｝である場合、第1の時間単位と第2の時間単位とがどちらも時間単位0であるときに、第1の探索空間と第2の探索空間とは同じであり、PDCCH CSSおよびPDCCH UESSを含み、第1の時間単位と第2の時間単位とがどちらも時間単位3であるときに、第1の探索空間と第2の探索空間とは同じであり、PDCCH領域に位置し、時間単位1、時間単位2、時間単位4、時間単位5、または時間単位6では、第1の探索空間はPDSCH領域に位置し、第2の探索空間は存在しない。第2の時間単位集合が｛0，4｝である場合、第1の時間単位と第2の時間単位とがどちらも時間単位0であるときに、第1の探索空間と第2の探索空間とは同じであり、PDCCH CSSおよびPDCCH UESSを含み、第1の時間単位と第2の時間単位とがどちらも時間単位4であるときに、第1の探索空間と第2の探索空間とは同じであり、PDCCH領域に位置し、時間単位1、時間単位2、時間単位3、時間単位5、または時間単位6では、第1の探索空間はPDSCH領域に位置し、第2の探索空間は存在しない。応用例2：1サブフレームは2時間単位を含み、第1のデータ伝送のTTI長は0.5msであり、第2のデータ伝送のTTI長は1msであり、第1の時間単位集合は時間単位0および時間単位1を含み、第2の時間単位集合は時間単位0を含む。第1の時間単位と第2の時間単位とがどちらも時間単位0であるときに、第2の探索空間はPDCCH CSSおよびPDCCH UESSを含み、第1の探索空間はPDCCH UESSのみを含み、時間単位1では、第1の探索空間はPDSCH領域に位置し、第2の探索空間は存在しない。
【０１２３】
端末デバイスは、決定された少なくとも1つの探索空間においてDCIの少なくとも一部を検出する。端末デバイスが巡回冗長検査（cyclic redundancy check、CRC）にパスした候補制御チャネルを検出した場合、候補制御チャネル上で搬送されたDCIは、データ伝送をスケジュールするために使用され、ネットワークデバイスによって端末デバイスに送信されたDCIであり、そうではなく、端末デバイスが、CRCにパスする候補制御チャネルを検出しない場合、それはネットワークデバイスが端末デバイスにDCIを送信していないことを指示する。端末デバイスがDCIをどのように検出するかは本発明では限定されないことに留意されたい。例えば、端末デバイスが第1の探索空間において第1のDCIを検出することは、端末デバイスが、第1のDCIの情報ビット数に基づいて第1の探索空間において候補ダウンリンク制御チャネルの全部または一部を復号すること、であってもよい。
【０１２４】
任意選択で、データ伝送をスケジュールするために使用されたDCIを検出した場合、端末デバイスは、DCIに基づいてネットワークデバイスとのデータ伝送を行いうる。ダウンリンクデータ伝送では、端末デバイスは、DCIによって指示されるデータ伝送リソース上で、ネットワークデバイスによって送信されたダウンリンクデータパケットを受信し、アップリンクデータ伝送では、端末デバイスは、DCIによって指示されるデータ伝送リソース上でネットワークデバイスにアップリンクデータパケットを送信しうる。任意選択で、DCIによって指示されるデータ伝送リソースは、データ伝送のための時間領域リソースである。
【０１２５】
任意選択で、端末デバイスが少なくとも1つの探索空間においてDCIの少なくとも一部を検出することは、端末デバイスが、決定された第1の探索空間において第1のDCIを検出すること、および／または決定された第2の探索空間において第2のDCIを検出すること、を含む。端末デバイスが第1のDCIおよび／または第2のDCIを検出した場合、端末デバイスは、検出された第1のDCIおよび／または第2のDCIに基づいてネットワークデバイスとの第1のデータ伝送および／または第2のデータ伝送を行う。第1のデータ伝送または第2のデータ伝送がダウンリンクデータ伝送である場合、端末デバイスは、ネットワークデバイスによって送信されたダウンリンクデータ伝送を受信し、第1のデータ伝送または第2のデータ伝送がアップリンクデータ伝送である場合、端末デバイスは、ネットワークデバイスにアップリンクデータ伝送を送信する。端末デバイスによる第1のDCI上での検出と第2のDCI上での検出との間には厳密な時間順序関係はないことに留意されたい。例えば、端末デバイスは、まず第1のDCIを検出し、次いで第2のDCIを検出してもよく、まず第2のDCIを検出し、次いで第1のDCIを検出してもよく、第1のDCIと第2のDCIを同時に検出してもよい。
【０１２６】
本発明の本実施形態では、任意選択で、端末デバイスが少なくとも1つの探索空間においてダウンリンク制御情報（DCI）の少なくとも一部を検出した後に、本方法は、検出された第1のDCIに基づいて端末デバイスが、少なくとも1つの時間単位においてネットワークデバイスとの第1のデータ伝送を行うステップであって、第1のデータ伝送がダウンリンクデータ伝送であり、少なくとも1つの時間単位と第1の時間単位とが全部または部分的にオーバーラップし、またはオーバーラップしない、ステップ、をさらに含む。図4aに示すように、例えば、1サブフレームは2時間単位を含み、第1のデータ伝送のTTI長は0.5msであり、第1のDCIは第1の時間単位に位置し、第1の時間単位はサブフレームkの時間単位0であり、第1のデータ伝送はサブフレームkの時間単位0で行われる。具体的には、第1の時間単位と、第1のデータ伝送のために占有される少なくとも1つの時間単位とは完全にオーバーラップし、または同じである。あるいは、図4bに示すように、例えば、1サブフレームは4時間単位を含み、第1のデータ伝送のTTI長は0.5msであり、第1の時間単位はサブフレームkの時間単位0であり、第1のデータ伝送はサブフレームkの時間単位0および時間単位1で行われる。具体的には、第1の時間単位と、第1のデータ伝送のために占有される少なくとも1つの時間単位とは部分的にオーバーラップする。任意選択で、サブフレームの最初の1シンボル、2シンボル、3シンボル、または4シンボルは、PDCCHを伝送するために使用されうる（PDCCH領域と呼ばれる）が、ダウンリンクデータ伝送には使用されない。第1の時間単位がPDCCH領域に位置する場合、第1のデータ伝送はPDCCH領域を占有することができない。具体的には、第1の時間単位と、第1のデータ伝送のために占有される少なくとも1つの時間単位とはーバーラップしない。図4cに示すように、例えば、1サブフレームは6時間単位または7時間単位を含み、第1のデータ伝送のTTI長は2シンボルの長さであり、第1の時間単位はサブフレームkの時間単位0であり、第1のデータ伝送はサブフレームkの時間単位1で行われる。具体的には、第1の時間単位と、第1のデータ伝送のために占有される少なくとも1つの時間単位とはオーバーラップしない。
【０１２７】
本発明の本実施形態では、任意選択で、端末デバイスが少なくとも1つの探索空間においてダウンリンク制御情報（DCI）の少なくとも一部を検出した後に、本方法は、検出された第2のDCIに基づいてユーザ機器が、少なくとも1つの時間単位においてネットワークデバイスとの第2のデータ伝送を行うステップであって、第2のデータ伝送がダウンリンクデータ伝送であり、第2の時間単位と少なくとも1つの時間単位とが部分的にオーバーラップし、またはオーバーラップしない、ステップ、をさらに含む。図4dに示すように、例えば、1サブフレームは2時間単位を含み、第2のデータ伝送のTTI長は1msであり、第2のDCIは第2の時間単位に位置し、第2の時間単位はサブフレームkの時間単位0であり、第2のデータ伝送はサブフレームkの時間単位0および時間単位1で行われる。具体的には、第2の時間単位と、第2のデータ伝送のために占有される少なくとも1つの時間単位とは部分的にオーバーラップする。あるいは、図4eに示すように、例えば、1サブフレームは2時間単位を含み、第2のデータ伝送のTTI長は1msであり、第2のDCIは第2の時間単位に位置し、第2の時間単位はサブフレームkの時間単位1であり、第2のデータ伝送はサブフレームk＋1の時間単位0および時間単位1で行われる。具体的には、第2の時間単位と、第2のデータ伝送のために占有される少なくとも1つの時間単位とはオーバーラップしない。
【０１２８】
本発明の本実施形態では、任意選択で、端末デバイスが少なくとも1つの探索空間においてダウンリンク制御情報（DCI）の少なくとも一部を検出した後に、本方法は、検出された第1のDCIまたは第2のDCIに基づいてユーザ機器が、ネットワークデバイスとの第1のデータ伝送または第2のデータ伝送を行うステップであって、第1のデータ伝送または第2のデータ伝送がアップリンクデータ伝送であり、第1のデータ伝送または第2のデータ伝送のために占有される開始時間単位が、第1の時間単位または第2の時間単位に対してK・LTの時間長だけ遅延され、Kが正の整数であり、例えば、Kが4であり、LTは第1のデータ伝送または第2のデータ伝送のTTI長である、ステップ、をさらに含む。図4fに示すように、例えば、1サブフレームは2時間単位を含み、第2のデータ伝送のTTI長は1msであり、第2のDCIは第2の時間単位に位置し、第2の時間単位はサブフレームkの時間単位0であり、第2のデータ伝送はサブフレームk＋4の時間単位0および時間単位1で行われる。具体的には、第2のデータ伝送のために占有される開始時間単位は第2の時間単位に対して8時間単位遅延される。あるいは、第2の時間単位はサブフレームkの時間単位1であり、第2のデータ伝送はサブフレームk＋5の時間単位0および時間単位1で行われる。具体的には、第2のデータ伝送のために占有される開始時間単位は第2の時間単位に対して9時間単位遅延される。
【０１２９】
本発明の本実施形態では、任意選択で、端末デバイスは第3の探索空間を決定する。第3の探索空間は時間窓T内の第3の時間単位にある。端末デバイスは第3の探索空間において第3のDCIを検出する。端末デバイスによって第2の探索空間で検出された第2のDCIと端末デバイスによって第3の探索空間で検出された第3のDCIとはどちらも、第2のデータ伝送をスケジュールするために使用される。任意選択で、第3の時間単位は第2の時間単位集合に属する。図4gに示すように、例えば、第2の時間単位集合は時間単位0および時間単位1を含み、第2のデータ伝送は、1msの第2のTTI長を有するダウンリンクデータ伝送であり、第2のDCIはサブフレームk＋1の時間単位0に位置し、第3のDCIはサブフレームkの時間単位1に位置し、第2のDCIおよび第3のDCIは第2のデータ伝送をスケジュールするために使用されてよく、第2のデータ伝送はサブフレームk＋1の時間単位0および時間単位1で行われる。あるいは、図4fに示すように、例えば、第2の時間単位集合は時間単位0および時間単位1を含み、第2のデータ伝送は、1msの第2のTTI長を有するアップリンクデータ伝送であり、第2のDCIはサブフレームk＋1の時間単位0に位置し、第3のDCIはサブフレームkの時間単位1に位置し、第2のDCIおよび第3のDCIは第2のデータ伝送をスケジュールするために使用されてよく、第2のデータ伝送はサブフレームk＋5の時間単位0および時間単位1で行われる。本方法によれば、2つのDCIがどちらも同じデータ伝送に使用されるため、第2のデータ伝送が正常にスケジュールされる確率を高めることができる。
【０１３０】
本発明の本実施形態によれば、第1の探索空間は第1の時間単位にあり、第2の探索空間は第2の時間単位にある。第1時間単位と第2時間単位とは、第1時間単位集合と第2時間単位集合とにそれぞれ属するが、第1の時間単位集合と第2の時間単位集合とは部分的に、または完全にオーバーラップし、そのため、端末デバイスは、複数のTTI長を有するデータ伝送または複数のスケジューリング優先順位を有するデータ伝送をサポートするために、異なる探索空間において、異なるデータ伝送をスケジュールするために使用されるDCIを検出することができる。さらに、第2の時間単位集合が第1の時間単位集合の真部分集合である場合、ネットワークデバイスは、第2のDCIを第1のDCIより低い周波数で送信してよく、端末デバイスが第2の探索空間を決定し、第2のDCIを検出する周波数を下げることができ、それによって処理の複雑さが低減する。
【０１３１】
図5は、本発明の一実施形態によるダウンリンク制御情報送信方法の概略的流れ図である。本方法は、別個の実施形態として使用されてもよく、前述のダウンリンク制御情報検出方法と併用されてもよいことに留意されたい。特に指定しない限り、前述の実施形態の内容と同様の本実施形態の内容については、前述の実施形態の説明を参照されたく、以下では詳細を繰り返さない。本実施形態は以下のステップを含む。
【０１３２】
ステップ501：ネットワークデバイスが、第1の探索空間および第2の探索空間のうちの少なくとも1つの探索空間を決定し、第1の探索空間は時間窓T内の第1の時間単位にあり、第1の時間単位は第1の時間単位集合に属し、第2の探索空間は時間窓T内の第2の時間単位にあり、第2の時間単位は第2の時間単位集合に属し、時間窓TはNT個の時間単位を含み、第1の時間単位集合および第2の時間単位集合はNT個の時間単位の部分集合であり、NTは2以上の整数であり、第1の時間単位集合と第2の時間単位集合とは部分的に、または完全にオーバーラップし、第1の時間単位は第2の時間単位と同じかまたは異なる。
【０１３３】
ステップ502：ネットワークデバイスは、ダウンリンク制御情報（DCI）の少なくとも一部を送信し、DCIの少なくとも一部は少なくとも1つの探索空間に位置する。
【０１３４】
任意選択で、ネットワークデバイスが第1の探索空間および第2の探索空間のうちの少なくとも1つの探索空間を決定する方法については、前述の端末デバイスの説明を参照されたく、ここでは詳細を繰り返さない。
【０１３５】
任意選択で、第1のデータ伝送の第1のTTI長は第2のデータ伝送の第2のTTI長よりも短い。具体的な第1のTTI長および第2のTTI長については、前述の実施形態の説明を参照されたく、ここでは詳細を繰り返さない。
【０１３６】
本実施形態において、時間窓T、時間単位、第1の時間単位集合、および第2の時間単位集合は、前述の実施形態に記載されており、ここでは詳細の具体的な説明を繰り返さない。例えば、第1の時間単位集合および第2の時間単位集合は表1から表7の任意の組み合わせであってよい。
【０１３７】
任意選択で、第2の時間単位集合が第1の時間単位集合の真部分集合である。ネットワークデバイスは、第2のDCIを第1のDCIより低い周波数で送信してよく、端末デバイスが第2の探索空間を決定し、第2のDCIを検出する周波数を下げることができ、それによって端末デバイスの処理の複雑さが低減する。
【０１３８】
任意選択で、第1の時間単位集合と第2の時間単位集合とは完全にオーバーラップする。ネットワークデバイスは、第2のDCIを第1のDCIより低い周波数で送信しうるが、第1の時間単位集合と第2の時間単位集合とが完全にオーバーラップする場合、ネットワークデバイスが第2のDCIを送信する機会を増やすことができ、そのため、ネットワークデバイスは、第2のDCIをより柔軟に構成し、送信することができ、それによって、第2のDCIを使用したスケジューリングに成功する確率が高まる。
【０１３９】
任意選択で、ネットワークデバイスが、第1の探索空間および第2の探索空間のうちの少なくとも1つの探索空間を決定する前に、本方法は、ネットワークデバイスが、端末デバイスにシグナリングを送信するステップであって、シグナリングが、第1の時間単位集合および／または第2の時間単位集合を指示するために使用され、シグナリングが、上位層シグナリングまたは物理層シグナリングでありうる、ステップ、をさらに含む。
【０１４０】
任意選択で、ネットワークデバイスがDCIの少なくとも一部を送信する前に、本方法は、ネットワークデバイスが、端末デバイスにシグナリングを送信するステップであって、シグナリングが、第1の時間単位集合および／または第2の時間単位集合を指示するために使用される、ステップ、をさらに含む。したがって、シグナリングを受信した後、端末デバイスは、シグナリングに基づいて第1の時間単位および／または第2の時間単位を決定し、第1の時間単位および／または第2の時間単位において第1の探索空間および第2の探索空間を決定し、シグナリングは、上位層シグナリングまたは物理層シグナリングであってよい。
【０１４１】
本実施形態において、第1の探索空間および第2の探索空間は前述の実施形態に記載されており、ここでは詳細を繰り返さない。
【０１４２】
ネットワークデバイスが決定された探索空間においてDCIをどのように構成するかは、本発明では限定されないことに留意されたい。例えば、ネットワークデバイスはまず、第1の探索空間によって占有される時間周波数領域リソースがPリソース要素であると決定する。さらに、ネットワークデバイスは、Pリソース要素のうちのいくつかが第1のDCIを搬送するために使用されると決定する。例えば、ネットワークデバイスは、第2の探索空間はQ候補制御チャネルを含むと決定し、第2のDCIを搬送するためにQ候補制御チャネルの中から1つの候補制御チャネルを選択する。
【０１４３】
任意選択で、ネットワークデバイスがDCIの少なくとも一部を送信する前に、本方法は、ネットワークデバイスが、端末デバイスにシグナリングを送信するステップ、をさらに含む。シグナリングは、第1の探索空間および／または第2の探索空間を指示するために使用される情報を含み、シグナリングは上位層シグナリングまたは物理層シグナリングである。具体的内容については、前述の実施形態を参照されたく、ここでは詳細を繰り返さない。
【０１４４】
第1のDCIおよび／または第2のDCIの送信後または送信中に、ネットワークデバイスは、端末デバイスとの第1のデータ伝送および／または第2のデータ伝送を行う。第1のデータ伝送または第2のデータ伝送がダウンリンクデータ伝送である場合、ネットワークデバイスは端末デバイスにダウンリンクデータ伝送を送信し、第1のデータ伝送または第2のデータ伝送がアップリンクデータ伝送である場合、ネットワークデバイスは端末デバイスによって送信されたアップリンクデータ伝送を受信する。
【０１４５】
任意選択で、第1のデータ伝送はダウンリンクデータ伝送であり、少なくとも1つの時間単位で行われ、少なくとも1つの時間単位と第1の時間単位とは完全にまたは部分的にオーバーラップし、またはオーバーラップしない。具体的内容については、前述の実施形態を参照されたく、ここでは詳細を繰り返さない。
【０１４６】
任意選択で、第2のデータ伝送はダウンリンクデータ伝送であり、少なくとも1つの時間単位で行われ、少なくとも1つの時間単位と第2の時間単位とは部分的にオーバーラップし、またはオーバーラップしない。具体的内容については、前述の実施形態を参照されたく、ここでは詳細を繰り返さない。
【０１４７】
任意選択で、第1のデータ伝送または第2のデータ伝送はアップリンクデータ伝送であり、第1のデータ伝送または第2のデータ伝送のために占有される開始時間単位は、第1の時間単位または第2の時間単位に対して少なくともK・LTの時間長だけ遅延され、Kは正の整数であり、例えば、Kは4であり、LTは第1のデータ伝送または第2のデータ伝送のTTI長である。具体的内容については、前述の実施形態を参照されたく、ここでは詳細を繰り返さない。
【０１４８】
本発明の本実施形態では、任意選択で、ネットワークデバイスは第3の探索空間を決定し、第3の探索空間は時間窓T内の第3の時間単位にあり、第3の時間単位は第2の時間単位集合に属し、ネットワークデバイスは第3のDCIを送信し、第3のDCIは第3の探索空間に位置し、ネットワークデバイスによって第2の探索空間で送信された第2のDCIとネットワークデバイスによって第3の探索空間で送信された第3のDCIとはどちらも、第2のデータ伝送をスケジュールするために使用される。
【０１４９】
通信システムにおいて、ネットワークデバイスは、複数のTTI長を有するデータ伝送をスケジュールしうる。例えば、第1の端末デバイスのダウンリンクデータ伝送のTTI長は2シンボルの長さであり、第2の端末デバイスのダウンリンクデータ伝送のTTI長は0.5msである。異なるTTI長を有するデータ伝送に対応する制御領域に、例えば通常のCPに異なる構成方法が使用される場合、第1の端末デバイスに対応する制御チャネル領域はシンボル7に、またはシンボル7およびシンボル8に位置し、第2の端末デバイスに対応する制御チャネル領域は、第2のタイムスロット内の最初の1または複数のシンボルに位置し、通信システムにおいて制御チャネル領域のための構成方法は複数ある。これは、異なるTTI長に対応する制御チャネル領域間でのリソースの多重化には好ましくなく、ネットワークデバイスの処理の複雑さが増大する。したがって、本発明の本実施形態では、第1の探索空間は第1の端末デバイスによって検出される探索空間され、第2の探索空間は第2の端末デバイスによって検出される探索空間とされうる。この場合、通信システムに複数のTTI長を有するデータ伝送があるときに、統一された方法を使用して探索空間および／または制御チャネル領域を構成し、異なるTTI長に対応する探索空間および／または制御チャネル領域を効果的に多重化し、ネットワークデバイスのスケジューリングの複雑さを低減させることができる。
【０１５０】
本発明の本実施形態では、任意選択で、ネットワークデバイスによって決定される第1の探索空間は第1の端末デバイスによって検出される探索空間であり、ネットワークデバイスによって決定される第2の探索空間は第2の端末デバイスによって検出される探索空間である。これに対応して、第1のDCIは第1の端末デバイスの第1のデータ伝送をスケジュールするために使用され、第2のDCIは第2の端末デバイスの第2のデータ伝送をスケジュールするために使用される。第1のDCIおよび／または第2のDCIの送信後または送信中に、ネットワークデバイスは、第1の端末デバイスとの第1のデータ伝送を行い、かつ／または第2の端末デバイスとの第2のデータ伝送を行う。例えば、NT＝7であり、第1のTTI長は2シンボルの長さであり、第1の時間単位集合は時間単位｛0，1，2，3，4，5，6｝を含み、第2のTTI長は0.5msであり、第2の時間単位集合は時間単位｛0，3｝または時間単位｛0，4｝を含む。
【０１５１】
任意選択で、第1のデータ伝送と第2のデータ伝送とはどちらもダウンリンクデータ伝送であり、第1のデータ伝送の第1のTTI長は第2のデータ伝送の第2のTTI長よりも短い。第2のTTI長は第1のTTI長より長く、端末デバイスは、第1のTTI長を有するダウンリンクデータ伝送に存在する第2のTTI長を有するダウンリンクデータ伝送がスケジュールされるかどうかを事前に決定することができないため、第1の探索空間は、第2のTTI長を有するダウンリンクデータ伝送のために占有される周波数領域リソースに位置することはできず、そうでないと端末デバイスは、第2のTTI長を有するダウンリンクデータを誤って受信する。したがって、第1の探索空間は第1の周波数領域リソースに位置し、第1の周波数領域リソースは、第2のTTI長を有するダウンリンクデータ伝送に使用できない。任意選択で、第1の時間単位は第2の時間単位と同じである。
【０１５２】
任意選択で、第1の探索空間と第2の探索空間とはどちらも第1の周波数領域リソースに位置し、第1の周波数領域リソースは第2のTTI長を有するダウンリンクデータ伝送に使用できない。図6aに示すように、第1の端末デバイスによって検出される第1の探索空間と第2の端末デバイスによって検出される第2の探索空間とはどちらも、2シンボルのTTI長を有するダウンリンクデータ伝送に対応する周波数帯域に位置する。さらに任意選択で、第1の探索空間と第2の探索空間とは完全にオーバーラップする、すなわち、第1の端末デバイスと第2の端末デバイスとは同じ探索空間を検出する。
【０１５３】
任意選択で、第1の探索空間は第1の周波数領域リソースに位置し、第2の探索空間は第2の周波数領域リソースに位置し、第1の周波数領域リソースは、第2のTTI長を有するダウンリンクデータ伝送に使用できず、第2の周波数領域リソースは、第2のTTI長を有するダウンリンクデータ伝送および／または第1のTTI長を有するダウンリンクデータ伝送に使用できる。図6bに示すように、第1の端末デバイスによって検出される第1の探索空間は、2シンボルのTTI長を有するダウンリンクデータ伝送のために占有される周波数帯域に位置し、第2の端末デバイスによって検出される第2の探索空間は、2シンボルのTTI長を有するダウンリンクデータ伝送のために占有される周波数帯域と、0.5msのTTI長有するダウンリンクデータ伝送のために占有される周波数帯域とに位置する。
【０１５４】
任意選択で、第1の端末デバイスとの第1のデータ伝送を行う前に、ネットワークデバイスは、第1の端末デバイスに指示情報を送信する。指示情報は、第1のデータ伝送のために占有できないリソース、例えば、時間領域リソースおよび／または周波数領域リソースを指示する。第1のデータ伝送のために占有できないリソースは、第1のDCIによって占有されるリソースおよび／または第2のDCIによって占有されるリソースを含む。第1のデータ伝送はダウンリンクデータ伝送であり、第1の探索空間が位置する時間単位と、第2の探索空間が位置する時間単位と、第1のデータ伝送が行われる時間単位とは同じ（すなわち、第1の時間単位）である。任意選択で、指示情報は第1のDCIに含まれる。
【０１５５】
任意選択で、ネットワークデバイスが、第1の探索空間および第2の探索空間のうちの少なくとも1つの探索空間を決定する前に、本方法は、ネットワークデバイスが、第1の端末デバイスに第1の時間単位構成情報を送信するステップ、および／またはネットワークデバイスが、第2の端末デバイスに第2の時間単位構成情報を送信するステップであって、第1の時間単位が第1の時間単位集合を指示するために使用され、第2の時間単位が第2の時間単位集合を指示するために使用される、ステップ、をさらに含む。
【０１５６】
本発明の本実施形態によれば、第1の探索空間は第1の時間単位にあり、第2の探索空間は第2の時間単位にある。第1時間単位と第2時間単位とは、第1時間単位集合と第2時間単位集合とにそれぞれ属するが、第1の時間単位集合と第2の時間単位集合とは部分的に、または完全にオーバーラップし、そのため、ネットワークデバイスは、探索空間をより柔軟に決定し、複数のTTI長を有するデータ伝送または複数のスケジューリング優先順位を有するデータ伝送をサポートするために、異なる探索空間に対して、異なるデータ伝送をスケジュールするために使用されるDCIを構成することができる。さらに、第2の時間単位集合が第1の時間単位集合の真部分集合である場合、ネットワークデバイスは、第2のDCIを第1のDCIより低い周波数で送信してよく、端末デバイスが第2の探索空間を決定し、第2のDCIを検出する周波数を下げることができ、それによって処理の複雑さが低減する。第1の時間単位集合と第2の時間単位集合とが完全にオーバーラップする場合、第2のDCIを送信する機会を増やすことができ、そのため、ネットワークデバイスは、第2のDCIをより柔軟に構成し、送信することができ、それによって、第2のDCIを使用したスケジューリングに成功する確率が高まる。
【０１５７】
図7は、本発明の一実施形態による端末デバイスの概略的構造図である。本デバイスは、前述の実施形態の方法を行うように構成されうることに留意されたい。したがって、前述の実施形態の内容と同じ内容については、前述の実施形態の説明を参照されたく、以下では詳細を繰り返さない。
【０１５８】
本発明の本デバイスは、プロセッサと送受信機とを含んでいてよく、プロセッサは送受信機と通信接続されている。当然ながら、本デバイスは、メモリなどをさらに含みうる。例えば、メモリは、所定のシーケンスを格納していてもよく、所定の規則などをさらに格納していてもよい。
【０１５９】
プロセッサは、第1の探索空間および第2の探索空間のうちの少なくとも1つの探索空間を決定し、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なる、ように構成される。
【０１６０】
プロセッサは、少なくとも1つの探索空間においてダウンリンク制御情報（DCI）の少なくとも一部を検出するように構成される。
【０１６１】
プロセッサは、少なくとも1つの探索空間においてDCIの少なくとも一部を検出する。CRCにパスする候補制御チャネルが検出された場合、候補制御チャネル上で搬送されたDCIは、データ伝送をスケジュールするために使用され、ネットワークデバイスによって端末デバイスに送信されたDCIである。そうではなく、端末デバイスが、CRCにパスする候補制御チャネルを検出しない場合、それはネットワークデバイスが端末デバイスにDCIを送信していないことを指示する。
【０１６２】
任意選択で、データ伝送をスケジュールするために使用されるDCIを検出した場合、プロセッサは、DCIに基づいてネットワークデバイスとのデータ伝送を行いうる。ダウンリンクデータ伝送では、端末デバイスの送受信機は、DCIによって指示されるデータ伝送リソース上で、ネットワークデバイスによって送信されたダウンリンクデータパケットを受信し、アップリンクデータ伝送では、端末デバイスの送受信機は、DCIによって指示されるデータ伝送リソース上でネットワークデバイスにアップリンクデータパケットを送信しうる。
【０１６３】
任意選択で、第1の時間単位集合と第2の時間単位集合とが事前定義される場合、メモリは、第1の時間単位集合および第2の時間単位集合を格納するようにさらに構成される。
【０１６４】
任意選択で、端末デバイスがネットワークデバイスによって送信されたシグナリングを受信する必要がある場合、送受信機はシグナリングをさらに受信しうる。任意選択で、シグナリングは、第1の時間単位集合および／または第2の時間単位集合を指示するために使用される。任意選択で、シグナリングは、第1の時間単位および／または第2の時間単位を指示するために使用される。任意選択で、シグナリングは、第1の探索空間および／または第2の探索空間を指示するために使用される情報を含む。
【０１６５】
本発明の本実施形態によれば、第1の探索空間は第1の時間単位にあり、第2の探索空間は第2の時間単位にある。第1時間単位と第2時間単位とは、第1時間単位集合と第2時間単位集合とにそれぞれ属するが、第1の時間単位集合と第2の時間単位集合とは部分的に、または完全にオーバーラップし、そのため、端末デバイスは、複数のTTI長を有するデータ伝送または複数のスケジューリング優先順位を有するデータ伝送をサポートするために、異なる探索空間において、異なるデータ伝送をスケジュールするために使用されるDCIを検出することができる。さらに、第2の時間単位集合が第1の時間単位集合の真部分集合である場合、ネットワークデバイスは、第2のDCIを第1のDCIより低い周波数で送信してよく、端末デバイスが第2の探索空間を決定し、第2のDCIを検出する周波数を下げることができ、それによって処理の複雑さが低減する。
【０１６６】
図8は、発明の一実施形態によるネットワークデバイスの概略構造図である。本デバイスは、前述の実施形態の方法を行うように構成されうることに留意されたい。したがって、前述の実施形態の内容と同じ内容については、前述の実施形態の説明を参照されたく、以下では詳細を繰り返さない。
【０１６７】
本実施形態のデバイスは、プロセッサと送受信機とを含みうる。プロセッサは送受信機と通信接続されている。当然ながら、本デバイスは、メモリなどをさらに含みうる。例えば、メモリは、所定のシーケンスを格納していてもよく、所定の規則などをさらに格納していてもよい。
【０１６８】
プロセッサは、第1の探索空間および第2の探索空間のうちの少なくとも1つの探索空間を決定し、第1の探索空間が時間窓T内の第1の時間単位にあり、第1の時間単位が第1の時間単位集合に属し、第2の探索空間が時間窓T内の第2の時間単位にあり、第2の時間単位が第2の時間単位集合に属し、時間窓TがNT個の時間単位を含み、第1の時間単位集合および第2の時間単位集合がNT個の時間単位の部分集合であり、NTが2以上の整数であり、第1の時間単位集合と第2の時間単位集合とが部分的に、または完全にオーバーラップし、第1の時間単位が第2の時間単位と同じかまたは異なる、ように構成される。
【０１６９】
送受信機は、ダウンリンク制御情報（DCI）の少なくとも一部を送信し、DCIが少なくとも1つの探索空間に位置する、ように構成される。
【０１７０】
任意選択で、ネットワークデバイスのプロセッサは、第1の時間単位および／または第2の時間単位における第1の探索空間および第2の探索空間のうちの少なくとも1つを決定するために、第1の時間単位集合および／または第2の時間単位集合の中から第1の時間単位および／または第2の時間単位を決定しうる。ネットワークデバイスの送受信機は、プロセッサによって決定された少なくとも1つの探索空間において、データ伝送をスケジュールするために使用されるDCIを送信する。
【０１７１】
任意選択で、第1の時間単位集合と第2の時間単位集合とが事前定義される場合、メモリは、第1の時間単位集合および第2の時間単位集合を格納するようにさらに構成される。
【０１７２】
任意選択で、ネットワークデバイスが端末デバイスにシグナリングをさらに送信する必要がある場合、送受信機はシグナリングをさらに送信しうる。任意選択で、シグナリングは、第1の時間単位集合および／または第2の時間単位集合を指示するために使用される。任意選択で、シグナリングは、第1の時間単位および／または第2の時間単位を指示するために使用される。任意選択で、シグナリングは、第1の探索空間および／または第2の探索空間を指示するために使用される情報を含む。
【０１７３】
本発明の本実施形態によれば、第1の探索空間は第1の時間単位にあり、第2の探索空間は第2の時間単位にある。第1時間単位と第2時間単位とは、第1時間単位集合と第2時間単位集合とにそれぞれ属するが、第1の時間単位集合と第2の時間単位集合とは部分的に、または完全にオーバーラップし、そのため、ネットワークデバイスは、探索空間をより柔軟に決定し、複数のTTI長を有するデータ伝送または複数のスケジューリング優先順位を有するデータ伝送をサポートするために、異なる探索空間に対して、異なるデータ伝送をスケジュールするために使用されるDCIを構成することができる。さらに、第2の時間単位集合が第1の時間単位集合の真部分集合である場合、ネットワークデバイスは、第2のDCIを第1のDCIより低い周波数で送信してよく、端末デバイスが第2の探索空間を決定し、第2のDCIを検出する周波数を下げることができ、それによって処理の複雑さが低減する。第1の時間単位集合と第2の時間単位集合とが完全にオーバーラップする場合、第2のDCIを送信する機会を増やすことができ、そのためネットワークデバイスは第2のDCIをより柔軟に構成し、送信することができ、それによって、第2のDCIを使用したスケジューリングに成功する確率が高まる。本発明のすべての前述の実施形態におけるプロセッサは、中央処理装置（central processing unit、CPU）であってもよく、別の汎用プロセッサ、デジタル信号プロセッサ（digital signal processor、DSP）、特定用途向け集積回路（application-specific integrated circuit、ASIC）、フィールド・プログラマブル・ゲート・アレイ（field programmable gate array、FPGA）または別のプログラマブル・ロジック・デバイス、ディスクリートゲートまたはトランジスタ・ロジック・デバイス、ディスクリート・ハードウェア・コンポーネントなどであってもよいことに留意されたい。加えて、本発明の前述の実施形態におけるネットワークデバイスおよび端末デバイスは、メモリなどの構成要素をさらに含んでいてもよい。この場合のメモリは、読取り専用メモリおよびランダム・アクセス・メモリを含み、プロセッサのための命令およびデータを提供しうる。メモリの一部は、不揮発性ランダム・アクセス・メモリをさらに含みうる。例えば、メモリはデバイス種別情報をさらに格納していてもよい。プロセッサは、本発明の実施形態において前述の動作を行うべきであるネットワークデバイスとユーザ機器内の別モジュールとを制御するために、メモリ内の命令コードを呼び出す。
【０１７４】
本明細書全体において言及される本発明の「一実施形態」、「1つの実施形態」、または「本実施形態」とは、実施形態に関連した特定の特徴、構造、または特性が、本発明の少なくとも1つの実施形態に含まれることを意味するものであることを理解されたい。したがって、本明細書全体のあらゆる部分における本発明の「一実施形態において」、「1つの実施形態おいて」、または「本実施形態において」は、必ずしも同じ実施形態を指すとは限らない。加えて、これら特定の特徴、構造、または特性は、任意の適切な方法で1または複数の実施形態において組み合わされてもよい。
【０１７５】
前述の各プロセスの順序番号は本発明の様々な実施形態における実行順序を意味するものではないことを理解されたい。各プロセスの実行順序は、各プロセスの機能および内部論理に基づいて決定されるべきであり、本発明の各実施形態の実施プロセスに関するいかなる限定としても解釈されるべきではない。
【０１７６】
加えて、「システム」という用語と「ネットワーク」という用語は本明細書では区別なく用いられる場合がある。本明細書における「および／または」という用語は、関連付けられる対象を記述する場合の結合関係を記述するにすぎず、3つの関係が存在しうることを表す。例えば、Aおよび／またはBは、Aのみが存在する、AとBの両方が存在する、Bのみが存在する、という3つの場合を表しうる。加えて、本明細書における文字「／」は一般に、関連付けられる対象間の「または」の関係を示す。
【０１７７】
本発明の実施形態において、「A」に対応する「B」とは、BがAと関連付けられていることを指示し、BはAに従って決定されうることを理解されたい。しかし、Aに従ってBを決定することは、BがAのみに従って決定されることを意味せず、Bはまた、Aおよび／または他の情報に従っても決定されうることをさらに理解されたい。
【０１７８】
当業者であれば分かるように、本明細書で開示された実施形態に記載されている例と組み合わせて、ユニットおよびアルゴリズムステップを、電子ハードウェア、コンピュータソフトウェア、またはこれらの組み合わせによって実現することもできる。以上では、ハードウェアとソフトウェアとの間の互換性を明確に記述するために、機能に基づく各例の構成およびステップを一般的に記述している。各機能が果たされるのがハードウェアによってか、それともソフトウェアによってかは、技術的解決策の個々の用途および設計上の制約条件に依存する。当業者は、記載の機能を個々の用途ごとに実現するために様々な方法を使用しうるが、そうした実施態様は本発明の範囲を超えるものとみなされるべきではない。
【０１７９】
本出願のいくつかの実施形態において、図示され、または論じられている相互結合または直接結合または通信接続は、いくつかのインターフェースを使用して実現されてもよい。装置間またはユニット間の間接結合または通信接続は、電子的形態、機械的形態、または他の形態として実現されてもよい。
【０１８０】
別々の部品として記述されたユニットは物理的に分離している場合もそうではない場合もあり、ユニットとして図示された部品は物理的ユニットである場合もそうではない場合もあり、一箇所に位置する場合もあり、複数のネットワークユニット上に分散されている場合もある。ユニットの一部または全部が、各実施形態の解決策の目的を達成するための実際の要件に応じて選択されてもよい。
【０１８１】
統合ユニットがソフトウェア機能ユニットの形態で実現され、独立した製品として販売または使用される場合、その統合ユニットはコンピュータ可読記憶媒体に格納されうる。そうした理解に基づき、本発明の技術的解決策は本質的に、または先行技術に寄与する部分が、または技術的解決策の一部がソフトウェア製品の形態で実現されうる。コンピュータソフトウェア製品は記憶媒体に格納され、（パーソナルコンピュータ、サーバ、ネットワークデバイスなどとしうる）コンピュータデバイスに、本発明の実施形態に記載されている方法のステップの全部または一部を実行するよう命令するためのいくつかの命令を含む。前述の記憶媒体は、USBフラッシュドライブ、リムーバブル・ハード・ディスク、読取り専用メモリ（Read-Only Memory、略称ROM）、ランダム・アクセス・メモリ（Random Access Memory、略称RAM）、磁気ディスク、光ディスクといった、プログラムコードを格納することができる任意の媒体を含む。
【０１８２】
以上の説明は、単に、本発明の具体的実施態様であるにすぎず、本発明の保護範囲を限定するためのものではない。本発明で開示される技術範囲内で当業者によって容易に考案されるいかなる変形も置換も、本発明の保護範囲内に含まれるものとする。したがって、本発明の保護範囲は、特許請求の範囲の保護範囲に従うものとする。
【符号の説明】
【０１８３】
70  プロセッサ
71  送受信機
80  プロセッサ
81  送受信機
【手続補正２】
【補正対象書類名】特許請求の範囲
【補正対象項目名】全文
【補正方法】変更
【補正の内容】
【特許請求の範囲】
【請求項１】
ダウンリンク制御情報（DCI）検出方法であって、
端末デバイスにより、第1の探索空間および第2の探索空間のうちの少なくとも1つの探索空間を決定するステップであって、前記第1の探索空間が時間窓T内の第1の時間単位にあり、前記第1の時間単位が第1の時間単位集合に属し、前記第2の探索空間が前記時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なる、ステップと、
前記端末デバイスにより、前記少なくとも1つの探索空間においてダウンリンク制御情報（DCI）の少なくとも一部を検出するステップと
を含む方法。
【請求項２】
前記少なくとも1つの探索空間が前記第1の探索空間であり、DCIの前記少なくとも一部が第1のDCIを含み、かつ前記端末デバイスにより、前記少なくとも1つの探索空間においてDCIの少なくとも一部を検出する前記ステップが、前記端末デバイスにより、前記第1の探索空間において前記第1のDCIを検出するステップを含み、
前記少なくとも1つの探索空間が前記第2の探索空間であり、DCIの前記少なくとも一部が第2のDCIを含み、かつ前記端末デバイスにより、前記少なくとも1つの探索空間においてDCIの少なくとも一部を検出する前記ステップが、前記端末デバイスにより、前記第2の探索空間において前記第2のDCIを検出するステップを含み、または
前記少なくとも1つの探索空間が前記第1の探索空間および前記第2の探索空間を含み、DCIの前記少なくとも一部が第1のDCIおよび第2のDCIを含み、かつ前記端末デバイスにより、前記少なくとも1つの探索空間においてDCIの少なくとも一部を検出する前記ステップが、前記端末デバイスにより、前記第1の探索空間において前記第1のDCIを検出し、前記第2の探索空間において前記第2のDCIを検出するステップを含み、
前記第1のDCIは、第1のデータ伝送をスケジュールするために使用され、前記第2のDCIは、第2のデータ伝送をスケジュールするために使用され、前記第1のデータ伝送の第1の伝送時間間隔（TTI）長は、前記第2のデータ伝送の第2の伝送時間間隔（TTI）長よりも短い、請求項1に記載の方法。
【請求項３】
NT＝2であり、前記第1の時間単位集合が時間単位0および時間単位1を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0および前記時間単位2を含み、または
NT＝6であり、前記第1の時間単位集合が時間単位0、時間単位1、時間単位2、時間単位3、時間単位4、および時間単位5を含み、かつ前記第2の時間単位集合が前記時間単位0を含み、または
NT＝6であり、前記第1の時間単位集合が時間単位0、時間単位1、時間単位2、時間単位3、時間単位4、および時間単位5を含み、かつ前記第2の時間単位集合が前記時間単位0および前記時間単位3を含み、または
NT＝6であり、前記第1の時間単位集合が時間単位0、時間単位1、時間単位2、時間単位3、時間単位4、および時間単位5を含み、かつ前記第2の時間単位集合が前記時間単位0、前記時間単位1、前記時間単位2、前記時間単位3、前記時間単位4、および前記時間単位5を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0および前記時間単位3を含むか、もしくは前記時間単位0および前記時間単位4を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0、前記時間単位2、前記時間単位3、および前記時間単位5を含むか、もしくは前記第2の時間単位集合が前記時間単位0、前記時間単位1、前記時間単位3、および前記時間単位5を含むか、もしくは前記第2の時間単位集合が前記時間単位0、前記時間単位1、前記時間単位3、および前記時間単位4を含むか、もしくは前記第2の時間単位集合が前記時間単位0、前記時間単位2、前記時間単位4、および前記時間単位6を含む、請求項1または2に記載の方法。
【請求項４】
前記時間窓Tが1サブフレームであり、前記NT個の時間単位の各々が少なくとも1シンボルを含み、
前記第1のTTI長および前記第2のTTI長が、1ミリ秒、0.5ミリ秒、4シンボルの長さ、3シンボルの長さ、2シンボルの長さ、および1シンボルの長さのうちの2つである、請求項1から3のいずれか一項に記載の方法。
【請求項５】
前記第1の時間単位が前記第2の時間単位と同じであり、前記第1の探索空間と前記第2の探索空間とが部分的にまたは完全にオーバーラップする、請求項1から4のいずれか一項に記載の方法。
【請求項６】
前記第1の時間単位集合が時間単位iおよび時間単位jを含み、
前記第1の時間単位が前記時間単位iである場合、前記第1の探索空間はM個のリソース要素を占有し、前記第1の時間単位が前記時間単位jである場合、前記第1の探索空間はN個のリソース要素を占有し、MおよびNは自然数であり、MはNと等しくない、請求項1から5のいずれか一項に記載の方法。
【請求項７】
前記端末デバイスにより、第3の探索空間を決定するステップであって、前記第3の探索空間が前記時間窓T内の第3の時間単位にあり、前記第3の時間単位が前記第2の時間単位集合に属する、ステップと、
前記端末デバイスにより、前記第3の探索空間において第3のDCIを検出するステップであって、前記端末デバイスによって前記第2の探索空間において検出された第2のDCIと前記端末デバイスによって前記第3の探索空間において検出された前記第3のDCIとがどちらも前記第2のデータ伝送をスケジュールするために使用される、ステップと
をさらに含む、請求項2から6のいずれか一項に記載の方法。
【請求項８】
ダウンリンク制御情報（DCI）送信方法であって、
ネットワークデバイスにより、第1の探索空間および第2の探索空間のうちの少なくとも1つの探索空間を決定するステップであって、前記第1の探索空間が時間窓T内の第1の時間単位にあり、前記第1の時間単位が第1の時間単位集合に属し、前記第2の探索空間が前記時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なる、ステップと、
前記ネットワークデバイスにより、ダウンリンク制御情報（DCI）の少なくとも一部を送信するステップであって、DCIの前記少なくとも一部が前記少なくとも1つの探索空間に位置する、ステップと
を含む方法。
【請求項９】
前記少なくとも1つの探索空間が前記第1の探索空間であり、かつDCIの前記少なくとも一部が第1のDCIを含み、
前記少なくとも1つの探索空間が前記第2の探索空間であり、かつDCIの前記少なくとも一部が第2のDCIを含み、または
前記少なくとも1つの探索空間が前記第1の探索空間および前記第2の探索空間を含み、かつDCIの前記少なくとも一部が第1のDCIおよび第2のDCIを含み、
前記第1のDCIは前記第1の探索空間に位置し、前記第2のDCIは前記第2の探索空間に位置し、前記第1のDCIは第1のデータ伝送をスケジュールするために使用され、前記第2のDCIは第2のデータ伝送をスケジュールするために使用され、前記第1のデータ伝送の第1の伝送時間間隔（TTI）長は、前記第2のデータ伝送の第2の伝送時間間隔（TTI）長よりも短い、請求項8に記載の方法。
【請求項１０】
NT＝2であり、前記第1の時間単位集合が時間単位0および時間単位1を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0および前記時間単位2を含み、または
NT＝6であり、前記第1の時間単位集合が時間単位0、時間単位1、時間単位2、時間単位3、時間単位4、および時間単位5を含み、かつ前記第2の時間単位集合が前記時間単位0を含み、または
NT＝6であり、前記第1の時間単位集合が時間単位0、時間単位1、時間単位2、時間単位3、時間単位4、および時間単位5を含み、かつ前記第2の時間単位集合が前記時間単位0および前記時間単位3を含み、または
NT＝6であり、前記第1の時間単位集合が時間単位0、時間単位1、時間単位2、時間単位3、時間単位4、および時間単位5を含み、かつ前記第2の時間単位集合が前記時間単位0、前記時間単位1、前記時間単位2、前記時間単位3、前記時間単位4、および前記時間単位5を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0および前記時間単位3を含むか、もしくは前記時間単位0および前記時間単位4を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0、前記時間単位2、前記時間単位3、および前記時間単位5を含むか、もしくは前記第2の時間単位集合が前記時間単位0、前記時間単位1、前記時間単位3、および前記時間単位5を含むか、もしくは前記第2の時間単位集合が前記時間単位0、前記時間単位1、前記時間単位3、および前記時間単位4を含むか、もしくは前記第2の時間単位集合が前記時間単位0、前記時間単位2、前記時間単位4、および前記時間単位6を含む、請求項8または9に記載の方法。
【請求項１１】
前記時間窓Tが1サブフレームであり、前記NT個の時間単位の各々が少なくとも1シンボルを含み、
前記第1のTTI長および前記第2のTTI長が、1ミリ秒、0.5ミリ秒、4シンボルの長さ、3シンボルの長さ、2シンボルの長さ、および1シンボルの長さのうちの2つである、請求項8から10のいずれか一項に記載の方法。
【請求項１２】
前記第1の時間単位が前記第2の時間単位と同じであり、前記第1の探索空間と前記第2の探索空間とが部分的にまたは完全にオーバーラップする、請求項8から11のいずれか一項に記載の方法。
【請求項１３】
前記第1の時間単位集合が時間単位iおよび時間単位jを含み、
前記第1の時間単位が前記時間単位iである場合、前記第1の探索空間はM個のリソース要素を占有し、前記第1の時間単位が前記時間単位jである場合、前記第1の探索空間はN個のリソース要素を占有し、MおよびNは自然数であり、MはNと等しくない、請求項8から12のいずれか一項に記載の方法。
【請求項１４】
前記ネットワークデバイスにより、第3の探索空間を決定するステップであって、前記第3の探索空間が前記時間窓T内の第3の時間単位にあり、前記第3の時間単位が前記第2の時間単位集合に属する、ステップと、
前記ネットワークデバイスにより、前記第3の探索空間において第3のDCIを送信するステップであって、前記ネットワークデバイスによって前記第2の探索空間において送信された第2のDCIと前記ネットワークデバイスによって前記第3の探索空間において送信された前記第3のDCIとがどちらも前記第2のデータ伝送をスケジュールするために使用される、ステップと
をさらに含む、請求項9から13のいずれか一項に記載の方法。
【請求項１５】
前記第1の探索空間が、第1の端末デバイスによって検出される探索空間であり、前記第2の探索空間が、第2の端末デバイスによって検出される探索空間である、請求項8から14のいずれか一項に記載の方法。
【請求項１６】
端末デバイスであって、
プロセッサと送受信機とを含み、
前記送受信機は、前記プロセッサと通信接続されており、
前記プロセッサは、第1の探索空間および第2の探索空間のうちの少なくとも1つの探索空間を決定するように構成され、前記第1の探索空間が時間窓T内の第1の時間単位にあり、前記第1の時間単位が第1の時間単位集合に属し、前記第2の探索空間が時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なり、
前記プロセッサは、前記少なくとも1つの探索空間においてダウンリンク制御情報（DCI）の少なくとも一部を検出するように構成される、端末デバイス。
【請求項１７】
前記少なくとも1つの探索空間が前記第1の探索空間であり、DCIの前記少なくとも一部が第1のDCIを含み、かつ前記プロセッサが、前記第1の探索空間において前記第1のDCIを検出するように構成され、
前記少なくとも1つの探索空間が前記第2の探索空間であり、DCIの前記少なくとも一部が第2のDCIを含み、かつ前記プロセッサが前記少なくとも1つの探索空間においてDCIの前記少なくとも一部を検出するように構成されることは、前記第2の探索空間において前記第2のDCIを検出することを含み、または
前記少なくとも1つの探索空間が前記第1の探索空間および前記第2の探索空間を含み、DCIの前記少なくとも一部が第1のDCIおよび第2のDCIを含み、かつ前記プロセッサが前記少なくとも1つの探索空間においてDCIの前記少なくとも一部を検出するように構成されることは、前記第1の探索空間において前記第1のDCIを検出し、前記第2の探索空間において前記第2のDCIを検出することを含み、
前記第1のDCIは、第1のデータ伝送をスケジュールするために使用され、前記第2のDCIは、第2のデータ伝送をスケジュールするために使用され、前記第1のデータ伝送の第1の伝送時間間隔（TTI）長は、前記第2のデータ伝送の第2の伝送時間間隔（TTI）長よりも短い、請求項16に記載の端末デバイス。
【請求項１８】
NT＝2であり、前記第1の時間単位集合が時間単位0および時間単位1を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0および前記時間単位2を含み、または
NT＝6であり、前記第1の時間単位集合が時間単位0、時間単位1、時間単位2、時間単位3、時間単位4、および時間単位5を含み、かつ前記第2の時間単位集合が前記時間単位0を含み、または
NT＝6であり、前記第1の時間単位集合が時間単位0、時間単位1、時間単位2、時間単位3、時間単位4、および時間単位5を含み、かつ前記第2の時間単位集合が前記時間単位0および前記時間単位3を含み、または
NT＝6であり、前記第1の時間単位集合が時間単位0、時間単位1、時間単位2、時間単位3、時間単位4、および時間単位5を含み、かつ前記第2の時間単位集合が前記時間単位0、前記時間単位1、前記時間単位2、前記時間単位3、前記時間単位4、および前記時間単位5を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0および前記時間単位3を含むか、もしくは前記時間単位0および前記時間単位4を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0、前記時間単位2、前記時間単位3、および前記時間単位5を含むか、もしくは前記第2の時間単位集合が前記時間単位0、前記時間単位1、前記時間単位3、および前記時間単位5を含むか、もしくは前記第2の時間単位集合が前記時間単位0、前記時間単位1、前記時間単位3、および前記時間単位4を含むか、もしくは前記第2の時間単位集合が前記時間単位0、前記時間単位2、前記時間単位4、および前記時間単位6を含む、請求項16または17に記載の端末デバイス。
【請求項１９】
前記時間窓Tが1サブフレームであり、前記NT個の時間単位の各々が少なくとも1シンボルを含み、
前記第1のTTI長および前記第2のTTI長が、1ミリ秒、0.5ミリ秒、4シンボルの長さ、3シンボルの長さ、2シンボルの長さ、および1シンボルの長さのうちの2つである、請求項16から18のいずれか一項に記載の端末デバイス。
【請求項２０】
前記第1の時間単位集合が時間単位iおよび時間単位jを含み、
前記第1の時間単位が前記時間単位iである場合、前記第1の探索空間はM個のリソース要素を占有し、前記第1の時間単位が前記時間単位jである場合、前記第1の探索空間はN個のリソース要素を占有し、MおよびNは自然数であり、MはNと等しくない、請求項16から19のいずれか一項に記載の端末デバイス。
【請求項２１】
ネットワークデバイスであって、
プロセッサと送受信機とを含み、
前記送受信機は、前記プロセッサと通信接続されており、
前記プロセッサは、第1の探索空間および第2の探索空間のうちの少なくとも1つの探索空間を決定するように構成され、前記第1の探索空間が時間窓T内の第1の時間単位にあり、前記第1の時間単位が第1の時間単位集合に属し、前記第2の探索空間が前記時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なり、
前記送受信機は、ダウンリンク制御情報（DCI）の少なくとも一部を送信するように構成され、DCIの前記少なくとも一部が前記少なくとも1つの探索空間に位置する、ネットワークデバイス。
【請求項２２】
前記少なくとも1つの探索空間が前記第1の探索空間であり、かつDCIの前記少なくとも一部が第1のDCIを含み、または
前記少なくとも1つの探索空間が前記第2の探索空間であり、かつDCIの前記少なくとも一部が第2のDCIを含み、または
前記少なくとも1つの探索空間が前記第1の探索空間および前記第2の探索空間を含み、かつDCIの前記少なくとも一部が第1のDCIおよび第2のDCIを含み、
前記第1のDCIは前記第1の探索空間に位置し、前記第2のDCIは前記第2の探索空間に位置し、前記第1のDCIは第1のデータ伝送をスケジュールするために使用され、前記第2のDCIは第2のデータ伝送をスケジュールするために使用され、前記第1のデータ伝送の第1の伝送時間間隔（TTI）長は、前記第2のデータ伝送の第2の伝送時間間隔（TTI）長よりも短い、請求項21に記載のネットワークデバイス。
【請求項２３】
NT＝2であり、前記第1の時間単位集合が時間単位0および時間単位1を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0を含み、または
NT＝4であり、前記第1の時間単位集合が時間単位0、時間単位1、時間単位2、および時間単位3を含み、かつ前記第2の時間単位集合が前記時間単位0および前記時間単位2を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0および前記時間単位3を含むか、もしくは前記時間単位0および前記時間単位4を含み、または
NT＝6であり、前記第1の時間単位集合が時間単位0、時間単位1、時間単位2、時間単位3、時間単位4、および時間単位5を含み、かつ前記第2の時間単位集合が前記時間単位0を含み、または
NT＝6であり、前記第1の時間単位集合が時間単位0、時間単位1、時間単位2、時間単位3、時間単位4、および時間単位5を含み、かつ前記第2の時間単位集合が前記時間単位0および前記時間単位3を含み、または
NT＝6であり、前記第1の時間単位集合が時間単位0、時間単位1、時間単位2、時間単位3、時間単位4、および時間単位5を含み、かつ前記第2の時間単位集合が前記時間単位0、前記時間単位1、前記時間単位2、前記時間単位3、前記時間単位4、および前記時間単位5を含み、または
NT＝7であり、前記第1の時間単位集合が時間単位0、時間単位1、時間単位2、時間単位3、時間単位4、時間単位5、および時間単位6を含み、かつ前記第2の時間単位集合が前記時間単位0、前記時間単位2、前記時間単位3、および前記時間単位5を含むか、もしくは前記第2の時間単位集合が前記時間単位0、前記時間単位1、前記時間単位3、および前記時間単位5を含むか、もしくは前記第2の時間単位集合が前記時間単位0、前記時間単位1、前記時間単位3、および前記時間単位4を含むか、もしくは前記第2の時間単位集合が前記時間単位0、前記時間単位2、前記時間単位4、および前記時間単位6を含む、請求項21または22に記載のネットワークデバイス。
【請求項２４】
前記時間窓Tが1サブフレームであり、前記NT個の時間単位の各々が少なくとも1シンボルを含み、
前記第1のTTI長および前記第2のTTI長が、1ミリ秒、0.5ミリ秒、4シンボルの長さ、3シンボルの長さ、2シンボルの長さ、および1シンボルの長さのうちの2つである、請求項21から23のいずれか一項に記載のネットワークデバイス。
【請求項２５】
前記第1の時間単位が前記第2の時間単位と同じであり、前記第1の探索空間と前記第2の探索空間とが部分的にまたは完全にオーバーラップする、請求項21から24のいずれか一項に記載のネットワークデバイス。
【請求項２６】
前記第1の時間単位集合が時間単位iおよび時間単位jを含み、
前記第1の時間単位が前記時間単位iである場合、前記第1の探索空間はM個のリソース要素を占有し、前記第1の時間単位が前記時間単位jである場合、前記第1の探索空間はN個のリソース要素を占有し、MおよびNは自然数であり、MはNと等しくない、請求項21から25のいずれか一項に記載のネットワークデバイス。
【請求項２７】
前記プロセッサが、第3の探索空間を決定するように構成され、前記第3の探索空間が前記時間窓T内の第3の時間単位にあり、前記第3の時間単位が前記第2の時間単位集合に属すし、
前記プロセッサが、第3のDCIを送信するように構成され、前記第3のDCIが前記第3の探索空間に位置し、前記プロセッサによって前記第2の探索空間において送信された第2のDCIと前記プロセッサによって前記第3の探索空間において送信された前記第3のDCIとがどちらも前記第2のデータ伝送をスケジュールするために使用される、請求項22から26のいずれか一項に記載のネットワークデバイス。
【請求項２８】
前記第1の探索空間が、第1の端末デバイスによって検出される探索空間であり、前記第2の探索空間が、第2の端末デバイスによって検出される探索空間である、請求項21から27のいずれか一項に記載のネットワークデバイス。
【請求項２９】
装置による使用のためのプログラムコードを記録したコンピュータ読み取り可能な記録媒体であって、
前記プログラムコードは、
前記装置により、第1の探索空間および第2の探索空間のうちの少なくとも1つの探索空間を決定するための命令であって、前記第1の探索空間が時間窓T内の第1の時間単位にあり、前記第1の時間単位が第1の時間単位集合に属し、前記第2の探索空間が前記時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なる、命令と、
前記装置により、前記少なくとも1つの探索空間においてダウンリンク制御情報（DCI）の少なくとも一部を検出するための命令と
を含む、コンピュータ読み取り可能な記録媒体。
【請求項３０】
装置による使用のためのプログラムコードを記録したコンピュータ読み取り可能な記録媒体であって、
前記プログラムコードは、
前記装置により、第1の探索空間および第2の探索空間のうちの少なくとも1つの探索空間を決定するための命令であって、前記第1の探索空間が時間窓T内の第1の時間単位にあり、前記第1の時間単位が第1の時間単位集合に属し、前記第2の探索空間が前記時間窓T内の第2の時間単位にあり、前記第2の時間単位が第2の時間単位集合に属し、前記時間窓TがNT個の時間単位を含み、前記第1の時間単位集合および前記第2の時間単位集合が前記NT個の時間単位の部分集合であり、NTが2以上の整数であり、前記第1の時間単位集合と前記第2の時間単位集合とが部分的にまたは完全にオーバーラップし、前記第1の時間単位が前記第2の時間単位と同じかまたは異なる、命令と、
前記装置により、ダウンリンク制御情報（DCI）の少なくとも一部を送信するための命令であって、DCIの前記少なくとも一部が前記少なくとも1つの探索空間に位置する、命令と
を含む、コンピュータ読み取り可能な記録媒体。
【請求項３１】
コンピュータに請求項1から7のいずれか一項に記載の方法を実行させるプログラム。
【請求項３２】
コンピュータに請求項8から15のいずれか一項に記載の方法を実行させるプログラム。
【手続補正３】
【補正対象書類名】図面
【補正対象項目名】図４ｆ
【補正方法】変更
【補正の内容】
【図４ｆ】
2019503634.tif 000048
【手続補正４】
【補正対象書類名】図面
【補正対象項目名】図４ｈ
【補正方法】変更
【補正の内容】
【図４ｈ】
2019503634.tif 000049
【手続補正５】
【補正対象書類名】図面
【補正対象項目名】図５
【補正方法】変更
【補正の内容】
【図５】
2019503634.tif 000050
【国際調査報告】
2019503634.tif 000051
2019503634.tif 000052
2019503634.tif 000053
2019503634.tif 000054